(57)【特許請求の範囲】
【請求項１】
サブスクリプション更新方法であって、第１端末がソースサブスクリプションネットワーク要素から目標サブスクリプションネットワーク要素へ移動されるシナリオに適用され、前記方法は、
第１イベント通知ネットワーク要素により、第１サブスクリプションイベントについて、前記目標サブスクリプションネットワーク要素の対応する第１コールバックアドレス情報を生成するステップと、
前記第１イベント通知ネットワーク要素により、前記第１サブスクリプションイベントの第１イベント通知を、前記目標サブスクリプションネットワーク要素へ、前記目標サブスクリプションネットワーク要素の前記第１コールバックアドレス情報に基づき送信するステップと、
を含む方法。
【請求項２】
前記方法は、
前記第１イベント通知ネットワーク要素により、前記第１端末の前記第１サブスクリプションイベントの通知条件が満たされると決定するステップ、
を更に含む請求項１に記載の方法。
【請求項３】
前記第１イベント通知ネットワーク要素により、前記第１サブスクリプションイベントについて、前記目標サブスクリプションネットワーク要素の対応する第１コールバックアドレス情報を生成する前記ステップは、
前記第１イベント通知ネットワーク要素により、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の第１コールバックアドレス情報に基づき生成するステップであって、前記目標サブスクリプションネットワーク要素の前記第１コールバックアドレス情報は、前記目標サブスクリプションネットワーク要素に関する情報を含む、ステップを含む、請求項１又は２に記載の方法。
【請求項４】
前記方法は、
前記第１イベント通知ネットワーク要素により、サブスクリプション要求を前記ソースサブスクリプションネットワーク要素から受信するステップであって、前記サブスクリプション要求は、前記第１サブスクリプションイベントに対応する前記ソースサブスクリプションネットワーク要素の前記第１コールバックアドレス情報を伝達し、前記ソースサブスクリプションネットワーク要素の前記第１コールバックアドレス情報は、前記ソースサブスクリプションネットワーク要素に関する前記情報を含む、ステップ、
を更に含む請求項３に記載の方法。
【請求項５】
前記第１イベント通知ネットワーク要素により、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の前記第１コールバックアドレス情報に基づき生成する前記ステップは、
前記第１イベント通知ネットワーク要素により、前記目標サブスクリプションネットワーク要素に関する前記情報を、前記第１サブスクリプションイベントに対応する前記ソースサブスクリプションネットワーク要素の前記第１コールバックアドレス情報の中にある前記ソースサブスクリプションネットワーク要素に関する前記情報の代わりに用いて、前記第１サブスクリプションイベントについて生成された前記目標サブスクリプションネットワーク要素の前記対応する第１コールバックアドレス情報を取得するステップを含む、請求項３又は４に記載の方法。
【請求項６】
前記目標サブスクリプションネットワーク要素に関する前記情報は、前記目標サブスクリプションネットワーク要素のインターネットプロトコル（ＩＰ）アドレス、又は前記目標サブスクリプションネットワーク要素の完全修飾ドメイン名（ＦＱＤＮ）、又は前記目標サブスクリプションネットワーク要素の識別子である、請求項３乃至５のいずれかに記載の方法。
【請求項７】
前記目標サブスクリプションネットワーク要素は、目標アクセス及び移動性管理機能ＡＭＦネットワーク要素である、請求項６に記載の方法。
【請求項８】
前記第１イベント通知ネットワーク要素により、前記第１サブスクリプションイベントについて、前記目標サブスクリプションネットワーク要素の対応する第１コールバックアドレス情報を生成する前記ステップは、
前記第１イベント通知ネットワーク要素により、前記第１サブスクリプションイベントについて、前記目標サブスクリプションネットワーク要素の前記対応する第１コールバックアドレス情報を、プリセットコールバックアドレスフォーマットに基づき生成するステップであって、前記目標サブスクリプションネットワーク要素の前記第１コールバックアドレス情報は、前記目標サブスクリプションネットワーク要素に関する情報を含む、ステップを含む、請求項１又は２に記載の方法。
【請求項９】
前記プリセットコールバックアドレスフォーマット又は前記ソースサブスクリプションネットワーク要素のコールバックアドレス情報は、第１情報を更に含み、前記第１情報は、前記第１端末に関する情報又は前記第１サブスクリプションイベントに関する情報のうちの少なくとも１つを含み、前記第１端末に関する前記情報は、前記第１サブスクリプションイベントに対応する前記第１端末を決定するために使用され、前記第１サブスクリプションイベントに関する前記情報は、前記第１サブスクリプションイベントを決定するために使用され、
相応して、前記目標サブスクリプションネットワーク要素の前記第１コールバックアドレス情報は、前記第１情報を更に含む、請求項８に記載の方法。
【請求項１０】
前記第１イベント通知ネットワーク要素により、前記ソースサブスクリプションネットワーク要素が前記第１端末にサービスしないと決定するステップ、を更に含む請求項１乃至９のいずれか一項に記載の方法。
【請求項１１】
前記第１イベント通知ネットワーク要素により、前記ソースサブスクリプションネットワーク要素が前記第１端末にサービスしないと決定する前記ステップは、
前記第１イベント通知ネットワーク要素により、状態通知を、前記ソースサブスクリプションネットワーク要素又は前記目標サブスクリプションネットワーク要素から受信するステップであって、前記状態通知は、前記ソースサブスクリプションネットワーク要素が前記第１端末にサービスしないと通知するために使用される、ステップを含む、請求項１０に記載の方法。
【請求項１２】
前記第１イベント通知ネットワーク要素により、前記ソースサブスクリプションネットワーク要素が前記第１端末にサービスしないと決定する前記ステップは、
前記第１イベント通知ネットワーク要素により、前記第１サブスクリプションイベントの第３イベント通知を、前記ソースサブスクリプションネットワーク要素へ、前記第１端末に相関された前記ソースサブスクリプションネットワーク要素の前記第１コールバックアドレス情報に基づき、送信するステップと、
前記第１イベント通知ネットワーク要素により、前記ソースサブスクリプションネットワーク要素がアクセスできないと決定するステップと、
を含む、請求項１０に記載の方法。
【請求項１３】
前記第１イベント通知ネットワーク要素により、前記目標サブスクリプションネットワーク要素に関する情報を取得するステップ、を更に含む請求項１乃至１２のいずれか一項に記載の方法。
【請求項１４】
前記第１イベント通知ネットワーク要素により、前記目標サブスクリプションネットワーク要素に関する前記情報を取得する前記ステップは、
前記第１イベント通知ネットワーク要素により、状態通知を、前記ソースサブスクリプションネットワーク要素から受信するステップであって、前記状態通知は前記目標サブスクリプションネットワーク要素に関する前記情報を伝達する、ステップを含む、請求項１３に記載の方法。
【請求項１５】
前記目標サブスクリプションネットワーク要素は目標アクセス及び移動性管理機能（ＡＭＦ）ネットワーク要素であり、前記第１イベント通知ネットワーク要素により、前記目標サブスクリプションネットワーク要素に関する前記情報を取得する前記ステップは、
前記第１イベント通知ネットワーク要素により、ドメインネームシステム又はネットワークレポジトリ機能ネットワーク要素を、前記第１端末に対応するグローバルユニークアクセス及び移動性管理機能識別子の中のＡＭＦセット情報に基づき、クエリするステップと、
アクセス及び移動性管理機能ネットワーク要素セットの中の利用可能ＡＭＦの、前記ドメインネームシステム又は前記ネットワークレポジトリ機能ネットワーク要素により返された、完全修飾ドメイン名又はインターネットプロトコルアドレスを受信するステップと、
前記第１イベント通知ネットワーク要素により、前記利用可能ＡＭＦから１つのＡＭＦを目標ＡＭＦとして選択し、前記目標ＡＭＦの完全修飾ドメイン名又はインターネットプロトコルアドレスを前記目標ＡＭＦに関する情報として決定するステップと、
を含む、請求項１３に記載の方法。
【請求項１６】
第１イベント通知ネットワーク要素であって、第１端末がソースサブスクリプションネットワーク要素から目標サブスクリプションネットワーク要素へ移動されるシナリオに適用され、前記第１イベント通知ネットワーク要素は、処理モジュール及び通信機モジュールを含み、
前記処理モジュールは、第１サブスクリプションイベントについて、前記目標サブスクリプションネットワーク要素の対応する第１コールバックアドレス情報を生成するよう構成され、
前記通信機モジュールは、前記第１サブスクリプションイベントの第１イベント通知を、前記目標サブスクリプションネットワーク要素へ、前記第１コールバックアドレス情報に基づき送信するよう構成される、
第１イベント通知ネットワーク要素。
【請求項１７】
前記処理モジュールは、前記第１端末の前記第１サブスクリプションイベントの通知条件が満たされると決定するよう更に構成される、請求項１６に記載の第１イベント通知ネットワーク要素。
【請求項１８】
前記処理モジュールが、前記第１サブスクリプションイベントについて、前記目標サブスクリプションネットワーク要素の対応する第１コールバックアドレス情報を生成するよう構成されることは、
前記処理モジュールが、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の第１コールバックアドレス情報に基づき生成するよう構成され、前記目標サブスクリプションネットワーク要素の前記第１コールバックアドレス情報は、前記目標サブスクリプションネットワーク要素に関する情報を含む、ことを含む、請求項１６又は１７に記載の第１イベント通知ネットワーク要素。
【請求項１９】
前記通信機モジュールは、サブスクリプション要求を前記ソースサブスクリプションネットワーク要素から受信するよう更に構成され、前記サブスクリプション要求は、前記第１サブスクリプションイベントに対応する前記ソースサブスクリプションネットワーク要素の前記第１コールバックアドレス情報を伝達し、前記ソースサブスクリプションネットワーク要素の前記第１コールバックアドレス情報は、前記ソースサブスクリプションネットワーク要素に関する前記情報を含む、請求項１８に記載の第１イベント通知ネットワーク要素。
【請求項２０】
前記処理モジュールが、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の前記第１コールバックアドレス情報に基づき生成するよう構成されることは、
前記処理モジュールが、前記目標サブスクリプションネットワーク要素に関する前記情報を、前記第１サブスクリプションイベントに対応する前記ソースサブスクリプションネットワーク要素の前記第１コールバックアドレス情報の中にある前記ソースサブスクリプションネットワーク要素に関する前記情報の代わりに用いて、前記第１サブスクリプションイベントについて生成された前記目標サブスクリプションネットワーク要素の前記対応する第１コールバックアドレス情報を取得するよう構成されることを含む、請求項１９に記載の第１イベント通知ネットワーク要素。
【請求項２１】
前記処理モジュールが、前記第１サブスクリプションイベントについて、前記目標サブスクリプションネットワーク要素の対応する第１コールバックアドレス情報を生成するよう構成されることは、
前記処理モジュールが、前記第１サブスクリプションイベントについて、前記目標サブスクリプションネットワーク要素の前記対応する第１コールバックアドレス情報を、プリセットコールバックアドレスフォーマットに基づき生成するよう構成され、前記目標サブスクリプションネットワーク要素の前記第１コールバックアドレス情報は、前記目標サブスクリプションネットワーク要素に関する情報を含む、ことを含む、請求項１６に記載の第１イベント通知ネットワーク要素。
【請求項２２】
前記処理モジュールは、前記ソースサブスクリプションネットワーク要素が前記第１端末にサービスしないと決定するよう更に構成される、請求項１６乃至２１のいずれか一項に記載の第１イベント通知ネットワーク要素。
【請求項２３】
前記処理モジュールが、前記ソースサブスクリプションネットワーク要素が前記第１端末にサービスしないと決定するよう更に構成されることは、
前記処理モジュールが、状態通知に基づき、前記ソースサブスクリプションネットワーク要素が前記第１端末にサービスしないと学習するよう構成され、前記状態通知は、前記ソースサブスクリプションネットワーク要素が前記第１端末にサービスしないと通知するために使用され、前記状態通知は、前記ソースサブスクリプションネットワーク要素又は前記目標サブスクリプションネットワーク要素から生じる、ことを含む、請求項２２に記載の第１イベント通知ネットワーク要素。
【請求項２４】
前記処理モジュールが、前記ソースサブスクリプションネットワーク要素が前記第１端末にサービスしないと決定するよう構成されることは、
前記処理モジュールが、前記第１サブスクリプションイベントの第３イベント通知を、前記ソースサブスクリプションネットワーク要素へ、前記第１端末に相関された前記ソースサブスクリプションネットワーク要素のコールバックアドレス情報に基づき、送信し、
前記ソースサブスクリプションネットワーク要素がアクセスできないと決定する、よう構成されることを含む、請求項２２に記載の第１イベント通知ネットワーク要素。
【請求項２５】
サブスクリプション更新システムであって、前記サブスクリプション更新システムは、第１イベント通知ネットワーク要素及び目標サブスクリプションネットワーク要素を含み、
前記第１イベント通知ネットワーク要素は、第１サブスクリプションイベントについて、前記目標サブスクリプションネットワーク要素の対応する第１コールバックアドレス情報を生成し、前記第１サブスクリプションイベントの第１イベント通知を、前記目標サブスクリプションネットワーク要素へ、前記第１コールバックアドレス情報に基づき、送信するよう構成され、
前記目標サブスクリプションネットワーク要素は、前記第１イベント通知を受信するよう構成される、サブスクリプション更新システム。
【請求項２６】
前記第１イベント通知ネットワーク要素は、第１端末の前記第１サブスクリプションイベントの通知条件が満たされると決定するよう構成される、請求項２５に記載のサブスクリプション更新システム。
【請求項２７】
前記第１イベント通知ネットワーク要素が、前記第１サブスクリプションイベントについて、前記目標サブスクリプションネットワーク要素の対応する第１コールバックアドレス情報を生成するよう構成されることは、前記第１イベント通知ネットワーク要素が、前記第１サブスクリプションイベントについて、前記目標サブスクリプションネットワーク要素の前記対応する第１コールバックアドレス情報を、前記第１サブスクリプションイベントに対応するソースサブスクリプションネットワーク要素の第１コールバックアドレス情報に基づき生成するよう構成され、前記目標サブスクリプションネットワーク要素の前記第１コールバックアドレス情報は、前記目標サブスクリプションネットワーク要素に関する情報を含む、ことを含む、請求項２５又は２６に記載のサブスクリプション更新システム。
【請求項２８】
前記第１イベント通知ネットワーク要素は、サブスクリプション要求を前記ソースサブスクリプションネットワーク要素から受信するよう更に構成され、前記サブスクリプション要求は、前記第１サブスクリプションイベントに対応する前記ソースサブスクリプションネットワーク要素の前記第１コールバックアドレス情報を伝達し、前記ソースサブスクリプションネットワーク要素の前記第１コールバックアドレス情報は、前記ソースサブスクリプションネットワーク要素に関する前記情報を含む、請求項２７に記載のサブスクリプション更新システム。
【請求項２９】
前記第１イベント通知ネットワーク要素が、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の前記第１コールバックアドレス情報に基づき生成するよう構成されることは、前記第１イベント通知ネットワーク要素が、前記目標サブスクリプションネットワーク要素に関する前記情報を、前記第１サブスクリプションイベントに対応する前記ソースサブスクリプションネットワーク要素の前記第１コールバックアドレス情報の中にある前記ソースサブスクリプションネットワーク要素に関する前記情報の代わりに用いて、前記第１サブスクリプションイベントについて生成された前記目標サブスクリプションネットワーク要素の前記対応する第１コールバックアドレス情報を取得するよう構成されることを含む、請求項２７又は２８に記載のサブスクリプション更新システム。
【請求項３０】
サブスクリプション更新方法であって、第１端末がソースサブスクリプションネットワーク要素から目標サブスクリプションネットワーク要素へ移動されるシナリオに適用され、前記方法は、
第１イベント通知ネットワーク要素により、前記第１端末の第１サブスクリプションイベントの通知条件が満たされると決定するステップと、
前記第１イベント通知ネットワーク要素により、前記目標サブスクリプションネットワーク要素の第１コールバックアドレス情報を取得するステップと、
前記第１イベント通知ネットワーク要素により、第１メッセージを、前記目標サブスクリプションネットワーク要素へ、前記第１コールバックアドレス情報に基づき送信するステップであって、前記第１メッセージは、前記第１端末の識別子及び前記第１サブスクリプションイベントの第１イベント通知を伝達し、前記第１端末の前記識別子は、前記第１イベント通知を前記第１端末に相関するために使用される、ステップと、
を含む方法。
【請求項３１】
第１イベント通知ネットワーク要素であって、第１端末がソースサブスクリプションネットワーク要素から目標サブスクリプションネットワーク要素へ移動されるシナリオに適用され、前記第１イベント通知ネットワーク要素は、処理モジュール及び通信機モジュールを含み、
前記処理モジュールは、前記第１端末の第１サブスクリプションイベントの通知条件が満たされると決定するよう構成され、
前記処理モジュールは、前記目標サブスクリプションネットワーク要素の第１コールバックアドレス情報を取得するよう更に構成され、
前記通信機モジュールは、第１メッセージを、前記目標サブスクリプションネットワーク要素へ、前記第１コールバックアドレス情報に基づき送信するよう構成され、前記第１メッセージは、前記第１端末の識別子及び前記第１サブスクリプションイベントの第１イベント通知を伝達し、前記第１端末の前記識別子は、前記第１イベント通知を前記第１端末に相関するために使用される、第１イベント通知ネットワーク要素。
【請求項３２】
サブスクリプション更新システムであって、第１端末がソースサブスクリプションネットワーク要素から目標サブスクリプションネットワーク要素へ移動されるシナリオに適用され、前記サブスクリプション更新システムは、第１イベント通知ネットワーク要素及び前記目標サブスクリプションネットワーク要素を含み、
前記第１イベント通知ネットワーク要素は、前記第１端末の第１サブスクリプションイベントの通知条件が満たされると決定するよう構成され、
前記第１イベント通知ネットワーク要素は、前記目標サブスクリプションネットワーク要素の第１コールバックアドレス情報を取得するよう更に構成され、
前記第１イベント通知ネットワーク要素は、第１メッセージを、前記目標サブスクリプションネットワーク要素へ、前記第１コールバックアドレス情報に基づき送信するよう更に構成され、前記第１メッセージは、前記第１端末の識別子及び前記第１サブスクリプションイベントの第１イベント通知を伝達し、前記第１端末の前記識別子は、前記第１イベント通知を前記第１端末に相関するために使用され、
前記目標サブスクリプションネットワーク要素は、前記第１メッセージを、前記第１イベント通知ネットワーク要素から受信するよう構成される、サブスクリプション更新システム。
【請求項３３】
第１イベント通知ネットワーク要素であって、プロセッサ及びメモリを含み、前記メモリは、コンピュータ実行可能命令を格納するよう構成され、前記第１イベント通知ネットワーク要素が起動すると、前記プロセッサは、前記メモリに格納された前記コンピュータ実行可能命令を実行し、その結果、前記第１イベント通知ネットワーク要素が請求項１乃至１５のいずれか一項又は請求項３０に記載のサブスクリプション更新方法を実行する、第１イベント通知ネットワーク要素。
【請求項３４】
請求項１乃至１５のいずれか一項又は請求項３０に記載のサブスクリプション更新方法を実行するよう構成されるプロセッサ。
【請求項３５】
コンピュータ可読記憶媒体であって、前記コンピュータ可読記憶媒体は命令を格納し、前記命令がコンピュータ上で実行すると、前記コンピュータは、請求項１乃至１５のいずれか一項又は請求項３０に記載のサブスクリプション更新方法を実行可能にされる、コンピュータ可読記憶媒体。
【発明の詳細な説明】
【技術分野】
【０００１】
［関連出願］
本願は、中国特許出願番号２０１８１０４５０２３２.５、２０１８年５月１１日に中国特許庁に出願、名称「SUBSCRIPTION  UPDATE  METHOD、DEVICE、AND  SYSTEM」の優先権を主張する。該中国特許出願は、参照によりその全体がここに組み込まれる。
【０００２】
［技術分野］
本願は、通信技術の分野に関し、特にサブスクリプション更新方法、装置、及びシステムに関する。
【背景技術】
【０００３】
従来、端末にサービスするアクセス及び移動性管理機能（access  and  mobility  management  function、AMF）ネットワーク要素は、要件に従い、該端末に関連するイベントを、セッション管理機能（session  management  function、SMF）ネットワーク要素、統一データ管理（unified  data  management、UDM）ネットワーク要素、又はポリシ制御機能（policy  control  function、PCF）ネットワーク要素のようなイベント通知ネットワーク要素からサブスクライブし得る。イベントをサブスクライブするとき、ＡＭＦネットワーク要素は、サブスクリプション要求をイベント通知ネットワーク要素へ送信する。サブスクリプション要求は、端末に関連する、ＡＭＦネットワーク要素のサブスクリプション情報、例えば端末のサブスクリプションイベントに関する情報、サブスクリプションイベントに関連する、ＡＭＦネットワーク要素のコールバックアドレス情報、及びＡＭＦネットワーク要素によりサブスクリプションイベントに割り当てられた通知相関（notification  correlation）アイデンティティ（identity、ID）を伝達する。さらに、イベント通知ネットワーク要素は、サブスクリプション応答をＡＭＦネットワーク要素へ送信する。サブスクリプション応答は、イベント通知ネットワーク要素によりサブスクリプションイベントに割り当てられたサブスクリプション相関アイデンティティ（subscription  correlation  ID）、等を伝達する。この場合、サブスクリプションイベントの通知条件が満たされると、イベント通知ネットワーク要素は、端末に関連する、ＡＭＦネットワーク要素のコールバックアドレス情報に基づき、イベント通知及び通知相関アイデンティティを、イベントをサブスクライブしているＡＭＦネットワーク要素へ送信する。ＡＭＦネットワーク要素は、イベント通知をサブスクリプションイベントに、通知相関アイデンティティに基づき相関する。
【０００４】
さらに、従来では、端末がソースＡＭＦネットワーク要素から目標ＡＭＦネットワーク要素へ移動されるシナリオでは、サブスクリプションイベントの通知条件が満たされるとき、イベント通知ネットワーク要素が、端末に関連する、ソースＡＭＦネットワーク要素のサブスクリプション情報を格納したままなので、イベント通知ネットワーク要素は、サブスクリプションイベントのイベント通知をソースサブスクリプションネットワーク要素へ、端末に関連する、ソースＡＭＦネットワーク要素の格納されたサブスクリプション情報に基づき依然として送信する。結果として、端末に現在サービスしている目標サブスクリプションネットワーク要素は、サブスクリプションイベントのイベント通知を適時学習できず、したがって、対応するサブスクリプションイベントを適時処理できない。
【０００５】
したがって、どのようにサブスクリプション更新を実行し、その結果、端末がソースサブスクリプションネットワーク要素から目標サブスクリプションネットワーク要素へ移動されるシナリオで、目標サブスクリプションネットワーク要素が、サブスクリプションイベントのイベント通知を、適時学習できることが、現在緊急に解決される必要のある問題である。
【発明の概要】
【０００６】
本願の実施形態は、サブスクリプション更新方法、装置、及びシステムを提供する。その結果、端末がソースサブスクリプションネットワーク要素から目標サブスクリプションネットワーク要素へ移動されるシナリオで、目標サブスクリプションネットワーク要素は、サブスクリプションイベントのイベント通知を、適時学習できる。
【０００７】
上述の目的を達成するため、以下の技術的ソリューションが本願の実施形態において使用される。
【０００８】
第１の態様によると、サブスクリプション更新方法が提供される。方法は、第１端末がソースサブスクリプションネットワーク要素から目標サブスクリプションネットワーク要素へ移動されるシナリオに適用される。方法は、第１イベント通知ネットワーク要素により、前記第１端末の第１サブスクリプションイベントの通知条件が満たされると決定するステップと、前記第１イベント通知ネットワーク要素により、前記目標サブスクリプションネットワーク要素の第１コールバックアドレス情報を取得するステップと、前記第１イベント通知ネットワーク要素により、第１メッセージを前記目標サブスクリプションネットワーク要素へ前記第１コールバックアドレス情報に基づき送信するステップであって、前記第１メッセージは、前記第１端末の識別子及び前記第１サブスクリプションイベントの第１イベント通知を伝達し、前記第１端末の識別子は、前記第１イベント通知を前記第１端末に相関するために使用される、ステップと、を含む。本ソリューションでは、第１端末がソースサブスクリプションネットワーク要素から目標サブスクリプションネットワーク要素へ移動されるシナリオにおいて、第１イベント通知ネットワーク要素は、目標サブスクリプションネットワーク要素の第１コールバックアドレス情報を取得し、第１イベント通知及び第１端末の識別子を目標サブスクリプションネットワーク要素へ目標サブスクリプションネットワーク要素の第１コールバックアドレス情報に基づき送信してよい。ここで、第１端末の識別子は、第１イベント通知を第１端末に相関するために使用される。このように、目標サブスクリプションネットワーク要素は、第１サブスクリプションイベントのイベント通知を、第１端末の識別子及び第１イベント通知に基づき及び第１コールバックアドレス情報を参照して、適時学習できる。したがって、本ソリューションによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【０００９】
可能な設計では、前記第１コールバックアドレス情報は、前記目標サブスクリプションネットワーク要素に相関されたアドレス情報であり、又は前記第１コールバックアドレス情報は、前記第１端末の属する端末グループに相関されたアドレス情報である。言い換えると、本願の本実施形態における第１コールバックアドレス情報は、端末グループの粒度のアドレス情報であってよく、又はサブスクリプションネットワーク要素の粒度のアドレス情報であってよい。これは、本願の本実施形態において具体的に限定されない。
【００１０】
可能な設計では、前記第１メッセージは、前記ソースサブスクリプションネットワーク要素により、前記第１サブスクリプションイベントに割り当てられた第１通知相関アイデンティティを更に伝達し、前記第１通知相関アイデンティティは、前記第１サブスクリプションイベントを決定するために使用される。
【００１１】
可能な設計では、本願の本実施形態で提供されるサブスクリプション更新方法は、前記第１イベント通知ネットワーク要素により、第２メッセージを、前記目標サブスクリプションネットワーク要素から受信するステップであって、前記第２メッセージは、前記目標サブスクリプションネットワーク要素の第２コールバックアドレス情報及び第１指示情報を伝達し、前記第２コールバックアドレス情報は、前記第１サブスクリプションイベントに相関されたアドレス情報であり、前記第１指示情報は、前記第１サブスクリプションイベントを決定するために使用され、前記第２コールバックアドレス情報は、前記第１イベント通知ネットワーク要素により、前記第１サブスクリプションイベントの第２イベント通知を、前記目標サブスクリプションネットワーク要素へ、前記第２コールバックアドレス情報に基づき送信するために使用される、ステップを更に含んでよい。言い換えると、本願の本実施形態において、端末がソースサブスクリプションネットワーク要素から目標サブスクリプションネットワーク要素へ移動されるシナリオにおいて、第１イベント通知ネットワーク要素は、第１サブスクリプションイベントに対応する目標サブスクリプションネットワーク要素の第２コールバックアドレス情報、つまりサブスクリプションイベントの粒度のアドレス情報を取得してよく、更に、第２イベント通知を目標サブスクリプションネットワーク要素へ第２コールバックアドレス情報に基づき送信してよい。このように、目標サブスクリプションネットワーク要素は、第１サブスクリプションイベントのイベント通知を、第２イベント通知に基づき及び第２コールバックアドレス情報を参照して、適時学習できる。したがって、本ソリューションによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００１２】
可能な設計では、本願の本実施形態で提供されるサブスクリプション更新方法は、前記第１イベント通知ネットワーク要素により、第１状態通知を前記ソースサブスクリプションネットワーク要素又は前記目標サブスクリプションネットワーク要素から受信するステップであって、前記第１状態通知は、前記目標サブスクリプションネットワーク要素の前記第１コールバックアドレス情報を伝達する、ステップを更に含んでよく、相応して、前記第１イベント通知ネットワーク要素により、前記目標サブスクリプションネットワーク要素の第１コールバックアドレス情報を取得する前記ステップは、前記第１イベント通知ネットワーク要素により、前記目標サブスクリプションネットワーク要素の前記第１コールバックアドレス情報を、前記第１状態通知に基づき決定するステップを含む。本ソリューションによると、第１イベント通知ネットワーク要素は、目標サブスクリプションネットワーク要素の第１コールバックアドレス情報を取得できる。
【００１３】
可能な設計では、前記第１イベント通知ネットワーク要素により、前記目標サブスクリプションネットワーク要素の第１コールバックアドレス情報を取得する前記ステップは、前記第１イベント通知ネットワーク要素により、第４メッセージを、ネットワークレポジトリ機能ネットワーク要素へ送信するステップであって、前記第４メッセージは、第２指示情報と、以下：前記ソースサブスクリプションネットワーク要素により前記第１端末の属する前記端末グループに割り当てられた第１グループ識別子、前記第１グループ識別子に対応するサブスクリプションネットワーク要素セットのセット識別子、前記目標サブスクリプションネットワーク要素の識別子、又は前記目標サブスクリプションネットワーク要素の識別子及び前記第１グループ識別子、のうちのいずれか１つと、を伝達し、前記第２指示情報は、前記第４メッセージが前記目標サブスクリプションネットワーク要素の前記第１コールバックアドレス情報を要求するために使用されることを示すために使用される、ステップと、前記第１イベント通知ネットワーク要素により、前記目標サブスクリプションネットワーク要素の前記第１コールバックアドレス情報を、前記ネットワークレポジトリ機能ネットワーク要素から受信するステップと、を含む。本ソリューションによると、第１イベント通知ネットワーク要素は、目標サブスクリプションネットワーク要素の第１コールバックアドレス情報を取得できる。
【００１４】
可能な設計では、前記第１イベント通知ネットワーク要素により、第４メッセージを、ネットワークレポジトリ機能ネットワーク要素へ送信する前記ステップの前に、本願の本実施形態で提供されるサブスクリプション更新方法は、前記第１イベント通知ネットワーク要素により、前記ソースサブスクリプションネットワーク要素が前記第１端末にサービスしないと決定するステップ、を更に含んでよい。
【００１５】
可能な設計では、前記目標サブスクリプションネットワーク要素は、目標アクセス及び移動性管理機能ネットワーク要素を含み、相応して、前記第１グループ識別子は、前記第１端末の属する前記端末グループに対応するグローバルユニークアクセス及び移動性管理機能識別子ＧＵＡＭＩである。
【００１６】
可能な設計では、前記第１イベント通知ネットワーク要素により、前記目標サブスクリプションネットワーク要素の第１コールバックアドレス情報を取得する前記ステップは、前記第１イベント通知ネットワーク要素により、前記第１サブスクリプションイベントの第３イベント通知を、前記ソースサブスクリプションネットワーク要素へ、前記第１端末に相関された前記ソースサブスクリプションネットワーク要素のコールバックアドレス情報に基づき送信するステップと、前記第１イベント通知ネットワーク要素により、拒否メッセージを、前記ソースサブスクリプションネットワーク要素から受信するステップであって、前記拒否メッセージは、前記目標サブスクリプションネットワーク要素の前記第１コールバックアドレス情報を伝達する、ステップと、を含む。本ソリューションによると、第１イベント通知ネットワーク要素は、目標サブスクリプションネットワーク要素の第１コールバックアドレス情報を取得できる。
【００１７】
第２の態様によると、サブスクリプション更新方法が提供される。方法は、第１端末がソースサブスクリプションネットワーク要素から目標サブスクリプションネットワーク要素へ移動されるシナリオに適用される。前記方法は、第１イベント通知ネットワーク要素により、第２メッセージを、前記目標サブスクリプションネットワーク要素から受信するステップであって、前記第２メッセージは、前記目標サブスクリプションネットワーク要素の第２コールバックアドレス情報及び第１指示情報を含み、前記第２コールバックアドレス情報は、前記第１サブスクリプションイベントに相関されたアドレス情報であり、前記第１指示情報は、前記第１サブスクリプションイベントを決定するために使用され、前記第２コールバックアドレス情報は、前記第１イベント通知ネットワーク要素により、前記第１サブスクリプションイベントの第２イベント通知を、前記目標サブスクリプションネットワーク要素へ、前記第２コールバックアドレス情報に基づき送信するために使用される、ステップを更に含む。本ソリューションでは、端末がソースサブスクリプションネットワーク要素から目標サブスクリプションネットワーク要素へ移動されるシナリオにおいて、第１イベント通知ネットワーク要素は、第１サブスクリプションイベントに対応する目標サブスクリプションネットワーク要素の第２コールバックアドレス情報、つまりサブスクリプションイベントの粒度のアドレス情報を取得してよく、更に、第２イベント通知を目標サブスクリプションネットワーク要素へ第２コールバックアドレス情報に基づき送信してよい。このように、目標サブスクリプションネットワーク要素は、第１サブスクリプションイベントのイベント通知を、第２イベント通知に基づき及び第２コールバックアドレス情報を参照して、適時学習できる。したがって、本ソリューションによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００１８】
第１の態様又は第２の態様を参照して、可能な設計では、前記第２メッセージは、前記目標サブスクリプションネットワーク要素により前記第１サブスクリプションイベントに割り当てられた第２通知相関アイデンティティを更に伝達し、相応して、前記第２コールバックアドレス情報は、前記第１イベント通知ネットワーク要素により、前記第２通知相関アイデンティティを、前記目標サブスクリプションネットワーク要素へ、前記第２コールバックアドレス情報に基づき送信するために更に使用される。
【００１９】
第３の態様によると、サブスクリプション更新方法が提供される。方法は、第１端末がソースサブスクリプションネットワーク要素から目標サブスクリプションネットワーク要素へ移動されるシナリオに適用される。前記方法は、第１イベント通知ネットワーク要素により、前記第１端末の第１サブスクリプションイベントの通知条件が満たされると決定するステップと、前記第１イベント通知ネットワーク要素により、第１メッセージを前記目標サブスクリプションネットワーク要素へ送信するステップであって、前記第１メッセージは、前記第１端末の識別子を伝達し、前記目標サブスクリプションネットワーク要素に前記第１端末のサブスクリプションを更新するよう要求するために使用される、ステップと、前記第１イベント通知ネットワーク要素により、第２メッセージを前記目標サブスクリプションネットワーク要素から受信するステップであって、前記第２メッセージは、第１指示情報、及び前記第１サブスクリプションイベントに相関された、前記目標サブスクリプションネットワーク要素の第１コールバックアドレス情報を伝達し、前記第１指示情報は、前記第１サブスクリプションイベントを決定するために使用され、前記第１コールバックアドレス情報は、前記第１イベント通知ネットワーク要素により、前記第１サブスクリプションイベントの第１イベント通知を前記目標サブスクリプションネットワーク要素へ前記第１コールバックアドレス情報に基づき送信するために使用される、ステップと、を含む。本ソリューションでは、第１端末がソースサブスクリプションネットワーク要素から目標サブスクリプションネットワーク要素へ移動されるシナリオにおいて、第１イベント通知ネットワーク要素は、第１サブスクリプションイベントに相関された目標サブスクリプションネットワーク要素の第１コールバックアドレス情報を取得し、第１イベント通知を目標サブスクリプションネットワーク要素へ目標サブスクリプションネットワーク要素の第１コールバックアドレス情報に基づき送信してよい。このように、目標サブスクリプションネットワーク要素は、第１サブスクリプションイベントのイベント通知を、第１イベント通知に基づき及び第１コールバックアドレス情報を参照して、適時学習できる。したがって、本ソリューションによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００２０】
可能な設計では、前記第１イベント通知ネットワーク要素により、第１メッセージを、目標サブスクリプションネットワーク要素へ送信する前記ステップの前に、本願の本実施形態で提供されるサブスクリプション更新方法は、前記第１イベント通知ネットワーク要素により、前記ソースサブスクリプションネットワーク要素が前記第１端末にサービスしないと決定するステップ、を更に含んでよい。
【００２１】
可能な設計では、前記第１イベント通知ネットワーク要素により、第１メッセージを前記目標サブスクリプションネットワーク要素へ送信する前記ステップの前に、本願の本実施形態で提供されるサブスクリプション更新方法は、前記第１イベント通知ネットワーク要素により、前記目標サブスクリプションネットワーク要素の第１サービスのアドレス情報をネットワークレポジトリ機能ネットワーク要素から取得するステップであって、前記第１サービスは、前記第１サブスクリプションイベントのサブスクリプション更新をトリガするために使用される、ステップを更に含んでよく、相応して、前記第１イベント通知ネットワーク要素により、第１メッセージを前記目標サブスクリプションネットワーク要素へ送信する前記ステップは、前記第１イベント通知ネットワーク要素により、前記第１メッセージを前記目標サブスクリプションネットワーク要素へ前記第１サービスの前記アドレス情報に基づき送信するステップを含む。本ソリューションによると、第１サブスクリプションイベント通知のサブスクリプション更新がトリガされ得る。
【００２２】
可能な設計では、前記第１イベント通知ネットワーク要素により、前記目標サブスクリプションネットワーク要素の第１サービスのアドレス情報をネットワークレポジトリ機能ネットワーク要素から取得する前記ステップは、前記第１イベント通知ネットワーク要素により、第４メッセージを前記ネットワークレポジトリ機能ネットワーク要素へ送信するステップであって、前記第４メッセージは、前記目標サブスクリプションネットワーク要素に関する情報及び第２指示情報を伝達し、前記第２指示情報は、前記第４メッセージが前記目標サブスクリプションネットワーク要素の前記第１サービスの前記アドレス情報を要求するために使用されることを示すために使用される、ステップと、前記第１イベント通知ネットワーク要素により、前記第１サービスの前記アドレス情報を前記ネットワークレポジトリ機能ネットワーク要素から受信するステップと、を含む。本ソリューションによると、第１イベント通知ネットワーク要素は、目標サブスクリプションネットワーク要素の第１サービスのアドレス情報をネットワークレポジトリ機能ネットワーク要素から取得できる。
【００２３】
第４の態様によると、サブスクリプション更新方法が提供される。方法は、第１端末がソースサブスクリプションネットワーク要素から目標サブスクリプションネットワーク要素へ移動されるシナリオに適用される。方法は、第１イベント通知ネットワーク要素により、前記第１端末の第１サブスクリプションイベントの通知条件が満たされると決定するステップと、前記第１イベント通知ネットワーク要素により、前記第１サブスクリプションイベントについて、前記目標サブスクリプションネットワーク要素の対応する第１コールバックアドレス情報を生成するステップと、前記第１イベント通知ネットワーク要素により、前記第１サブスクリプションイベントの第１イベント通知を前記目標サブスクリプションネットワーク要素へ目標サブスクリプションネットワーク要素の前記第１コールバックアドレス情報に基づき送信するステップと、を含む。本ソリューションでは、第１端末がソースサブスクリプションネットワーク要素から目標サブスクリプションネットワーク要素へ移動されるシナリオにおいて、第１イベント通知ネットワーク要素は、第１サブスクリプションイベントについて、目標サブスクリプションネットワーク要素の対応する第１コールバックアドレス情報を生成し、第１イベント通知を目標サブスクリプションネットワーク要素へ第１コールバックアドレス情報に基づき送信してよい。このように、目標サブスクリプションネットワーク要素は、第１サブスクリプションイベントのイベント通知を、第１イベント通知に基づき及び第１コールバックアドレス情報を参照して、適時学習できる。したがって、本ソリューションによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００２４】
可能な設計では、本願の本実施形態で提供されるサブスクリプション更新方法は、前記第１イベント通知ネットワーク要素により、サブスクリプション要求を前記ソースサブスクリプションネットワーク要素から受信するステップであって、前記サブスクリプション要求は、前記第１サブスクリプションイベントに対応する前記ソースサブスクリプションネットワーク要素の第１コールバックアドレス情報を伝達し、前記ソースサブスクリプションネットワーク要素の前記第１コールバックアドレス情報は、前記ソースサブスクリプションネットワーク要素に関する情報を含む、ステップ、を更に含み、前記第１イベント通知ネットワーク要素により、前記第１サブスクリプションイベントについて、前記目標サブスクリプションネットワーク要素の対応する第１コールバックアドレス情報を生成する前記ステップは、前記第１イベント通知ネットワーク要素により、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の前記第１コールバックアドレス情報に基づき生成するステップであって、前記目標サブスクリプションネットワーク要素の前記第１コールバックアドレス情報は、前記目標サブスクリプションネットワーク要素に関する情報を含む、ステップを含む。本ソリューションによると、第１イベント通知ネットワーク要素は、第１サブスクリプションイベントについて、目標サブスクリプションネットワーク要素の対応する第１コールバックアドレス情報を生成できる。
【００２５】
可能な設計では、前記第１イベント通知ネットワーク要素により、前記第１サブスクリプションイベントについて、前記目標サブスクリプションネットワーク要素の前記対応する第１コールバックアドレス情報を、前記第１サブスクリプションイベントに対応する前記ソースサブスクリプションネットワーク要素の前記第１コールバックアドレス情報に基づき生成する前記ステップは、前記第１イベント通知ネットワーク要素により、前記目標サブスクリプションネットワーク要素に関する前記情報を、前記第１サブスクリプションイベントに対応する前記ソースサブスクリプションネットワーク要素の前記第１コールバックアドレス情報の中にある前記ソースサブスクリプションネットワーク要素に関する前記情報の代わりに用いて、前記第１サブスクリプションイベントについて生成された前記目標サブスクリプションネットワーク要素の前記対応する第１コールバックアドレス情報を取得するステップを含む。
【００２６】
可能な設計では、前記第１イベント通知ネットワーク要素により、前記第１サブスクリプションイベントに対応する前記目標サブスクリプションネットワーク要素の第１コールバックアドレス情報を生成する前記ステップは、前記第１イベント通知ネットワーク要素により、前記第１サブスクリプションイベントについて、前記目標サブスクリプションネットワーク要素の前記対応する第１コールバックアドレス情報を、プリセットコールバックアドレスフォーマットに基づき生成するステップであって、前記目標サブスクリプションネットワーク要素の前記第１コールバックアドレス情報は、前記目標サブスクリプションネットワーク要素に関する情報を含む、ステップを含む。本ソリューションによると、第１イベント通知ネットワーク要素は、第１サブスクリプションイベントについて、目標サブスクリプションネットワーク要素の対応する第１コールバックアドレス情報を生成できる。
【００２７】
可能な設計では、前記プリセットコールバックアドレスフォーマット又は前記ソースサブスクリプションネットワーク要素のコールバックアドレス情報は、第１情報を更に含み、前記第１情報は、前記第１端末に関する情報又は前記第１サブスクリプションイベントに関する情報のうちの少なくとも１つを含み、前記第１端末に関する前記情報は、前記第１サブスクリプションイベントに対応する前記第１端末を決定するために使用され、前記第１サブスクリプションイベントに関する前記情報は、前記第１サブスクリプションイベントを決定するために使用され、相応して、前記目標サブスクリプションネットワーク要素の前記第１コールバックアドレス情報は、前記第１情報を更に含む。
【００２８】
可能な設計では、前記第１イベント通知ネットワーク要素により、前記第１サブスクリプションイベントについて、前記目標サブスクリプションネットワーク要素の前記対応する第１コールバックアドレス情報を生成する前記ステップの前に、本願の本実施形態で提供されるサブスクリプション更新方法は、前記第１イベント通知ネットワーク要素により、前記ソースサブスクリプションネットワーク要素が前記第１端末にサービスしないと決定するステップ、を更に含んでよい。
【００２９】
第１の態様、第３の態様、又は第４の態様によると、可能な設計では、前記第１イベント通知ネットワーク要素により、前記ソースサブスクリプションネットワーク要素が前記第１端末にサービスしないと決定する前記ステップは、前記第１イベント通知ネットワーク要素により、第２状態通知を前記ソースサブスクリプションネットワーク要素又は前記目標サブスクリプションネットワーク要素から受信するステップであって、前記第２状態通知は、前記ソースサブスクリプションネットワーク要素が前記第１端末にサービスしないことを通知するために使用される、ステップを含む。本ソリューションによると、第１イベント通知ネットワーク要素は、ソースサブスクリプションネットワーク要素が第１端末にサービスしないと決定できる。
【００３０】
第１の態様、第３の態様、又は第４の態様によると、可能な設計では、前記第１イベント通知ネットワーク要素により、前記ソースサブスクリプションネットワーク要素が前記第１端末にサービスしないと決定する前記ステップは、前記第１イベント通知ネットワーク要素により、前記第１サブスクリプションイベントの第３イベント通知を前記ソースサブスクリプションネットワーク要素へ前記第１端末に相関された前記ソースサブスクリプションネットワーク要素のコールバックアドレス情報に基づき送信するステップと、前記第１イベント通知ネットワーク要素により、前記ソースサブスクリプションネットワーク要素がアクセスできないと決定するステップと、を含む。本ソリューションによると、第１イベント通知ネットワーク要素は、ソースサブスクリプションネットワーク要素が第１端末にサービスしないと決定できる。
【００３１】
第５の態様によると、サブスクリプション更新方法が提供される。方法は、第１端末がソースサブスクリプションネットワーク要素から目標サブスクリプションネットワーク要素へ移動されるシナリオに適用される。前記方法は、前記目標サブスクリプションネットワーク要素により、第１メッセージを第１イベント通知ネットワーク要素から受信するステップであって、前記第１メッセージは、前記第１端末の識別子を伝達し、前記目標サブスクリプションネットワーク要素に前記第１端末のサブスクリプションを更新するよう要求するために使用される、ステップと、前記目標サブスクリプションネットワーク要素により、第２メッセージを前記第１イベント通知ネットワーク要素へ前記第１メッセージに基づき送信するステップであって、前記第２メッセージは、第１指示情報、及び前記第１サブスクリプションイベントに相関された、前記目標サブスクリプションネットワーク要素の第１コールバックアドレス情報を伝達し、前記第１指示情報は、前記第１サブスクリプションイベントを決定するために使用され、前記第１コールバックアドレス情報は、前記第１イベント通知ネットワーク要素により、前記第１サブスクリプションイベントの第１イベント通知を前記目標サブスクリプションネットワーク要素へ前記第１コールバックアドレス情報に基づき送信するために使用される、ステップと、を含む。第５の態様の技術的効果については、第３の態様の技術的効果を参照する。詳細はここで再び記載されない。
【００３２】
可能な設計では、本願の本実施形態で提供されるサブスクリプション更新方法は、前記目標サブスクリプションネットワーク要素により、第５メッセージを第２イベント通知ネットワーク要素へ送信するステップであって、前記第５メッセージは、第３指示情報、及び前記第１端末の第２サブスクリプションイベントに相関された、前記目標サブスクリプションネットワーク要素の第３コールバックアドレス情報を伝達し、前記第３指示情報は、前記第２サブスクリプションイベントを決定するために使用され、前記第３コールバックアドレスは、前記第２イベント通知ネットワーク要素により、前記第２サブスクリプションイベントの第４イベント通知を前記目標サブスクリプションネットワーク要素へ、前記第３コールバックアドレス情報に基づき送信するために使用される、ステップを更に含んでよい。言い換えると、本願の本実施形態において、第１端末がソースサブスクリプションネットワーク要素から目標サブスクリプションネットワーク要素へ移動されるシナリオにおいて、第１サブスクリプションイベントの通知条件を満たすことは、目標サブスクリプションネットワーク要素を、対応するイベント通知ネットワーク要素へ、第１端末の第１サブスクリプションイベント以外の、目標サブスクリプションネットワーク要素の残りのサブスクリプションイベントに相関されたコールバックアドレス情報を送信するようトリガしてもよい。このように、サブスクリプションイベントの通知条件が後に満たされた後に、対応するイベント通知ネットワーク要素は、対応するイベント通知を目標サブスクリプションネットワーク要素へ、サブスクリプションイベントに相関された、目標サブスクリプションネットワーク要素のコールバックアドレス情報に基づき直接送信してよい。これは、端末に現在サービスしている目標サブスクリプションネットワーク要素が、サブスクリプションイベントのイベント通知を適時学習できず、したがって、対応するサブスクリプションイベントを適時処理できないという問題を回避する。
【００３３】
可能な設計では、本願の本実施形態で提供されるサブスクリプション更新方法は、前記目標サブスクリプションネットワーク要素により、前記第１イベント通知ネットワーク要素のコールバックアドレス情報を前記ソースサブスクリプションネットワーク要素から受信するステップであって、前記第１イベント通知ネットワーク要素の前記コールバックアドレス情報は、前記第１端末の属する端末グループの状態変化通知を受信するために使用される、ステップと、前記目標サブスクリプションネットワーク要素により、前記状態変化通知を前記第１イベント通知ネットワーク要素へ前記第１イベント通知ネットワーク要素の前記コールバックアドレス情報に基づき送信するステップであって前記状態変化通知は、前記ソースサブスクリプションネットワーク要素が前記第１端末の属する前記端末グループの中の端末にサービスしないと通知するために使用される、ステップと、を更に含んでよい。本ソリューションによると、第１イベント通知ネットワーク要素は、ソースサブスクリプションネットワーク要素が第１端末の属する端末グループの中の端末にサービスしないと決定できる。
【００３４】
可能な設計では、本願の本実施形態で提供されるサブスクリプション更新方法は、前記目標サブスクリプションネットワーク要素により、第７メッセージをネットワークレポジトリ機能ネットワーク要素へ送信するステップであって、前記第７メッセージは、前記目標サブスクリプションネットワーク要素に関する情報、及び前記目標サブスクリプションネットワーク要素の第１サービスのアドレス情報を伝達する、ステップと、前記ネットワークレポジトリ機能ネットワーク要素により、前記目標サブスクリプションネットワーク要素に関する情報、及び前記目標サブスクリプションネットワーク要素の第１サービスのアドレス情報を格納するステップであって、前記第１サービスは、サブスクリプション更新を実行するよう前記目標サブスクリプションネットワーク要素をトリガするために使用される、ステップと、を更に含んでよい。
【００３５】
第３の態様又は第５の態様を参照して、可能な設計では、前記第１メッセージは、前記第１イベント通知ネットワーク要素により前記第１サブスクリプションイベントに割り当てられたサブスクリプション相関アイデンティティ、又は前記ソースサブスクリプションネットワーク要素により前記第１サブスクリプションイベントに割り当てられた第１通知相関アイデンティティを更に伝達し、前記サブスクリプション相関アイデンティティ又は前記第１通知相関アイデンティティのうちの少なくとも１つは前記第１サブスクリプションイベントを決定するために使用される。
【００３６】
第３の態様又は第５の態様を参照して、可能な設計では、前記第２メッセージは、前記目標サブスクリプションネットワーク要素により前記第１サブスクリプションイベントに割り当てられた第２通知相関アイデンティティを更に伝達し、相応して、前記第１コールバックアドレス情報は、前記第１イベント通知ネットワーク要素により、前記第２通知相関アイデンティティを、前記目標サブスクリプションネットワーク要素へ、前記第１コールバックアドレス情報に基づき送信するために更に使用される。
【００３７】
第１の態様、第２の態様、第３の態様、又は第５の態様を参照して、可能な設計では、前記第１指示情報は、前記第１イベント通知ネットワーク要素により前記第１サブスクリプションイベントに割り当てられたサブスクリプション相関アイデンティティ又は前記第１端末の識別子のうちの少なくとも１つを含む。
【００３８】
第６の態様によると、第１イベント通知ネットワーク要素が提供される。前記第１イベント通知ネットワーク要素は、第１の態様乃至第４の態様のいずれか１つによる方法を実施する機能を有する。機能は、ハードウェアにより実装されてよく、又は対応するソフトウェアを実行することによりハードウェアにより実装されてよい。ハードウェア又はソフトウェアは、機能に対応する１つ以上のモジュールを含む。
【００３９】
第７の態様によると、プロセッサとメモリとを含む第１イベント通知ネットワーク要素が提供される。メモリは、コンピュータ実行命令を格納するよう構成される。第１イベント通知ネットワーク要素が実行すると、プロセッサはメモリに格納されたコンピュータ実行可能命令を実行し、その結果、第１イベント通知ネットワーク要素は、第１の態様乃至第４の態様のいずれか１つによるサブスクリプション更新方法を実行する。
【００４０】
第８の態様によると、プロセッサを含む第１イベント通知ネットワーク要素が提供される。プロセッサは、メモリに結合され及びメモリ内の命令をリードした後に、該命令に従い、第１の態様乃至第４の態様のいずれか１つによるサブスクリプション更新方法を実行するよう構成される。
【００４１】
第９の態様によると、コンピュータ可読記憶媒体が提供される。コンピュータ可読記憶媒体は、命令を格納し、該命令がコンピュータで実行すると、該コンピュータは、第１の態様乃至第４の態様のいずれか１つによるサブスクリプション更新方法を実行可能にされ得る。
【００４２】
第１０の態様によると、命令を含むコンピュータプログラムプロダクトが提供される。コンピュータプログラムプロダクトがコンピュータで実行すると、該コンピュータは、第１の態様乃至第４の態様のいずれか１つによるサブスクリプション更新方法を実行可能にされ得る。
【００４３】
第１１の態様によると、チップシステムが提供される。チップシステムは、第１の態様乃至第４の態様のいずれか１つに含まれる機能を実施する際に、例えば第１端末の第１サブスクリプションイベントの通知条件が満たされると決定する際に、第１イベント通知ネットワーク要素をサポートするよう構成されるプロセッサを含む。可能な設計では、チップシステムはメモリを更に含む。メモリは、第１イベント通知ネットワーク要素のために必要なプログラム命令及びデータを格納するよう構成される。チップシステムは、チップを含んでよく、又はチップ及び別の個別素子を含んでよい。
【００４４】
第１２の態様によると、目標サブスクリプションネットワーク要素が提供される。目標サブスクリプションネットワーク要素は、第５の態様による方法を実施する機能を有する。機能は、ハードウェアにより実装されてよく、又は対応するソフトウェアを実行することによりハードウェアにより実装されてよい。ハードウェア又はソフトウェアは、機能に対応する１つ以上のモジュールを含む。
【００４５】
第１３の態様によると、プロセッサとメモリとを含む目標サブスクリプションネットワーク要素が提供される。メモリは、コンピュータ実行命令を格納するよう構成される。目標サブスクリプションネットワーク要素が実行すると、プロセッサは、メモリに格納されたコンピュータ実行可能命令を実行し、その結果、目標サブスクリプションネットワーク要素は、第５の態様によるサブスクリプション更新方法を実行する。
【００４６】
第１４の態様によると、プロセッサを含む目標サブスクリプションネットワーク要素が提供される。プロセッサは、メモリに結合され及びメモリ内の命令をリードした後に、該命令に従い、第５の態様によるサブスクリプション更新方法を実行するよう構成される。
【００４７】
第１５の態様によると、コンピュータ可読記憶媒体が提供される。コンピュータ可読記憶媒体は命令を格納する。命令がコンピュータ上で実行すると、該コンピュータは、第５の態様によるサブスクリプション更新方法を実行可能にされ得る。
【００４８】
第１６の態様によると、命令を含むコンピュータプログラムプロダクトが提供される。コンピュータプログラムプロダクトがコンピュータ上で実行すると、該コンピュータは、第５の態様によるサブスクリプション更新方法を実行可能にされ得る。
【００４９】
第１７の態様によると、チップシステムが提供される。チップシステムは、第５の態様に含まれる機能を実施する際に、例えば、目標サブスクリプションネットワーク要素の第１コールバックアドレス情報を取得する際に、目標サブスクリプションネットワーク要素をサポートするよう構成されるプロセッサを含む。可能な設計では、チップシステムはメモリを更に含む。メモリは、目標サブスクリプションネットワーク要素のために必要なプログラム命令及びデータを格納するよう構成される。チップシステムは、チップを含んでよく、又はチップ及び別の個別素子を含んでよい。
【００５０】
第１８の態様によると、サブスクリプション更新システムが提供され、第１端末がソースサブスクリプションネットワーク要素から目標サブスクリプションネットワーク要素へ移動されるシナリオに適用される。サブスクリプション更新システムは、第１イベント通知ネットワーク要素及び目標サブスクリプションネットワーク要素を含む。前記第１イベント通知ネットワーク要素は、前記第１端末の第１サブスクリプションイベントの通知条件が満たされると決定するよう構成される。前記第１イベント通知ネットワーク要素は、前記目標サブスクリプションネットワーク要素の第１コールバックアドレス情報を取得するよう更に構成される。前記第１イベント通知ネットワーク要素は、第１メッセージを前記目標サブスクリプションネットワーク要素へ前記第１コールバックアドレス情報に基づき送信するよう更に構成される。ここで、前記第１メッセージは、前記第１端末の識別子、及び前記第１サブスクリプションイベントの第１イベント通知を伝達し、前記第１端末の識別子は、前記第１イベント通知を前記第１端末に相関するために使用される。前記目標サブスクリプションネットワーク要素は、前記第１メッセージを前記第１イベント通知ネットワーク要素から受信するよう構成される。
【００５１】
可能な設計では、前記目標サブスクリプションネットワーク要素は、第２メッセージを、前記第１イベント通知ネットワーク要素へ送信するよう更に構成される。ここで、前記第２メッセージは、前記目標サブスクリプションネットワーク要素の第２コールバックアドレス情報及び第１指示情報を含み、前記第２コールバックアドレス情報は、前記第１サブスクリプションイベントに相関されたアドレス情報であり、前記第１指示情報は、前記第１サブスクリプションイベントを決定するために使用され、前記第２コールバックアドレス情報は、前記第１イベント通知ネットワーク要素により、前記第１サブスクリプションイベントの第２イベント通知を、前記目標サブスクリプションネットワーク要素へ、前記第２コールバックアドレス情報に基づき送信するために使用される。前記第１イベント通知ネットワーク要素は、前記第２メッセージを前記目標サブスクリプションネットワーク要素から受信するよう更に構成される。
【００５２】
可能な設計では、サブスクリプション更新システムは、ソースサブスクリプションネットワーク要素を更に含む。前記第１イベント通知ネットワーク要素は、サブスクリプション要求を前記ソースサブスクリプションネットワーク要素へ送信するよう構成される。ここで、前記サブスクリプション要求は、前記第１イベント通知ネットワーク要素のコールバックアドレス情報を伝達し、前記第１端末の属する端末グループの状態変化イベントをサブスクライブするために使用される。前記ソースサブスクリプションネットワーク要素は、前記第１端末の属する前記端末グループの中の端末にもはやサービスしないと決定した後に、第１状態通知を前記第１イベント通知ネットワーク要素へ、前記第１イベント通知ネットワーク要素の前記コールバックアドレス情報に基づき送信するよう構成される。ここで、前記第１状態通知は、前記目標サブスクリプションネットワーク要素の前記第１コールバックアドレス情報を伝達する。前記第１イベント通知ネットワーク要素は、前記第１状態通知を前記ソースサブスクリプションネットワーク要素から受信するよう更に構成される。相応して、前記第１イベント通知ネットワーク要素が、前記目標サブスクリプションネットワーク要素の第１コールバックアドレス情報を取得するよう更に構成されることは、前記第１イベント通知ネットワーク要素が、前記目標サブスクリプションネットワーク要素の前記第１コールバックアドレス情報を前記第１状態通知に基づき決定するよう更に構成されることを含む。
【００５３】
可能な設計では、前記サブスクリプション更新システムは、前記ソースサブスクリプションネットワーク要素を更に含む。前記第１イベント通知ネットワーク要素は、サブスクリプション要求を前記ソースサブスクリプションネットワーク要素へ送信するよう構成される。ここで、前記サブスクリプション要求は、前記第１イベント通知ネットワーク要素のコールバックアドレス情報を伝達し、前記第１端末の属する端末グループの状態変化イベントをサブスクライブするために使用される。前記ソースサブスクリプションネットワーク要素は、前記第１端末の属する前記端末グループの中の端末にもはやサービスしないと決定した後に、前記第１イベント通知ネットワーク要素のコールバックアドレス情報を、前記目標サブスクリプションネットワーク要素へ送信するよう構成される。ここで、前記第１イベント通知ネットワーク要素の前記コールバックアドレス情報は、前記第１端末の属する前記端末グループの状態変化通知を受信するために使用される。前記目標サブスクリプションネットワーク要素は、前記第１イベント通知ネットワーク要素の前記コールバックアドレス情報を、前記ソースサブスクリプションネットワーク要素から受信し、第１状態通知を前記第１イベント通知ネットワーク要素へ、前記第１イベント通知ネットワーク要素の前記コールバックアドレス情報に基づき送信するよう更に構成される。ここで、前記第１状態通知は、前記目標サブスクリプションネットワーク要素の前記第１コールバックアドレス情報を伝達する。前記第１イベント通知ネットワーク要素は、前記第１状態通知を前記目標サブスクリプションネットワーク要素から受信するよう更に構成される。相応して、前記第１イベント通知ネットワーク要素が、前記目標サブスクリプションネットワーク要素の第１コールバックアドレス情報を取得するよう更に構成されることは、前記第１イベント通知ネットワーク要素が、前記目標サブスクリプションネットワーク要素の前記第１コールバックアドレス情報を前記第１状態通知に基づき決定するよう更に構成されることを含む。
【００５４】
可能な設計では、前記サブスクリプション更新システムは、ネットワークレポジトリ機能ネットワーク要素を更に含む。前記第１イベント通知ネットワーク要素が、前記目標サブスクリプションネットワーク要素の第１コールバックアドレス情報を取得するよう更に構成されることは、前記第１イベント通知ネットワーク要素が、第４メッセージを、前記ネットワークレポジトリ機能ネットワーク要素へ送信し、前記第４メッセージは、第２指示情報と、以下：前記ソースサブスクリプションネットワーク要素により前記第１端末の属する前記端末グループに割り当てられた第１グループ識別子、前記第１グループ識別子に対応するサブスクリプションネットワーク要素セットのセット識別子、前記目標サブスクリプションネットワーク要素の識別子、又は前記目標サブスクリプションネットワーク要素の識別子及び前記第１グループ識別子、のうちのいずれか１つと、を伝達し、前記第２指示情報は、前記第４メッセージが前記目標サブスクリプションネットワーク要素の前記第１コールバックアドレス情報を要求するために使用されることを示すために使用され、前記目標サブスクリプションネットワーク要素の前記第１コールバックアドレス情報を、前記ネットワークレポジトリ機能ネットワーク要素から受信するよう更に構成されることを含む。前記ネットワークレポジトリ機能ネットワーク要素は、前記第４メッセージを前記第１イベント通知ネットワーク要素から受信し、前記目標サブスクリプションネットワーク要素の前記第１コールバックアドレス情報を前記第１イベント通知ネットワーク要素へ、前記目標サブスクリプションネットワーク要素の前記第１コールバックアドレス情報を前記第４メッセージに基づき決定した後に、送信するよう構成される。
【００５５】
可能な設計では、前記目標サブスクリプションネットワーク要素は、第７メッセージを前記ネットワークレポジトリ機能ネットワーク要素へ送信するよう更に構成される。ここで、前記第７メッセージは、前記ソースサブスクリプションネットワーク要素により前記第１端末の属する前記端末グループに割り当てられた前記第１グループ識別子、又は前記目標サブスクリプションネットワーク要素の前記識別子及び前記目標サブスクリプションネットワーク要素の前記対応する第１コールバックアドレス情報を伝達する。前記ネットワークレポジトリ機能ネットワーク要素は、前記第７メッセージを前記目標サブスクリプションネットワーク要素から受信し、前記第１グループ識別子又は前記目標サブスクリプションネットワーク要素の前記識別子及び前記目標サブスクリプションネットワーク要素の前記対応する第１コールバックアドレス情報を格納するよう更に構成される。
【００５６】
可能な設計では、前記サブスクリプション更新システムは、前記ソースサブスクリプションネットワーク要素を更に含む。前記第１イベント通知ネットワーク要素が、前記目標サブスクリプションネットワーク要素の第１コールバックアドレス情報を取得するよう更に構成されることは、前記第１イベント通知ネットワーク要素が、前記第１サブスクリプションイベントの第３イベント通知を、前記ソースサブスクリプションネットワーク要素へ、前記第１端末に相関された前記ソースサブスクリプションネットワーク要素のコールバックアドレス情報に基づき送信し、拒否メッセージを、前記ソースサブスクリプションネットワーク要素から受信するよう更に構成されることを含む。ここで、前記拒否メッセージは、前記目標サブスクリプションネットワーク要素の前記第１コールバックアドレス情報を伝達する。前記ソースサブスクリプションネットワーク要素は、前記第３イベント通知を前記第１イベント通知ネットワーク要素から受信し、前記拒否メッセージを前記第１イベント通知ネットワーク要素へ送信するよう構成される。
【００５７】
第１９の態様によると、サブスクリプション更新システムが提供され、第１端末がソースサブスクリプションネットワーク要素から目標サブスクリプションネットワーク要素へ移動されるシナリオに適用される。前記サブスクリプション更新システムは、第１イベント通知ネットワーク要素及び前記目標サブスクリプションネットワーク要素を含む。前記第１イベント通知ネットワーク要素は、前記第１端末の第１サブスクリプションイベントの通知条件が満たされると決定するよう構成される。前記第１イベント通知ネットワーク要素は、第１メッセージを、前記目標サブスクリプションネットワーク要素へ送信するよう更に構成される。ここで、前記第１メッセージは、前記第１端末の識別子を伝達し、前記目標サブスクリプションネットワーク要素に、前記第１端末のサブスクリプションを更新するよう要求するために使用される。前記目標サブスクリプションネットワーク要素は、前記第１メッセージを前記第１イベント通知ネットワーク要素から受信し、第２メッセージを前記第１イベント通知ネットワーク要素へ前記第１メッセージに基づき送信するよう構成される。ここで、前記第２メッセージは、第１指示情報、及び前記第１サブスクリプションイベントに相関された、前記目標サブスクリプションネットワーク要素の第１コールバックアドレス情報を伝達し、前記第１指示情報は、前記第１サブスクリプションイベントを決定するために使用され、前記第１コールバックアドレス情報は、前記第１イベント通知ネットワーク要素により、前記第１サブスクリプションイベントの第１イベント通知を前記目標サブスクリプションネットワーク要素へ、前記第１コールバックアドレス情報に基づき送信するために使用される。前記第１イベント通知ネットワーク要素は、前記第２メッセージを前記目標サブスクリプションネットワーク要素から受信するよう更に構成される。
【００５８】
可能な設計では、前記サブスクリプション更新システムは、第２イベント通知ネットワーク要素を更に含む。前記目標サブスクリプションネットワーク要素は、第５メッセージを前記第２イベント通知ネットワーク要素へ送信するよう更に構成される。ここで、前記第５メッセージは、第３指示情報、及び前記第１端末の第２サブスクリプションイベントに相関された、前記目標サブスクリプションネットワーク要素の第２コールバックアドレス情報を伝達し、前記第３指示情報は、前記第２サブスクリプションイベントを決定するために使用され、前記第２コールバックアドレスは、前記第２イベント通知ネットワーク要素により、前記第２サブスクリプションイベントの第４イベント通知を前記目標サブスクリプションネットワーク要素へ、前記第２コールバックアドレス情報に基づき送信するために使用される。前記第２イベント通知ネットワーク要素は、前記第５メッセージを前記目標サブスクリプションネットワーク要素から受信するよう更に構成される。
【００５９】
可能な設計では、前記サブスクリプション更新システムは、ネットワークレポジトリ機能ネットワーク要素を更に含む。前記第１イベント通知ネットワーク要素は、前記目標サブスクリプションネットワーク要素の第１サービスのアドレス情報を、前記ネットワークレポジトリ機能ネットワーク要素から取得するよう更に構成される。ここで、前記第１サービスは、前記目標サブスクリプションネットワーク要素を、サブスクリプション更新を開始するようトリガするために使用される。相応して、前記第１イベント通知ネットワーク要素が、第１メッセージを、前記目標サブスクリプションネットワーク要素へ送信するよう更に構成されることは、前記第１イベント通知ネットワーク要素が、前記第１メッセージを前記目標サブスクリプションネットワーク要素へ前記第１サービスの前記アドレス情報に基づき送信するよう更に構成されることを含む。
【００６０】
可能な設計では、前記第１イベント通知ネットワーク要素が、前記目標サブスクリプションネットワーク要素の第１サービスのアドレス情報をネットワークレポジトリ機能ネットワーク要素から取得するよう更に構成されることは、前記第１イベント通知ネットワーク要素が、第４メッセージを前記ネットワークレポジトリ機能ネットワーク要素へ送信し、前記第４メッセージは、前記目標サブスクリプションネットワーク要素に関する情報及び第２指示情報を伝達し、前記第２指示情報は、前記第４メッセージが前記目標サブスクリプションネットワーク要素の前記第１サービスの前記アドレス情報を要求するために使用されることを示すために使用され、前記第１サービスの前記アドレス情報を前記ネットワークレポジトリ機能ネットワーク要素から受信するよう更に構成されることを含む。前記ネットワークレポジトリ機能ネットワーク要素は、前記第４メッセージを前記第１イベント通知ネットワーク要素から受信し、前記第１サービスの前記アドレス情報を前記第１イベント通知ネットワーク要素へ、前記第１サービスの前記アドレス情報を前記第４メッセージに基づき決定した後に、送信するよう構成される。
【００６１】
可能な設計では、前記目標サブスクリプションネットワーク要素は、第７メッセージを前記ネットワークレポジトリ機能ネットワーク要素へ送信するよう更に構成される。ここで、前記第７メッセージは、前記目標サブスクリプションネットワーク要素に関する前記情報、及び前記目標サブスクリプションネットワーク要素の前記第１サービスの前記アドレス情報を伝達し、前記第１サービスは、サブスクリプション更新を開始するよう前記目標サブスクリプションネットワーク要素をトリガするために使用される。前記ネットワークレポジトリ機能ネットワーク要素は、前記第７メッセージを前記目標サブスクリプションネットワーク要素から受信し、前記目標サブスクリプションネットワーク要素に関する前記情報、及び前記目標サブスクリプションネットワーク要素の前記第１サービスの前記アドレス情報を格納するよう更に構成される。
【００６２】
第１８の態様又は第１９の態様を参照して、可能な設計では、サブスクリプション更新システムは、第２イベント通知ネットワーク要素を更に含む。前記目標サブスクリプションネットワーク要素は、第５メッセージを、前記第２イベント通知ネットワーク要素へ送信するよう更に構成される。ここで、前記第５メッセージは、前記目標サブスクリプションネットワーク要素の第３コールバックアドレス情報及び第３指示情報を伝達し、前記第３コールバックアドレス情報は、前記第１端末の第２サブスクリプションイベントに相関されたアドレス情報であり、前記第３指示情報は、前記第２サブスクリプションイベントを決定するために使用され、前記第３コールバックアドレス情報は、前記第２イベント通知ネットワーク要素により、前記第２サブスクリプションイベントの第４イベント通知を、前記目標サブスクリプションネットワーク要素へ、前記第３コールバックアドレス情報に基づき送信するために使用される。前記第２イベント通知ネットワーク要素は、前記第５メッセージを前記目標サブスクリプションネットワーク要素から受信するよう更に構成される。
【００６３】
第１８の態様又は第１９の態様を参照して、可能な設計では、前記サブスクリプション更新システムは、前記ソースサブスクリプションネットワーク要素及び非構造化データ記憶機能ネットワーク要素を更に含む。前記ソースサブスクリプションネットワーク要素は、前記第１端末の属する端末グループの中の端末にもはやサービスしないと決定した後に、前記非構造化データ記憶機能ネットワーク要素へ、前記第１端末の属する前記端末グループの中の前記端末のコンテキストを送信するよう構成される。ここで、前記第１端末の属する前記端末グループの中の前記端末の前記コンテキストは、前記第１端末のコンテキストを含み、前記第１端末の前記コンテキストは、前記第１サブスクリプションイベントに関する情報を含み、前記第１サブスクリプションイベントに関する前記情報は、前記第１指示情報を含む。前記非構造化データ記憶機能ネットワーク要素は、前記ソースサブスクリプションネットワーク要素から、前記第１端末の属する前記端末グループの中の前記端末の前記コンテキストを受信し格納するよう構成される。前記目標サブスクリプションネットワーク要素は、前記第１端末の前記コンテキストを前記非構造化データ記憶機能ネットワーク要素から取得するよう更に構成される。
【００６４】
第１８の態様又は第１９の態様を参照して、可能な設計では、前記サブスクリプション更新システムは、前記ソースサブスクリプションネットワーク要素を更に含む。前記ソースサブスクリプションネットワーク要素は、前記第１端末の属する端末グループの中の端末にもはやサービスしないと決定した後に、前記目標サブスクリプションネットワーク要素へ、前記第１端末の属する前記端末グループの中の前記端末のコンテキストを送信するよう構成される。ここで、前記第１端末の属する前記端末グループの中の端末の前記コンテキストは、前記第１端末のコンテキストを含み、前記第１端末の前記コンテキストは、前記第１サブスクリプションイベントに関する情報を含み、前記第１サブスクリプションイベントに関する前記情報は、前記第１指示情報を含む。前記目標サブスクリプションネットワーク要素は、前記ソースサブスクリプションネットワーク要素から、前記第１端末の属する前記端末グループの中の前記端末の前記コンテキストを受信し格納するよう構成される。
【００６５】
第１８の態様又は第１９の態様のいずれかの設計方法の技術的効果については、第１の態様、第２の態様、第３の態様、又は第５の態様の異なる設計方法の技術的効果を参照する。詳細はここで再び記載されない。
【００６６】
第２０の態様によると、サブスクリプション更新システムが提供され、第１端末がソースサブスクリプションネットワーク要素から目標サブスクリプションネットワーク要素へ移動されるシナリオに適用される。前記サブスクリプション更新システムは、第１イベント通知ネットワーク要素及び前記目標サブスクリプションネットワーク要素を含む。前記第１イベント通知ネットワーク要素は、前記第１端末の第１サブスクリプションイベントの通知条件が満たされると決定するよう構成される。前記第１イベント通知ネットワーク要素は、前記第１サブスクリプションイベントについて、前記目標サブスクリプションネットワーク要素の対応する第１コールバックアドレス情報を生成し、前記第１サブスクリプションイベントの第１イベント通知を前記目標サブスクリプションネットワーク要素へ前記第１コールバックアドレス情報に基づき送信するよう構成される。前記目標サブスクリプションネットワーク要素は、前記第１イベント通知を前記第１イベント通知ネットワーク要素から受信するよう更に構成される。
【００６７】
可能な設計では、本願の本実施形態で提供されるサブスクリプション更新システムは、前記ソースサブスクリプションネットワーク要素を更に含んでよい。前記ソースサブスクリプションネットワーク要素は、サブスクリプション要求を第１イベント通知ネットワーク要素へ送信するよう構成される。ここで、前記サブスクリプション要求は、前記第１サブスクリプションイベントに対応する前記ソースサブスクリプションネットワーク要素の第１コールバックアドレス情報を伝達し、前記ソースサブスクリプションネットワーク要素の前記第１コールバックアドレス情報は、前記ソースサブスクリプションネットワーク要素に関する情報を含む。前記第１イベント通知ネットワーク要素は、前記サブスクリプション要求を前記ソースサブスクリプションネットワーク要素から受信するよう構成される。相応して、前記第１イベント通知ネットワーク要素が、前記第１サブスクリプションイベントについて、前記目標サブスクリプションネットワーク要素の対応する第１コールバックアドレス情報を生成するよう構成されることは、前記第１イベント通知ネットワーク要素が、前記第１サブスクリプションイベントについて、前記目標サブスクリプションネットワーク要素の前記対応する第１コールバックアドレス情報を、前記サブスクリプション要求の中で伝達される、前記第１サブスクリプションイベントに対応する前記ソースサブスクリプションネットワーク要素の前記第１コールバックアドレス情報に基づき生成するよう構成されることを含む。ここで、前記目標サブスクリプションネットワーク要素の前記第１コールバックアドレス情報は、前記目標サブスクリプションネットワーク要素に関する情報を含む。
【００６８】
第２０の態様のいずれかの設計方法の技術的効果については、第４の態様の異なる設計方法の技術的効果を参照する。詳細はここで再び記載されない。
【図面の簡単な説明】
【００６９】
【図１】本願の一実施形態によるサブスクリプション更新システムの概略構造図である。
【００７０】
【図２】本願の一実施形態による５Ｇネットワークにおけるサブスクリプション更新システムの概略適用図である。
【００７１】
【図３】本願の一実施形態による通信装置のハードウェア構造の概略図である。
【００７２】
【図４】本願の一実施形態によるサブスクリプション更新方法の概略フローチャート１である。
【００７３】
【図５】本願の一実施形態によるサブスクリプション更新方法の概略フローチャート２である。
【００７４】
【図６】本願の一実施形態によるサブスクリプション更新方法の概略フローチャート３である。
【００７５】
【図７】本願の一実施形態によるサブスクリプション更新方法の概略フローチャート４である。
【００７６】
【図８】本願の一実施形態によるサブスクリプション更新方法の概略フローチャート５である。
【００７７】
【図９】本願の一実施形態によるサブスクリプション更新方法の概略フローチャート６である。
【００７８】
【図１０】本願の一実施形態による第１イベント通知ネットワーク要素の概略構造図である。
【００７９】
【図１１】本願の一実施形態による目標サブスクリプションネットワーク要素の概略構造図である。
【発明を実施するための形態】
【００８０】
以下は、本願の実施形態における技術的ソリューションを、本願の実施形態における添付の図面を参照して記載する。本願の記載において、特に指定されない限り、「／」は「又は」を意味する。例えば、Ａ／Ｂは、Ａ又はＢを表し得る。本願明細書において、「及び／又は」は、関連するオブジェクトを説明するための関連付け関係のみを記載し、３つの関係が存在し得ることを表す。例えば、Ａ及び／又はＢは、以下の３つの場合を表し得る。Ａのみが存在する、ＡとＢの両方が存在する、並びに、Ｂのみが存在する。さらに、特に指定されない限り、本願の記載において、「複数の」は２以上を意味する。さらに、本願の実施形態における技術的ソリューションを明確に記載するために、「第１」及び「第２」のような用語は、同じアイテム又は基本的に同じ機能及び使用法を有する同様のアイテムの間を区別するために、本願の実施形態において使用される。当業者は、「第１」及び「第２」のような用語が、量又は実行順序を限定することを意図しないこと、及び「第１」及び「第２」のような用語が、決定的な違いを示さないことを理解し得る。
【００８１】
さらに、本願の実施形態において記載されるネットワークアーキテクチャ及びサービスシナリオは、本願の実施形態における技術的ソリューションをより明確に説明することを目的とするものであり、本願の実施形態において提供される技術的ソリューションを限定することを意図しない。当業者は、ネットワークアーキテクチャが進化し及び新しいサービスシナリオが出現するとき、本願の実施形態において提供される技術的ソリューションが同様の技術的問題にも適用可能であることを理解し得る。
【００８２】
図１は、本願の一実施形態によるサブスクリプション更新システム１０を示す。サブスクリプション更新システム１０は、第１イベント通知ネットワーク要素１０１及び目標サブスクリプションネットワーク要素１０２を含み、第１端末がソースサブスクリプションネットワーク要素から目標サブスクリプションネットワーク要素１０２へ移動されるシナリオに適用されてよい。
【００８３】
以下の可能なソリューションは、図１に示したサブスクリプション更新システムに基づき提供され得る。
【００８４】
ソリューション１
第１イベント通知ネットワーク要素１０１は、第１端末の第１サブスクリプションイベントの通知条件が満たされると決定し、目標サブスクリプションネットワーク要素１０２の第１コールバックアドレス情報を取得し、第１メッセージを目標サブスクリプションネットワーク要素へ第１コールバックアドレス情報に基づき送信し、第１メッセージは、第１端末の識別子及び第１サブスクリプションイベントの第１イベント通知を伝達し、第１端末の識別子は、第１イベント通知を第１端末に相関するために使用される、よう構成される。
【００８５】
目標サブスクリプションネットワーク要素１０２は、第１メッセージを第１イベント通知ネットワーク要素１０１から受信するよう構成される。
【００８６】
任意で、本願の本実施形態における第１コールバックアドレス情報は、第１端末の属する端末グループに相関されたアドレス情報、つまり、端末グループの粒度のアドレス情報であってよい。本願の本実施形態における第１コールバックアドレス情報は、目標サブスクリプションネットワーク要素に相関されたアドレス情報、つまり、目標サブスクリプションネットワーク要素の粒度のアドレス情報であってよい。これは、本願の本実施形態において具体的に限定されない。
【００８７】
本願の本実施形態で提供されるサブスクリプション更新システムによると、第１端末がソースサブスクリプションネットワーク要素から目標サブスクリプションネットワーク要素へ移動されるシナリオにおいて、第１イベント通知ネットワーク要素は、目標サブスクリプションネットワーク要素の第１コールバックアドレス情報を取得し、第１イベント通知及び第１端末の識別子を目標サブスクリプションネットワーク要素へ目標サブスクリプションネットワーク要素の第１コールバックアドレス情報に基づき送信してよい。ここで、第１端末の識別子は、第１イベント通知を第１端末に相関するために使用される。このように、目標サブスクリプションネットワーク要素は、第１サブスクリプションイベントのイベント通知を、第１端末の識別子及び第１イベント通知に基づき及び第１コールバックアドレス情報を参照して、適時学習できる。したがって、本願の実施形態におけるサブスクリプション更新システムによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００８８】
任意で、前述のソリューション１によると、本願の本実施形態では、目標サブスクリプションネットワーク要素１０２は、第２メッセージを第１イベント通知ネットワーク要素１０１へ送信するよう更に構成される。ここで、第２メッセージは、第１指示情報、及び第１端末の第１サブスクリプションイベントに相関された、目標サブスクリプションネットワーク要素の第２コールバックアドレス情報を伝達し、第１指示情報は、第１サブスクリプションイベントを決定するために使用され、第２コールバックアドレス情報は、第１イベント通知ネットワーク要素により、第１サブスクリプションイベントの第２イベント通知を目標サブスクリプションネットワーク要素へ、第２コールバックアドレス情報に基づき送信するために使用される。
【００８９】
言い換えると、本願の本実施形態において、端末がソースサブスクリプションネットワーク要素から目標サブスクリプションネットワーク要素へ移動されるシナリオにおいて、第１イベント通知ネットワーク要素は、第１サブスクリプションイベントに対応する目標サブスクリプションネットワーク要素の第２コールバックアドレス情報、つまりサブスクリプションイベントの粒度のアドレス情報を取得してよく、更に、第２イベント通知を目標サブスクリプションネットワーク要素へ第２コールバックアドレス情報に基づき送信してよい。このように、目標サブスクリプションネットワーク要素は、第１サブスクリプションイベントのイベント通知を、第２イベント通知に基づき及び第２コールバックアドレス情報を参照して、適時学習できる。したがって、本願の実施形態におけるサブスクリプション更新システムによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【００９０】
任意で、前述のソリューション１によると、一実装では、図１に示すように、本願の本実施形態で提供されるサブスクリプション更新システム１０は、ソースサブスクリプションネットワーク要素１０４を更に含んでよい。
【００９１】
可能な実装では、第１イベント通知ネットワーク要素１０１は、サブスクリプション要求をソースサブスクリプションネットワーク要素１０４へ送信するよう構成される。ここで、サブスクリプション要求は、第１イベント通知ネットワーク要素のコールバックアドレス情報を伝達し、第１端末の属する端末グループの状態変化イベントをサブスクライブするために使用される。
【００９２】
ソースサブスクリプションネットワーク要素１０４は、第１端末の属する端末グループの中の端末にもはやサービスしないと決定した後に、第１状態通知を第１イベント通知ネットワーク要素へ、第１イベント通知ネットワーク要素１０１のコールバックアドレス情報に基づき送信するよう構成される。ここで、第１状態通知は、目標サブスクリプションネットワーク要素１０２の第１コールバックアドレス情報を伝達する。
【００９３】
第１イベント通知ネットワーク要素１０１は、第１状態通知をソースサブスクリプションネットワーク要素１０４から受信するよう更に構成される。
【００９４】
相応して、第１イベント通知ネットワーク要素１０１が、目標サブスクリプションネットワーク要素１０２の第１コールバックアドレス情報を取得するよう更に構成されることは、第１イベント通知ネットワーク要素１０１が、目標サブスクリプションネットワーク要素１０２の第１コールバックアドレス情報を第１状態通知に基づき決定するよう更に構成されることを含む。
【００９５】
代替として、別の可能な実装では、第１イベント通知ネットワーク要素１０１は、サブスクリプション要求をソースサブスクリプションネットワーク要素１０４へ送信するよう構成される。ここで、サブスクリプション要求は、第１イベント通知ネットワーク要素のコールバックアドレス情報を伝達し、第１端末の属する端末グループの状態変化イベントをサブスクライブするために使用される。
【００９６】
ソースサブスクリプションネットワーク要素１０４は、第１端末の属する端末グループの中の端末にもはやサービスしないと決定した後に、第１イベント通知ネットワーク要素のコールバックアドレス情報を、目標サブスクリプションネットワーク要素１０２へ送信するよう構成される。ここで、第１イベント通知ネットワーク要素のコールバックアドレス情報は、第１端末の属する端末グループの状態変化通知を受信するために使用される。
【００９７】
目標サブスクリプションネットワーク要素１０２は、第１イベント通知ネットワーク要素１０１のコールバックアドレス情報を、ソースサブスクリプションネットワーク要素１０４から受信し、第１状態通知を第１イベント通知ネットワーク要素１０１へ、第１イベント通知ネットワーク要素のコールバックアドレス情報に基づき送信するよう更に構成される。ここで、第１状態通知は、目標サブスクリプションネットワーク要素１０２の第１コールバックアドレス情報を伝達する。
【００９８】
第１イベント通知ネットワーク要素１０１は、第１状態通知を目標サブスクリプションネットワーク要素１０２から受信するよう更に構成される。
【００９９】
相応して、第１イベント通知ネットワーク要素１０１が、目標サブスクリプションネットワーク要素の第１コールバックアドレス情報を取得するよう更に構成されることは、第１イベント通知ネットワーク要素１０１が、目標サブスクリプションネットワーク要素の第１コールバックアドレス情報を第１状態通知に基づき決定するよう更に構成されることを含む。
【０１００】
代替として、更に別の可能な実装では、第１イベント通知ネットワーク要素１０１が、目標サブスクリプションネットワーク要素１０２の第１コールバックアドレス情報を取得するよう更に構成されることは、第１イベント通知ネットワーク要素１０１が、第１サブスクリプションイベントの第３イベント通知を、ソースサブスクリプションネットワーク要素１０４へ、第１端末に相関されたソースサブスクリプションネットワーク要素１０４のコールバックアドレス情報に基づき送信し、拒否メッセージを、ソースサブスクリプションネットワーク要素１０４から受信するよう更に構成されることを含む。ここで、拒否メッセージは、目標サブスクリプションネットワーク要素１０２の第１コールバックアドレス情報を伝達する。
【０１０１】
ソースサブスクリプションネットワーク要素１０４は、第３イベント通知を第１イベント通知ネットワーク要素１０１から受信し、拒否メッセージを第１イベント通知ネットワーク要素１０１へ送信するよう構成される。
【０１０２】
任意で、前述のソリューション１によると、別の実装では、図１に示すように、本願の本実施形態で提供されるサブスクリプション更新システムは、ネットワークレポジトリ機能ネットワーク要素１０５を更に含む。
【０１０３】
第１イベント通知ネットワーク要素１０１が、目標サブスクリプションネットワーク要素１０２の第１コールバックアドレス情報を取得するよう更に構成されることは、第１イベント通知ネットワーク要素１０１が、第４メッセージを、ネットワークレポジトリ機能ネットワーク要素１０５へ送信し、第４メッセージは、第２指示情報と、以下：ソースサブスクリプションネットワーク要素により第１端末の属する端末グループに割り当てられた第１グループ識別子、第１グループ識別子に対応するサブスクリプションネットワーク要素セットのセット識別子、目標サブスクリプションネットワーク要素１０２の識別子、又は目標サブスクリプションネットワーク要素１０２の識別子及び第１グループ識別子、のうちのいずれか１つと、を伝達し、第２指示情報は、第４メッセージが目標サブスクリプションネットワーク要素１０２の第１コールバックアドレス情報を要求するために使用されることを示すために使用され、目標サブスクリプションネットワーク要素１０２の第１コールバックアドレス情報を、ネットワークレポジトリ機能ネットワーク要素１０５から受信するよう更に構成されることを含む。
【０１０４】
ネットワークレポジトリ機能ネットワーク要素１０５は、第４メッセージを第１イベント通知ネットワーク要素１０１から受信し、目標サブスクリプションネットワーク要素の第１コールバックアドレス情報を第１イベント通知ネットワーク要素１０１へ、目標サブスクリプションネットワーク要素の第１コールバックアドレス情報を第４メッセージに基づき決定した後に、送信するよう構成される。
【０１０５】
ソリューション２
第１イベント通知ネットワーク要素１０１は、第１端末の第１サブスクリプションイベントの通知条件が満たされると決定し、第１メッセージを目標サブスクリプションネットワーク要素１０２へ送信するよう構成される。ここで、第１メッセージは、第１端末の識別子を伝達し、目標サブスクリプションネットワーク要素１０２に第１端末のサブスクリプションを更新するよう要求するために使用される。
【０１０６】
目標サブスクリプションネットワーク要素１０２は、第１メッセージを第１イベント通知ネットワーク要素１０１から受信し、第２メッセージを第１イベント通知ネットワーク要素１０１へ第１メッセージに基づき送信するよう構成される。ここで、第２メッセージは、第１指示情報、及び第１サブスクリプションイベントに相関された、目標サブスクリプションネットワーク要素１０２の第１コールバックアドレス情報を伝達し、第１指示情報は、第１サブスクリプションイベントを決定するために使用され、第１コールバックアドレス情報は、第１イベント通知ネットワーク要素１０１により、第１サブスクリプションイベントの第１イベント通知を目標サブスクリプションネットワーク要素１０２へ、第１コールバックアドレス情報に基づき送信するために使用される。
【０１０７】
第１イベント通知ネットワーク要素１０１は、第２メッセージを目標サブスクリプションネットワーク要素から受信するよう更に構成される。
【０１０８】
本願の本実施形態で提供されるサブスクリプション更新システムによると、第１端末がソースサブスクリプションネットワーク要素から目標サブスクリプションネットワーク要素へ移動されるシナリオにおいて、第１イベント通知ネットワーク要素は、第１サブスクリプションイベントに相関された目標サブスクリプションネットワーク要素の第１コールバックアドレス情報を取得し、第１イベント通知を目標サブスクリプションネットワーク要素へ目標サブスクリプションネットワーク要素の第１コールバックアドレス情報に基づき送信してよい。このように、目標サブスクリプションネットワーク要素は、第１サブスクリプションイベントのイベント通知を、第１イベント通知に基づき及び第１コールバックアドレス情報を参照して、適時学習できる。したがって、本願の実施形態におけるサブスクリプション更新システムによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【０１０９】
任意で、前述のソリューション２によると、図１に示すように、本願の本実施形態で提供されるサブスクリプション更新システム１０は、ネットワークレポジトリ機能ネットワーク要素１０５を更に含む。
【０１１０】
第１イベント通知ネットワーク要素１０１は、目標サブスクリプションネットワーク要素１０２の第１サービスのアドレス情報を、ネットワークレポジトリ機能ネットワーク要素１０５から取得するよう更に構成される。ここで、第１サービスは、目標サブスクリプションネットワーク要素１０２を、サブスクリプション更新を開始するようトリガするために使用される。
【０１１１】
相応して、第１イベント通知ネットワーク要素１０１が、第１メッセージを、目標サブスクリプションネットワーク要素１０２へ送信するよう更に構成されることは、第１イベント通知ネットワーク要素１０１が、第１メッセージを目標サブスクリプションネットワーク要素１０２へ第１サービスのアドレス情報に基づき送信するよう更に構成されることを含む。
【０１１２】
任意で、前述のソリューション１又はソリューション２によると、図１に示すように、本願の本実施形態におけるサブスクリプション更新システム１０は、第２イベント通知ネットワーク要素１０３を更に含んでよい。
【０１１３】
目標サブスクリプションネットワーク要素１０２は、第５メッセージを第２イベント通知ネットワーク要素１０３へ送信するよう更に構成される。ここで、第５メッセージは、第３指示情報、及び第１端末の第２サブスクリプションイベントに相関された、目標サブスクリプションネットワーク要素の第３コールバックアドレス情報を伝達し、第３指示情報は、第２サブスクリプションイベントを決定するために使用され、第３コールバックアドレスは、第２イベント通知ネットワーク要素１０３により、第２サブスクリプションイベントの第４イベント通知を目標サブスクリプションネットワーク要素１０２へ、第３コールバックアドレス情報に基づき送信するために使用される。
【０１１４】
第２イベント通知ネットワーク要素１０３は、第５メッセージを目標サブスクリプションネットワーク要素１０２から受信するよう構成される。
【０１１５】
言い換えると、本願の本実施形態において、第１端末がソースサブスクリプションネットワーク要素から目標サブスクリプションネットワーク要素へ移動されるシナリオにおいて、第１サブスクリプションイベントの通知条件を満たすことは、目標サブスクリプションネットワーク要素を、対応するイベント通知ネットワーク要素へ、第１端末の第１サブスクリプションイベント以外の、目標サブスクリプションネットワーク要素の残りのサブスクリプションイベントに相関されたコールバックアドレス情報を送信するようトリガしてもよい。このように、サブスクリプションイベントの通知条件が後に満たされた後に、対応するイベント通知ネットワーク要素は、対応するイベント通知を目標サブスクリプションネットワーク要素へ、サブスクリプションイベントに相関された、目標サブスクリプションネットワーク要素のコールバックアドレス情報に基づき直接送信してよい。これは、端末に現在サービスしている目標サブスクリプションネットワーク要素が、サブスクリプションイベントのイベント通知を適時学習できず、したがって、対応するサブスクリプションイベントを適時処理できないという問題を回避する。
【０１１６】
任意で、前述のソリューション１又はソリューション２によると、一実装では、図１に示すように、本願の本実施形態で提供されるサブスクリプション更新システムは、ソースサブスクリプションネットワーク要素１０４及び非構造化データ記憶機能ネットワーク要素１０６を更に含んでよい。
【０１１７】
ソースサブスクリプションネットワーク要素１０４は、第１端末の属する端末グループの中の端末にもはやサービスしないと決定した後に、非構造化データ記憶機能ネットワーク要素１０６へ、第１端末の属する端末グループの中の端末のコンテキストを送信するよう構成される。ここで、第１端末の属する端末グループの中の端末のコンテキストは、第１端末のコンテキストを含み、第１端末のコンテキストは、第１サブスクリプションイベントに関する情報を含み、第１サブスクリプションイベントに関する情報は、第１指示情報を含む。
【０１１８】
非構造化データ記憶機能ネットワーク要素１０６は、ソースサブスクリプションネットワーク要素１０４から、第１端末の属する端末グループの中の端末のコンテキストを受信し格納するよう構成される。
【０１１９】
目標サブスクリプションネットワーク要素１０２は、第１端末のコンテキストを非構造化データ記憶機能ネットワーク要素１０６から取得するよう更に構成される。
【０１２０】
任意で、前述のソリューション１又はソリューション２によると、別の実装では、図１に示すように、本願の本実施形態で提供されるサブスクリプション更新システムは、ソースサブスクリプションネットワーク要素１０４を更に含んでよい。
【０１２１】
ソースサブスクリプションネットワーク要素１０４は、第１端末の属する端末グループの中の端末にもはやサービスしないと決定した後に、目標サブスクリプションネットワーク要素へ、第１端末の属する端末グループの中の端末のコンテキストを送信するよう構成される。ここで、第１端末の属する端末グループの中の端末のコンテキストは、第１端末のコンテキストを含み、第１端末のコンテキストは、第１サブスクリプションイベントに関する情報を含み、第１サブスクリプションイベントに関する情報は、第１指示情報を含む。
【０１２２】
目標サブスクリプションネットワーク要素１０２は、ソースサブスクリプションネットワーク要素から、第１端末の属する端末グループの中の端末のコンテキストを受信し格納するよう構成される。
【０１２３】
前述のソリューションによると、目標サブスクリプションネットワーク要素は、第１指示情報を取得できる。
【０１２４】
ソリューション３
第１イベント通知ネットワーク要素１０１は、第１端末の第１サブスクリプションイベントの通知条件が満たされると決定し、第１サブスクリプションイベントについて、目標サブスクリプションネットワーク要素１０２の対応する第１コールバックアドレス情報を生成し、第１サブスクリプションイベントの第１イベント通知を目標サブスクリプションネットワーク要素１０２へ第１コールバックアドレス情報に基づき送信するよう構成される。
【０１２５】
目標サブスクリプションネットワーク要素１０２は、第１イベント通知を第１イベント通知ネットワーク要素１０１から受信するよう更に構成される。
【０１２６】
本願の本実施形態で提供されるサブスクリプション更新システムによると、第１端末がソースサブスクリプションネットワーク要素から目標サブスクリプションネットワーク要素へ移動されるシナリオにおいて、第１イベント通知ネットワーク要素は、第１サブスクリプションイベントについて、目標サブスクリプションネットワーク要素の対応する第１コールバックアドレス情報を生成し、第１イベント通知を目標サブスクリプションネットワーク要素へ第１コールバックアドレス情報に基づき送信してよい。このように、目標サブスクリプションネットワーク要素は、第１サブスクリプションイベントのイベント通知を、第１イベント通知に基づき及び第１コールバックアドレス情報を参照して、適時学習できる。したがって、本願の実施形態におけるサブスクリプション更新システムによると、端末がソースサブスクリプションネットワーク要素から目標サブスクリプションネットワーク要素へ移動されるシナリオで、目標サブスクリプションネットワーク要素は、対応するサブスクリプションイベントを適時処理するために、サブスクリプションイベントのイベント通知を適時学習できる。
【０１２７】
任意で、前述のソリューション３によると、図１に示すように、本願の本実施形態で提供されるサブスクリプション更新システム１０は、ソースサブスクリプションネットワーク要素１０４を更に含んでよい。
【０１２８】
ソースサブスクリプションネットワーク要素１０４は、サブスクリプション要求を第１イベント通知ネットワーク要素１０１へ送信するよう構成される。ここで、サブスクリプション要求は、第１サブスクリプションイベントに対応するソースサブスクリプションネットワーク要素１０４の第１コールバックアドレス情報を伝達し、ソースサブスクリプションネットワーク要素１０４の第１コールバックアドレス情報は、ソースサブスクリプションネットワーク要素に関する情報を含む。
【０１２９】
第１イベント通知ネットワーク要素１０１は、サブスクリプション要求をソースサブスクリプションネットワーク要素１０４から受信するよう構成される。
【０１３０】
相応して、第１イベント通知ネットワーク要素１０１が、第１サブスクリプションイベントについて、目標サブスクリプションネットワーク要素の対応する第１コールバックアドレス情報を生成するよう構成されることは、第１イベント通知ネットワーク要素１０１が、第１サブスクリプションイベントについて、目標サブスクリプションネットワーク要素１０２の対応する第１コールバックアドレス情報を、サブスクリプション要求の中で伝達される、第１サブスクリプションイベントに対応するソースサブスクリプションネットワーク要素１０４の第１コールバックアドレス情報に基づき生成するよう構成されることを含む。ここで、目標サブスクリプションネットワーク要素１０２の第１コールバックアドレス情報は、目標サブスクリプションネットワーク要素１０２に関する情報を含む。
【０１３１】
前述のソリューションによると、第１イベント通知ネットワーク要素は、第１サブスクリプションイベントについて、目標サブスクリプションネットワーク要素の対応する第１コールバックアドレス情報を生成できる。
【０１３２】
任意で、図１の第１イベント通知ネットワーク要素１０１、ソースサブスクリプションネットワーク要素１０４、及び目標サブスクリプションネットワーク要素１０２は、互いに直接通信してよく、又は別の装置による転送を通じて互いに通信してよい。これは、本願の本実施形態において具体的に限定されない。
【０１３３】
任意で、図１の非構造化データ記憶機能ネットワーク要素１０６、目標サブスクリプションネットワーク要素１０２、及びソースサブスクリプションネットワーク要素１０４のうちの２つは、互いに直接通信してよく、又は別の装置による転送を通じて互いに通信してよい。これは、本願の本実施形態において具体的に限定されない。
【０１３４】
任意で、図１の目標サブスクリプションネットワーク要素１０２、及び第２イベント通知ネットワーク要素１０３は、互いに直接通信してよく、又は別の装置による転送を通じて互いに通信してよい。これは、本願の本実施形態において具体的に限定されない。
【０１３５】
任意で、図１の第１イベント通知ネットワーク要素１０１、及びネットワークレポジトリ機能ネットワーク要素１０５は、互いに直接通信してよく、又は別の装置による転送を通じて互いに通信してよい。これは、本願の本実施形態において具体的に限定されない。
【０１３６】
任意で、図１に示すサブスクリプション更新システム１０は、現在の第５世代（５th  generation、５G）ネットワーク及び別の将来のネットワークに適用されてよい。これは、本発明の本実施形態において具体的に限定されない。
【０１３７】
例えば、図１に示すサブスクリプション更新システム１０は現在の５Ｇネットワークに適用され得ると仮定すると、図２に示すように、前述のソースサブスクリプションネットワーク要素に対応するネットワーク要素又はエンティティは、５ＧネットワークにおけるソースＡＭＦネットワーク要素であってよく、前述の目標サブスクリプションネットワーク要素に対応するネットワーク要素又はエンティティは、５Ｇネットワークにおける目標ＡＭＦネットワーク要素であってよく、前述の第１イベント通知ネットワーク要素又は第２イベント通知ネットワーク要素に対応するネットワーク要素又はエンティティは、５ＧネットワークにおけるＳＭＦネットワーク要素、ＵＤＭネットワーク要素、若しくはＰＣＦネットワーク要素であってよく、前述のネットワークレポジトリ機能ネットワーク要素に対応するネットワーク要素又はエンティティは、５Ｇネットワークにおけるネットワーク機能レポジトリ機能（network  function  repository  function、NRF）ネットワーク要素であってよく、前述の非構造化データ記憶機能ネットワーク要素に対応するネットワーク要素又はエンティティは、５Ｇネットワークにおける非構造化データ記憶機能（unstructured  data  storage  function、UDSF）ネットワーク要素であってよい。
【０１３８】
さらに、図示しないが、５Ｇネットワークは、認証サーバ機能（authentication  server  function、AUSF）ネットワーク要素、ユーザプレーン機能（user  plane  function、UPF）ネットワーク要素、等を更に含んでよい。これは、本願の本実施形態において具体的に限定されない。
【０１３９】
図２に示すように、本願の本実施形態では、端末は５Ｇコアネットワークにアクセス装置を通じてアクセスする。端末は、ソースＡＭＦネットワーク要素及び目標ＡＭＦネットワーク要素の各々と、次世代ネットワーク（Next  generation、N）１インタフェース（略称：Ｎ１）を通じて通信する。アクセス装置は、ソースＡＭＦネットワーク要素及び目標ＡＭＦネットワーク要素の各々と、Ｎ２インタフェース（略称：Ｎ２）を通じて通信する。ソースＡＭＦネットワーク要素及び目標ＡＭＦネットワーク要素はそれぞれ、ＳＭＦネットワーク要素とＮ１１インタフェース（略称：Ｎ１１）を通じて通信する。ソースＡＭＦネットワーク要素及び目標ＡＭＦネットワーク要素はそれぞれ、ＵＤＭネットワーク要素とＮ８インタフェース（略称：Ｎ８）を通じて通信する。ソースＡＭＦネットワーク要素及び目標ＡＭＦネットワーク要素はそれぞれ、ＵＤＳＦネットワーク要素とＮ１８インタフェース（略称：Ｎ１８）を通じて通信する。ソースＡＭＦネットワーク要素は、目標ＡＭＦネットワーク要素とＮ１４インタフェース（略称：Ｎ１４）を通じて通信する。ＳＭＦネットワーク要素は、ＰＣＦネットワーク要素とＮ７インタフェース（略称：Ｎ７）を通じて通信する。ＰＣＦネットワーク要素は、ＮＲＦネットワーク要素とＮｎｒｆサービスベースインタフェース（略称：Ｎｎｒｆ）を通じて通信する。ＵＤＭネットワーク要素は、ＮＲＦネットワーク要素とＮｎｒｆサービスベースインタフェース（略称：Ｎｎｒｆ）を通じて通信する。
【０１４０】
留意すべきことに、図２のネットワーク要素間のインタフェースの名称は単なる例であり、インタフェース名は特定の実装において他の名称であってよい。これは、本願の本実施形態において具体的に限定されない。
【０１４１】
留意すべきことに、図２の端末、アクセス装置、ソースＡＭＦネットワーク要素、目標ＡＭＦネットワーク要素、ＳＭＦネットワーク要素、ＵＤＭネットワーク要素、ＰＣＦネットワーク要素、ＮＲＦネットワーク要素、又はＵＤＳＦネットワーク要素は、単なる名称であり、名称は装置に対する限定を構成しない。５Ｇネットワーク及び別の将来のネットワークでは、端末、アクセス装置、ソースＡＭＦネットワーク要素、目標ＡＭＦネットワーク要素、ＳＭＦネットワーク要素、ＵＤＭネットワーク要素、ＰＣＦネットワーク要素、ＮＲＦネットワーク要素、又はＵＤＳＦネットワーク要素に対応するネットワーク要素又はエンティティは、代替として別の名称を有してよい。これは、本願の本実施形態において具体的に限定されない。
【０１４２】
任意で、前述の例では、説明は、ソースサブスクリプションネットワーク要素に対応するネットワーク要素又はエンティティが５ＧネットワークにおけるソースＡＭＦネットワーク要素であり、目標サブスクリプションネットワーク要素に対応するネットワーク要素又はエンティティが５Ｇネットワークにおける目標ＡＭＦネットワーク要素である一例を用いて提供された。勿論、本願の本実施形態で、図１に示すサブスクリプション更新システム１０が現在の５Ｇネットワークに適用される場合、ソースサブスクリプションネットワーク要素に対応するネットワーク要素又はエンティティは、代替として５ＧネットワークにおけるソースＳＭＦネットワーク要素であってよく、目標サブスクリプションネットワーク要素に対応するネットワーク要素又はエンティティは、代替として５Ｇネットワークにおける目標ＳＭＦネットワーク要素であってよい、等である。これは、本願の本実施形態において具体的に限定されない。
【０１４３】
任意で、本願の本実施形態に含まれる端末（terminal）は、無線通信機能を備える種々の装置、例えばハンドヘルド装置、車内装置、ウェアラブル装置、コンピューティング装置、又は無線モデムに接続された別の処理装置を含んでよく、或いは、加入者ユニット（subscriber  unit）、セルラ電話機（cellular  phone）、スマートフォン（smartphone）、無線データカード、パーソナルデジタルアシスタント（personal  digital  assistant、PDA）コンピュータ、タブレットコンピュータ、無線モデム（modem）、ハンドヘルド（handheld）装置、ラップトップコンピュータ（laptop  computer）、コードレス電話機（cordless  phone）又は無線ローカルループ（wireless  local  loop、WLL）局、機械型通信（machine  type  communication、MTC）端末、ユーザ機器（user  equipment、UE）、移動局（mobile  station、MS）、端末装置（terminal  device）、中継ユーザ機器、等を含んでよい。例えば、中継ユーザ機器は、５Ｇレジデンシャルゲートウェイ（residential  gateway、RG）であってよい。説明を容易にするために、本願では、上述の装置は集合的に端末と呼ばれる。
【０１４４】
任意で、本願の本実施形態に含まれるアクセス装置は、コアネットワークにアクセスする装置である。例えば、アクセス装置は、基地局、広帯域ネットワークゲートウェイ（broadband  network  gateway、BNG）、アグリゲーションスイッチ、又は非第３世代パートナーシッププロジェクト（３rd  generation  partnership  project、３GPP）アクセス装置であってよい。基地局は、種々の形式の基地局、例えば、マクロ基地局、マイクロ基地局（スモールセルとも呼ばれる）、中継局、及びアクセスポイントを含んでよい。
【０１４５】
任意で、本願の本実施形態における図１のソースサブスクリプションネットワーク要素、目標サブスクリプションネットワーク要素、第１イベント通知ネットワーク要素、第２イベント通知ネットワーク要素、ネットワークレポジトリ機能ネットワーク要素、又は非構造化データ記憶機能ネットワーク要素は、１つの装置により実装されてよく、又は複数の装置により共同で実装されてよく、又は装置内の機能モジュールであってよい。これは、本願の本実施形態において具体的に限定されない。理解されるべきことに、前述の機能は、ハードウェア装置内のネットワーク要素であってよく、又は専用ハードウェア上で実行するソフトウェア機能であってよく、又はプラットフォーム（例えば、クラウドプラットフォーム）上にインスタンス化された仮想機能であってよい。
【０１４６】
例えば、本願の本実施形態における図１のソースサブスクリプションネットワーク要素、目標サブスクリプションネットワーク要素、第１イベント通知ネットワーク要素、第２イベント通知ネットワーク要素、ネットワークレポジトリ機能ネットワーク要素、又は非構造化データ記憶機能ネットワーク要素は、図３の通信装置により実装されてよい。図３は、本願の一実施形態による通信装置のハードウェア構造の概略図である。通信装置３００は、少なくとも１つのプロセッサ３０１、通信線３０２、メモリ３０３、及び少なくとも１つの通信インタフェース３０４を含む。
【０１４７】
プロセッサ３０１は、汎用中央処理ユニット（central  processing  unit、CPU）、マイクロプロセッサ、特定用途向け集積回路（application−specific  integrated  circuit、ASIC）、又は、本願のソリューションのプログラム実行を制御するよう構成される１つ以上の集積回路であってよい。
【０１４８】
通信線３０２は、前述のコンポーネント間で情報を送信するチャネルを含んでよい。
【０１４９】
通信インタフェース３０４は、通信機のような任意の機器において使用され、イーサネット、無線アクセスネットワーク（radio  access  network、RAN）、又は無線ローカルエリアネットワーク（Wireless  Local  Area  Network、WLAN）のような別の装置又は通信ネットワークと通信するよう構成される。
【０１５０】
メモリ３０３は、読み出し専用メモリ（read−only  memory、ROM）、静的情報及び命令を格納可能な別の種類の静的記憶装置、ランダムアクセスメモリ（random  access  memory、RAM）、又は情報及び命令を格納可能な別の種類の動的記憶装置であってよく、又は電気的消去可能なプログラマブル読み出し専用メモリ（electrically  erasable  programmable  read−only  memory、EEPROM）、コンパクトディスク読み出し専用メモリ（compact  disc  read−only  memory、CD−ROM）、別の光ディスク記憶、光ディスク記憶（コンパクトディスク、レーザディスク、光ディスク、デジタルバーサタイルディスク、ブルーレイディスク、等を含む）、磁気ディスク記憶媒体、別の磁気記憶装置、又は命令若しくはデータ構造の形式で予測プログラムコードを伝達し又は格納するために使用可能な且つコンピュータによりアクセス可能な任意の他の媒体であってよい。しかしながら、これはこれらに限定されない。メモリは、独立に存在してよく、通信線３０２を用いてプロセッサに接続される。代替として、メモリは、プロセッサに統合されてよい。
【０１５１】
メモリ３０３は、本願のソリューションを実行するためのコンピュータ実行可能命令を格納するよう構成され、プロセッサ３０１は、コンピュータ実行可能命令の実行を制御する。プロセッサ３０１は、本願の以下の実施形態において提供されるサブスクリプション更新方法を実施するために、メモリ３０３に格納されたコンピュータ実行可能命令を実行するよう構成される。
【０１５２】
任意で、本願の本実施形態におけるコンピュータ実行可能命令は、アプリケーションプログラムコードとも呼ばれてよい。これは、本願の本実施形態において具体的に限定されない。
【０１５３】
特定の実装では、一実施形態において、プロセッサ３０１は１つ以上のＣＰＵ、例えば図３のＣＰＵ０及びＣＰＵ１を含んでよい。
【０１５４】
特定の実装では、一実施形態において、通信装置３００は複数のプロセッサ、例えば図３のプロセッサ３０１及びプロセッサ３０８を含んでよい。プロセッサの各々は、シングルコア（single−CPU）プロセッサであってよく、又はマルチコア（multi−CPU）プロセッサであってよい。プロセッサは、ここで、（コンピュータプログラム命令のような）データを処理するために使用される１つ以上の装置、回路、及び／又は処理コアであってよい。
【０１５５】
特定の実装では、一実施形態において、通信装置３００は、出力装置３０５及び入力装置３０６を更に含んでよい。出力装置３０５はプロセッサ３０１と通信し、複数の方法で情報を表示してよい。例えば、出力装置３０５は、液晶ディスプレイ（liquid  crystal  display、LCD）、発光ダイオード（light  emitting  diode、LED）ディスプレイ装置、陰極管（cathode  ray  tube、CRT）ディスプレイ装置、又はプロジェクタ（projector）であってよい。入力装置３０６はプロセッサ３０１と通信し、複数の方法でユーザ入力を受信してよい。例えば、入力装置３０６は、マウス、キーボード、タッチスクリーン装置、又は検知装置であってよい。
【０１５６】
通信装置３００は、汎用装置又は専用装置であってよい。特定の実装では、通信装置３００は、デスクトップコンピュータ、ポータブルコンピュータ、ネットワークサーバ、パームトップコンピュータ（personal  digital  assistant、PDA）、携帯電話機、タブレットコンピュータ、無線端末装置、埋め込み型装置、又は図３のものと同様の構造を有する装置であってよい。通信装置３００の種類は、本願の本実施形態において限定されない。
【０１５７】
以下は、図１〜図３を参照して本願の実施形態において提供されるサブスクリプション更新方法を詳細に記載する。
【０１５８】
留意すべきことに、本願の以下の実施形態におけるネットワーク要素間のメッセージの名称、メッセージ内のパラメータの名称、等は単なる例であり、特定の実装において他の名称があってよい。これは、本願の本実施形態において具体的に限定されない。
【０１５９】
図１に示すサブスクリプション更新システムが図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図４は、本願の一実施形態において提供されるサブスクリプション更新方法を示す。方法は以下のステップを含む。
【０１６０】
Ｓ４０１。第１端末がソースＡＭＦネットワーク要素から目標ＡＭＦネットワーク要素へ移動される前に、第１イベント通知ネットワーク要素は、サブスクリプション要求をソースＡＭＦネットワーク要素へ送信する。その結果、ソースＡＭＦネットワーク要素は、サブスクリプション要求を第１イベント通知ネットワーク要素から受信する。
【０１６１】
ステップ４０１は任意的ステップである。
【０１６２】
本願の本実施形態におけるサブスクリプション要求は、第１イベント通知ネットワーク要素のコールバックアドレス情報を伝達し、第１端末の属する端末グループの状態変化イベント又はソースＡＭＦネットワーク要素の状態変化イベントをサブスクライブするために使用される。
【０１６３】
例えば、第１イベント通知ネットワーク要素は、新しいグローバルユニークアクセス及び移動性管理機能識別子（globally  unique  AMF  identifier、GUAMI）をソースＡＭＦネットワーク要素から受信した後に、サブスクリプション要求をソースＡＭＦネットワーク要素へ送信してよい。例えば、第１イベント通知ネットワーク要素がＵＤＭネットワーク要素であると仮定すると、ソースＡＭＦネットワーク要素が登録要求をＵＤＭネットワーク要素へ送信して、第１端末をソースＡＭＦネットワーク要素によりサービスされているとして登録することを要求すると、ソースＡＭＦネットワーク要素は、登録要求に、第１端末の属する端末グループに対応するＧＵＡＭＩを追加してよい。ＵＤＭネットワーク要素が、該ＧＵＡＭＩに対応する状態変化イベントは以前にサブスクライブされていないと決定した場合、ＵＤＭネットワーク要素は、サブスクリプション要求をソースＡＭＦネットワーク要素へ送信してよい。サブスクリプション要求は、ＧＵＡＭＩを伝達し、第１端末の属する端末グループの状態変化イベントをサブスクライブするために使用される。
【０１６４】
留意すべきことに、本願の本実施形態における第１イベント通知ネットワーク要素がＵＤＭネットワーク要素である場合、図４の第１イベント通知ネットワーク要素及び図４のＵＤＭネットワーク要素は、実際には１つのネットワーク要素である。図４は、単に第１イベント通知ネットワーク要素及びＵＤＭネットワーク要素が別個である一例を用いて記載された。これはここで統一的に記載された。これは、本願の本実施形態において具体的に限定されない。
【０１６５】
代替として、例えば、第１イベント通知ネットワーク要素は、ＡＭＦの粒度でサブスクリプションを実行してよい。例えば、第１イベント通知ネットワーク要素は、サブスクリプション要求をソースＡＭＦネットワーク要素へ送信する。ここで、サブスクリプション要求はＧＵＡＭＩを含まない。この場合、ソースＡＭＦネットワーク要素は、デフォルトで、サブスクリプション要求がソースＡＭＦネットワーク要素における任意のＧＵＡＭＩに対応する状態変化イベントをサブスクライブするために使用されると考えてよい。
【０１６６】
本願の本実施形態におけるＧＵＡＭＩは、公衆地上移動体ネットワーク（public  land  mobile  network、PLMN）識別子（identifier、ID）、ＡＭＦネットワーク要素の位置する領域の識別子（AMF  region  ID）、ＡＭＦネットワーク要素の属するＡＭＦネットワーク要素グループの識別子（AMF  Set  ID）、ＡＭＦポインタ（AMF  pointer）、等を含んでよい。詳細については、既存の記載を参照する。詳細はここで記載されない。
【０１６７】
任意で、本願の本実施形態におけるサブスクリプション要求は、第１イベント通知ネットワーク要素により状態変化イベントに割り当てられた通知相関アイデンティティを更に伝達してよい。通知相関アイデンティティは、状態変化イベントを決定するために使用される。これは、本願の本実施形態において具体的に限定されない。
【０１６８】
Ｓ４０２。ソースＡＭＦネットワーク要素が第１端末の属する端末グループの中の端末にもはやサービスしないと決定した後に、ソースＡＭＦネットワーク要素は、目標ＡＭＦネットワーク要素を、第１端末の属する端末グループの中の端末のために選択する。
【０１６９】
ソースＡＭＦネットワーク要素により、目標ＡＭＦネットワーク要素を、第１端末の属する端末グループの中の端末のために選択する特定の実装については、既存の実装を参照する。詳細はここで記載されない。
【０１７０】
任意で、本願の本実施形態では、例えば、ソースＡＭＦネットワーク要素が、第１端末の属する端末グループの中の端末にもはやサービスしないと決定するシナリオは、ソースＡＭＦネットワーク要素がシャットダウンされるシナリオ、ＡＭＦネットワーク要素セットのスケールイン／アウトによる端末マイグレーションのシナリオ、又はソースＡＭＦが故障しているシナリオを含んでよい。これはここで統一的に記載された。これは、本願の本実施形態において具体的に限定されない。
【０１７１】
Ｓ４０３。ソースＡＭＦネットワーク要素は、Ｎ１４メッセージを目標ＡＭＦネットワーク要素へ送信する。その結果、目標ＡＭＦネットワーク要素は、Ｎ１４メッセージをソースＡＭＦネットワーク要素から受信する。
【０１７２】
Ｎ１４メッセージは、第１端末の属する端末グループの中の端末のコンテキストを伝達する。第１端末の属する端末グループの中の端末のコンテキストは、第１端末のコンテキストを含む。第１端末のコンテキストは、第１端末の識別子、及び第１端末の全てのサブスクリプションイベントに関する情報、例えば、第１端末の第１サブスクリプションイベントに関する情報又は第１端末の第２サブスクリプションイベントに関する情報を含む。例えば、第１サブスクリプションイベントに関する情報は、第１イベント通知ネットワーク要素により第１サブスクリプションイベントに割り当てられたサブスクリプション相関アイデンティティ、ソースＡＭＦネットワーク要素により第１サブスクリプションイベントに割り当てられた第１通知相関アイデンティティ、第１イベント通知ネットワーク要素のコールバックアドレス情報、又は第１サブスクリプションイベントに相関された、ソースＡＭＦネットワーク要素のコールバックアドレス情報、のうちの少なくとも１つを含んでよい。これは、本願の本実施形態において具体的に限定されない。
【０１７３】
任意で、本願の本実施形態では、第１端末の異なるサブスクリプションイベントは、異なるイベント通知ネットワーク要素からサブスクライブされてよい。例えば、第１端末の第１サブスクリプションイベントは、第１イベント通知ネットワーク要素からサブスクライブされてよく、第１端末の第２サブスクリプションイベントは、第２イベント通知ネットワーク要素からサブスクライブされてよい。これは、本願の本実施形態において具体的に限定されない。
【０１７４】
任意で、本願の本実施形態におけるＮ１４メッセージは、第１イベント通知ネットワーク要素がソースＡＭＦネットワーク要素からサブスクライブする、第１端末の属する端末グループの状態変化イベントに関する情報、又は、第１イベント通知ネットワーク要素がソースＡＭＦネットワーク要素からサブスクライブする、ソースＡＭＦネットワーク要素の状態変化イベントに関する情報を更に伝達してよい。例えば、第１端末の属する端末グループの状態変化イベントに関する情報、又はソースＡＭＦネットワーク要素の状態変化イベントに関する情報は、第１イベント通知ネットワーク要素のコールバックアドレス情報を含んでよい。第１イベント通知ネットワーク要素のコールバックアドレス情報は、第１端末の属する端末グループの状態変化通知を受信するために使用される。任意で、例えば、第１端末の属する端末グループの状態変化イベントに関する情報、又はソースＡＭＦネットワーク要素の状態変化イベントに関する情報は、状態変化イベントに対応する通知相関アイデンティティを更に含んでよい。通知相関アイデンティティは、対応する状態変化イベントを決定するために使用される。これは、本願の本実施形態において具体的に限定されない。
【０１７５】
任意で、一実装では、本願の本実施形態で提供されるサブスクリプション更新方法が前述のステップＳ４０１を含む場合、本願の本実施形態で提供されるサブスクリプション更新方法は、以下のステップＳ４０４を更に含む。
【０１７６】
Ｓ４０４。ソースＡＭＦネットワーク要素は、状態通知１を第１イベント通知ネットワーク要素へ送信する。その結果、第１イベント通知ネットワーク要素は、状態通知１をソースＡＭＦネットワーク要素から受信する。状態通知１は、ソースＡＭＦネットワーク要素が第１端末の属する端末グループにサービスしないことを示すために使用される。
【０１７７】
状態通知１は、目標ＡＭＦネットワーク要素へ移動された第１端末の属する端末グループに対応するグループ識別子を伝達してよい。
【０１７８】
任意で、本願の本実施形態では、例えば、第１端末の属する端末グループに対応するグループ識別子は、第１端末の属する端末グループに対応するＧＵＡＭＩであってよい。これはここで統一的に記載された。詳細は以下に再び記載されない。
【０１７９】
任意で、状態通知１は、目標ＡＭＦネットワーク要素の識別子、例えば目標ＡＭＦネットワーク要素の名称を伝達してよい。これは、本願の本実施形態において具体的に限定されない。
【０１８０】
任意で、状態通知１は、目標ＡＭＦネットワーク要素の第１コールバックアドレス情報を更に伝達してよい。例えば、目標ＡＭＦネットワーク要素の第１コールバックアドレス情報は、第１端末の属する端末グループに相関されたアドレス情報、つまりＧＵＡＭＩの粒度のアドレス情報であってよく、又は、目標ＡＭＦネットワーク要素に相関されたアドレス情報、つまりＡＭＦネットワーク要素の粒度のアドレス情報であってよい。これは、本願の本実施形態において具体的に限定されない。
【０１８１】
任意で、本願の本実施形態では、目標ＡＭＦネットワーク要素の第１コールバックアドレス情報は、サブスクリプションイベントに相関されたアドレス情報ではない。したがって、目標ＡＭＦネットワーク要素の第１コールバックアドレス情報は、目標ＡＭＦネットワーク要素のデフォルトコールバックアドレス情報とも呼ばれてよい。デフォルトコールバックアドレス情報について、目標ＡＭＦネットワーク要素が端末レベルのサブスクリプション更新を実行していないとき、第１イベント通知ネットワーク要素が端末の関連するイベント通知を目標ＡＭＦネットワーク要素へ送信する必要がある場合、第１イベント通知ネットワーク要素は、イベント通知を目標ＡＭＦネットワーク要素のデフォルトコールバックアドレスへ送信してよい。その結果、目標ＡＭＦネットワーク要素は、対応するサブスクリプションイベントを適時処理するために、サブスクリプションイベントのイベント通知を適時学習できる。
【０１８２】
任意で、一実装では、本願の本実施形態で提供されるサブスクリプション更新方法は、前述のステップＳ４０１を含む場合、ステップＳ４０３は、第１イベント通知ネットワーク要素により、ソースＡＭＦネットワーク要素から、第１端末の属する端末グループの状態変化イベントに関する情報をサブスクライブするステップ、又は、第１イベント通知ネットワーク要素により、目標ＡＭＦネットワーク要素から、第１端末の属する端末グループの状態変化イベント又はソースＡＭＦネットワーク要素の状態変化イベントをサブスクライブするステップ、を含む。したがって、ステップＳ４０３の後に、本願の本実施形態で提供されるサブスクリプション更新方法は、以下のステップＳ４０５を更に含む。
【０１８３】
Ｓ４０５。目標ＡＭＦネットワーク要素は、状態通知２を第１イベント通知ネットワーク要素へ送信する。その結果、第１イベント通知ネットワーク要素は、状態通知２を目標ＡＭＦネットワーク要素から受信する。状態通知２は、目標ＡＭＦネットワーク要素が第１端末の属する端末グループにサービスすることを示すために使用される。
【０１８４】
状態通知２は、目標ＡＭＦネットワーク要素へ移動された第１端末の属する端末グループに対応するグループ識別子、例えば第１端末の属する端末グループに対応するＧＵＡＭＩを伝達してよい。
【０１８５】
任意で、状態通知２は、目標ＡＭＦネットワーク要素の識別子、例えば目標ＡＭＦネットワーク要素の名称を伝達してよい。これは、本願の本実施形態において具体的に限定されない。
【０１８６】
任意で、状態通知２は、目標ＡＭＦネットワーク要素の第１コールバックアドレス情報を更に伝達してよい。目標ＡＭＦネットワーク要素の第１コールバックアドレス情報の関連する説明については、前述のステップＳ４０４を参照する。詳細はここで再び記載されない。
【０１８７】
任意で、一実装では、ステップＳ４０３の後に、本願の本実施形態で提供されるサブスクリプション更新方法は、以下のステップＳ４０６を更に含んでよい。
【０１８８】
Ｓ４０６。目標ＡＭＦネットワーク要素は、登録更新要求をＮＲＦネットワーク要素へ送信する。その結果、ＮＲＦネットワーク要素は、登録更新要求を目標ＡＭＦネットワーク要素から受信する。
【０１８９】
登録更新要求は、第１端末の属する端末グループを、目標ＡＭＦによりサービスされているとして登録するよう要求するために使用される。
【０１９０】
例えば、登録更新要求は、第１端末の属する端末グループに対応するＧＵＡＭＩ、又は目標ＡＭＦネットワーク要素の識別子及び目標ＡＭＦネットワーク要素の第１コールバックアドレス情報を伝達してよい。登録更新要求を受信した後に、ＮＲＦネットワーク要素は、目標ＡＭＦネットワーク要素の第１コールバックアドレス情報と第１端末の属する端末グループに対応するＧＵＡＭＩとの間の対応を格納し、又は目標ＡＭＦネットワーク要素の第１コールバックアドレス情報と目標ＡＭＦネットワーク要素の識別子との間の対応を格納してよい。これは、本願の本実施形態において具体的に限定されない。
【０１９１】
留意すべきことに、目標ＡＭＦネットワーク要素の第１コールバックアドレス情報は、代替として、目標ＡＭＦネットワーク要素が最初にＮＲＦネットワーク要素に登録されるとき、ＮＲＦネットワーク要素へ送信されてよい。目標ＡＭＦネットワーク要素が、目標ＡＭＦネットワーク要素の第１コールバックアドレス情報をＮＲＦネットワーク要素へ送信した場合、目標ＡＭＦネットワーク要素の第１コールバックアドレス情報は、本ステップでは伝達されなくてよい。これはここで統一的に記載された。詳細は以下に再び記載されない。
【０１９２】
任意で、本願の本実施形態では、目標ＡＭＦネットワーク要素によりＮＲＦネットワーク要素へ送信された登録更新要求を受信した後に、ＮＲＦネットワーク要素は、状態通知３を第１イベント通知ネットワーク要素へ更に送信してよい。状態通知３は、目標ＡＭＦネットワーク要素の識別子、及び第１端末の属する端末グループに対応するグループ識別子を伝達し、目標ＡＭＦネットワーク要素が第１端末の属する端末グループにサービスすることを示すために使用される。任意で、状態通知３は、目標ＡＭＦネットワーク要素の第１コールバックアドレス情報を更に伝達してよい。これは、本願の本実施形態において具体的に限定されない。
【０１９３】
さらに、本願の本実施形態で提供されるサブスクリプション更新方法は、以下のステップＳ４０７及びＳ４０８を含んでよい。
【０１９４】
Ｓ４０７。第１イベント通知ネットワーク要素は、第１端末の第１サブスクリプションイベントの通知条件が満たされると決定する。
【０１９５】
例えば、第１イベント通知ネットワーク要素がＵＤＭネットワーク要素であり、第１サブスクリプションイベントがサブスクリプション変化イベントである場合、第１端末のサブスクリプションデータが変化すると、ＵＤＭネットワーク要素は、第１サブスクリプションイベントの通知条件が満たされると決定してよい。
【０１９６】
Ｓ４０８。第１イベント通知ネットワーク要素は、ソースＡＭＦネットワーク要素が第１端末にサービスしないと決定する。
【０１９７】
可能な実装では、第１イベント通知ネットワーク要素が、ソースＡＭＦネットワーク要素が第１端末にサービスしないと決定することは、第１イベント通知ネットワーク要素により、ステップＳ４０４における状態通知１又はステップＳ４０５における状態通知２に基づき、ソースＡＭＦネットワーク要素が第１端末にサービスしないと学習するステップを含む。
【０１９８】
可能な実装では、第１イベント通知ネットワーク要素は、第１端末の属する端末グループの状態変化イベントをサブスクライブしない（つまり、ステップＳ４０１及びステップＳ４０４又はＳ４０５は実行されない）。したがって、第１イベント通知ネットワーク要素が、ソースＡＭＦネットワーク要素が第１端末にサービスしないと決定することは、第１イベント通知ネットワーク要素により、第１サブスクリプションイベントの第３イベント通知を、ソースＡＭＦネットワーク要素へ、第１端末に相関されたソースＡＭＦネットワーク要素のコールバックアドレス情報に基づき、送信するステップと、第１イベント通知ネットワーク要素により、ソースＡＭＦネットワーク要素がアクセスできないと決定するステップと、を含む。
【０１９９】
例えば、第１イベント通知ネットワーク要素により、ソースＡＭＦネットワーク要素がアクセスできないと決定するステップは、第１イベント通知ネットワーク要素により、メッセージがソースＡＭＦネットワーク要素へ送信できないと発見するステップ、又は、第１イベント通知ネットワーク要素により、拒否メッセージをソースＡＭＦネットワーク要素から受信するステップ、であってよい。これは、本願の本実施形態において具体的に限定されない。任意で、拒否メッセージは、目標ＡＭＦネットワーク要素の第１コールバックアドレス情報を更に伝達してよい。これは、本願の本実施形態において具体的に限定されない。
【０２００】
Ｓ４０９。任意で、第１イベント通知ネットワーク要素は、要求メッセージをＮＲＦネットワーク要素へ送信する。その結果、ＮＲＦネットワーク要素は、要求メッセージを第１イベント通知ネットワーク要素から受信する。
【０２０１】
要求メッセージは、第２指示情報、及びソースＡＭＦネットワーク要素により第１端末の属する端末グループに割り当てられた第１グループ識別子又は目標ＡＭＦネットワーク要素の識別子のうちの少なくとも１つを伝達する。第２指示情報は、要求メッセージが、目標ＡＭＦネットワーク要素の第１コールバックアドレス情報を要求するために使用されることを示すために使用される。
【０２０２】
任意で、例えば、本願の本実施形態における第１グループ識別子は、第１端末の属する端末グループに対応するＧＵＡＭＩであってよい。これは、本願の本実施形態において具体的に限定されない。
【０２０３】
任意で、本願の本実施形態における目標ＡＭＦネットワーク要素の識別子は、ステップＳ４０４における状態通知１、ステップＳ４０５における状態通知２、又はステップＳ４０６における状態通知３を用いて取得されてよい。これは、本願の本実施形態において具体的に限定されない。
【０２０４】
Ｓ４１０。ＮＲＦネットワーク要素は、応答メッセージを第１イベント通知ネットワーク要素へ送信する。その結果、第１イベント通知ネットワーク要素は、応答メッセージをＮＲＦネットワーク要素から受信する。応答メッセージは、目標ＡＭＦネットワーク要素の第１コールバックアドレス情報を伝達する。
【０２０５】
具体的に、本願の本実施形態では、要求メッセージを受信した後に、ＮＲＦネットワーク要素は、目標ＡＭＦネットワーク要素の第１コールバックアドレス情報を、ステップＳ４０６で格納された、目標ＡＭＦネットワーク要素の第１コールバックアドレス情報と第１端末の属する端末グループに対応するＧＵＡＭＩとの間の、又は目標ＡＭＦネットワーク要素の第１コールバックアドレス情報と目標ＡＭＦネットワーク要素の識別子との間の対応に基づき、決定してよい。これは、本願の本実施形態において具体的に限定されない。
【０２０６】
ステップ４０９及びＳ４１０は、第１イベント通知ネットワーク要素により、目標ＡＭＦネットワーク要素の第１コールバックアドレス情報を取得するステップの特定の実装を提供する。勿論、第１イベント通知ネットワーク要素は、代替として、目標ＡＭＦネットワーク要素の第１コールバックアドレス情報を別の方法で取得してよい。例は以下の通りである。
【０２０７】
任意で、可能な実装では、ステップＳ４０４における状態通知１は、目標ＡＭＦネットワーク要素の第１コールバックアドレス情報を伝達し、第１イベント通知ネットワーク要素は、状態通知１を受信した後に、状態通知１を格納してよい。さらに、第１イベント通知ネットワーク要素が、第１端末の第１サブスクリプションイベントの通知条件が満たされると決定した後に、第１イベント通知ネットワーク要素は、格納した状態通知１に基づき、ソースＡＭＦネットワーク要素が第１端末にサービスしないと決定してよく、目標ＡＭＦネットワーク要素の第１コールバックアドレス情報を決定してよい。
【０２０８】
代替として、任意で、可能な実装では、ステップＳ４０５における状態通知２は、目標ＡＭＦネットワーク要素の第１コールバックアドレス情報を伝達し、第１イベント通知ネットワーク要素は、状態通知２を受信した後に、状態通知２を格納してよい。さらに、第１イベント通知ネットワーク要素が、第１端末の第１サブスクリプションイベントの通知条件が満たされると決定した後に、第１イベント通知ネットワーク要素は、格納した状態通知２に基づき、ソースＡＭＦネットワーク要素が第１端末にサービスしないと決定してよく、目標ＡＭＦネットワーク要素の第１コールバックアドレス情報を決定してよい。
【０２０９】
代替として、任意で、可能な実装では、ステップＳ４０６における状態通知３は、目標ＡＭＦネットワーク要素の第１コールバックアドレス情報を伝達し、第１イベント通知ネットワーク要素は、状態通知３を受信した後に、状態通知３を格納してよい。さらに、第１イベント通知ネットワーク要素が、第１端末の第１サブスクリプションイベントの通知条件が満たされると決定した後に、第１イベント通知ネットワーク要素は、格納した状態通知３に基づき、ソースＡＭＦネットワーク要素が第１端末にサービスしないと決定してよく、目標ＡＭＦネットワーク要素の第１コールバックアドレス情報を決定してよい。
【０２１０】
代替として、任意で、可能な実装では、ステップＳ４０８における拒否メッセージは、目標ＡＭＦネットワーク要素の第１コールバックアドレス情報を伝達する。
【０２１１】
第１イベント通知ネットワーク要素により、目標ＡＭＦネットワーク要素の第１コールバックアドレス情報を取得するステップの特定の実装は、本願の本実施形態において限定されない。
【０２１２】
さらに、本願の本実施形態で提供されるサブスクリプション更新方法は、以下のステップＳ４１１を含んでよい。
【０２１３】
Ｓ４１１。第１イベント通知ネットワーク要素は、メッセージ１を目標ＡＭＦネットワーク要素へ、目標ＡＭＦネットワーク要素の第１コールバックアドレス情報に基づき送信する。その結果、目標ＡＭＦネットワーク要素は、メッセージ１を第１イベント通知ネットワーク要素から受信する。
【０２１４】
メッセージ１は、第１端末の識別子及び第１サブスクリプションイベントの第１イベント通知を伝達する。第１端末の識別子は、第１イベント通知を第１端末に相関するために使用される。
【０２１５】
任意で、メッセージ１は、ソースＡＭＦネットワーク要素により第１サブスクリプションイベントに割り当てられた第１通知相関アイデンティティを更に伝達してよい。第１通知相関アイデンティティは、第１サブスクリプションイベントを決定するために使用される。これは、本願の本実施形態において具体的に限定されない。
【０２１６】
任意で、本願の本実施形態で提供されるサブスクリプション更新方法は、以下のステップＳ４１２を更に含んでよい。
【０２１７】
Ｓ４１２。目標ＡＭＦネットワーク要素は、登録要求をＵＤＭネットワーク要素へ送信する。その結果、ＵＤＭネットワーク要素は、登録要求を目標ＡＭＦネットワーク要素から受信する。
【０２１８】
登録要求は、第１端末を、目標ＡＭＦネットワーク要素によりサービスされているとして登録するよう要求するために使用される。
【０２１９】
任意で、本願の本実施形態では、目標ＡＭＦネットワーク要素が対応するＧＵＡＭＩを第１端末に再割り当てする場合、登録要求は、目標ＡＭＦネットワーク要素により第１端末に割り当てられたＧＵＡＭＩを更に伝達してよい。これは、本願の本実施形態において具体的に限定されない。
【０２２０】
任意で、本願の本実施形態で提供されるサブスクリプション更新方法は、以下のステップＳ４１３を更に含んでよい。
【０２２１】
Ｓ４１３。目標ＡＭＦネットワーク要素は、メッセージ２を第１イベント通知ネットワーク要素へ送信する。その結果、第１イベント通知ネットワーク要素は、メッセージ２を目標ＡＭＦネットワーク要素から受信する。
【０２２２】
メッセージ２は、目標ＡＭＦネットワーク要素の第２コールバックアドレス情報及び第１指示情報を伝達する。第２コールバックアドレス情報は、第１サブスクリプションイベントに相関されたアドレス情報である。第１指示情報は、第１サブスクリプションイベントを決定するために使用される。第２コールバックアドレス情報は、第１イベント通知ネットワーク要素により、第１サブスクリプションイベントの第２イベント通知を目標ＡＭＦネットワーク要素へ、第２コールバックアドレス情報に基づき送信するために使用される。
【０２２３】
任意で、本願の本実施形態における第１指示情報は、ステップＳ４０３における第１端末のコンテキストから取得されてよい。例えば、第１指示情報は、第１端末の識別子、又は第１イベント通知ネットワーク要素により第１サブスクリプションイベントに割り当てられたサブスクリプション相関アイデンティティ、のうちの少なくとも１つを含んでよい。これは、本願の本実施形態において具体的に限定されない。
【０２２４】
任意で、本願の本実施形態におけるメッセージ２は、目標ＡＭＦネットワーク要素により第１サブスクリプションイベントに割り当てられた第２通知相関アイデンティティを更に伝達してよい。相応して、第２コールバックアドレス情報は、第１イベント通知ネットワーク要素により、第２通知相関アイデンティティを目標ＡＭＦネットワーク要素へ、第２コールバックアドレス情報に基づき送信するために更に使用される。第２通知相関アイデンティティは、第１サブスクリプションイベントを決定するために使用される。これは、本願の本実施形態において具体的に限定されない。
【０２２５】
任意で、本願の本実施形態におけるメッセージ２は、サブスクリプション更新メッセージ又はサブスクリプション要求メッセージであってよい。これは、本願の本実施形態において具体的に限定されない。
【０２２６】
任意で、本願の本実施形態で提供されるサブスクリプション更新方法は、以下のステップＳ４１４を更に含んでよい。
【０２２７】
Ｓ４１４。目標ＡＭＦネットワーク要素は、メッセージ３を第２イベント通知ネットワーク要素へ送信する。その結果、第２イベント通知ネットワーク要素は、メッセージ３を目標ＡＭＦネットワーク要素から受信する。
【０２２８】
メッセージ３は、目標ＡＭＦネットワーク要素の第３コールバックアドレス情報及び第３指示情報を伝達する。第３コールバックアドレス情報は、第２サブスクリプションイベントに相関されたアドレス情報である。第３指示情報は、第２サブスクリプションイベントを決定するために使用される。第３コールバックアドレス情報は、第２イベント通知ネットワーク要素により、第２サブスクリプションイベントの第４イベント通知を目標ＡＭＦネットワーク要素へ、第３コールバックアドレス情報に基づき送信するために使用される。
【０２２９】
任意で、本願の本実施形態における第３指示情報は、ステップＳ４０３における第１端末のコンテキストから取得されてよい。例えば、第３指示情報は、第１端末の識別子、又は第２イベント通知ネットワーク要素により第２サブスクリプションイベントに割り当てられたサブスクリプション相関アイデンティティ、のうちの少なくとも１つを含んでよい。これは、本願の本実施形態において具体的に限定されない。
【０２３０】
任意で、本願の本実施形態におけるメッセージ３は、目標ＡＭＦネットワーク要素により第２サブスクリプションイベントに割り当てられた第３通知相関アイデンティティを更に伝達してよい。相応して、第３コールバックアドレス情報は、第２イベント通知ネットワーク要素により、第３通知相関アイデンティティを目標ＡＭＦネットワーク要素へ、第３コールバックアドレス情報に基づき送信するために更に使用される。第３通知相関アイデンティティは、第２サブスクリプションイベントを決定するために使用される。これは、本願の本実施形態において具体的に限定されない。
【０２３１】
任意で、本願の本実施形態におけるメッセージ３は、サブスクリプション更新メッセージ又はサブスクリプション要求メッセージであってよい。これは、本願の本実施形態において具体的に限定されない。
【０２３２】
任意で、本願の本実施形態では、第１端末が、別のイベントを、第１イベント通知ネットワーク要素又は第２イベント通知ネットワーク要素から更にサブスクライブする、又は第１端末が、対応するイベントを、別のイベント通知ネットワーク要素から更にサブスクライブする場合、対応するサブスクリプションイベントについては、前述のステップＳ４１３における第１サブスクリプションイベントのサブスクリプション更新方法、又は更新を実行するためのステップＳ４１４における第２サブスクリプションイベントを参照する。詳細は１つずつここで再び記載されない。
【０２３３】
任意で、本願の本実施形態におけるステップＳ４１２、Ｓ４１３、及びＳ４１４の間に必要な実行順序は存在しない。ステップのうちのいずれか１つが先ず実行されてよく、次に別のステップが実行され、最後に残りのステップが実行される。又は、ステップのうちのいずれか１つが先ず実行されてよく、次に残りの２つのステップが同時に実行される。又は、ステップのうちの２つが先ず同時に実行されてよく、次に残りのステップが実行される、等である。これは、本願の本実施形態において具体的に限定されない。
【０２３４】
言い換えると、本願の本実施形態において、第１端末がソースＡＭＦネットワーク要素から目標ＡＭＦネットワーク要素へ移動されるシナリオにおいて、第１サブスクリプションイベントの通知条件を満たすことは、目標ＡＭＦネットワーク要素を、対応するイベント通知ネットワーク要素へ、第１端末の第１サブスクリプションイベント以外の、目標ＡＭＦネットワーク要素の残りのサブスクリプションイベントに相関されたコールバックアドレス情報を送信するようトリガしてもよい。このように、サブスクリプションイベントの通知条件が後に満たされた後に、対応するイベント通知ネットワーク要素は、対応するイベント通知を目標ＡＭＦネットワーク要素へ、サブスクリプションイベントに相関された、目標ＡＭＦネットワーク要素のコールバックアドレス情報に基づき直接送信してよい。これは、端末に現在サービスしている目標ＡＭＦネットワーク要素が、サブスクリプションイベントのイベント通知を適時学習できず、したがって、対応するサブスクリプションイベントを適時処理できないという問題を回避する。
【０２３５】
本願の実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果の記載を参照する。詳細はここで再び記載されない。
【０２３６】
前述のステップＳ４０１〜Ｓ４１４における第１イベント通知ネットワーク要素、第２イベント通知ネットワーク要素、ソースＡＭＦネットワーク要素、目標ＡＭＦネットワーク要素、ＵＤＭネットワーク要素、又はＮＲＦネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０２３７】
任意で、図１に示すサブスクリプション更新システムが図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図５は、本願の一実施形態において提供される別のサブスクリプション更新方法を示す。方法は以下のステップを含む。
【０２３８】
Ｓ５０１。本ステップはＳ４０１と同じである。関連する説明については、前述のステップＳ４０１を参照する。詳細はここで再び記載されない。
【０２３９】
本願の本実施形態では、ステップＳ５０１は任意的ステップである。これはここで統一的に記載された。詳細は以下に再び記載されない。
【０２４０】
Ｓ５０２。ソースＡＭＦネットワーク要素は、登録要求１をＮＲＦネットワーク要素へ送信する。その結果、ＮＲＦネットワーク要素は、登録要求１をソースＡＭＦネットワーク要素から受信する。
【０２４１】
登録要求１は、ソースＡＭＦネットワーク要素の第１コールバックアドレス情報をＮＲＦネットワーク要素に登録するよう要求するために使用される。例えば、ソースＡＭＦネットワーク要素の第１コールバックアドレス情報は、ソースＡＭＦネットワーク要素によりサービスされる第１端末の属する端末グループに相関されたアドレス情報、つまりＧＵＡＭＩの粒度のアドレス情報であってよく、又は、ソースＡＭＦネットワーク要素に相関されたアドレス情報、つまりＡＭＦネットワーク要素の粒度のアドレス情報であってよい。これは、本願の本実施形態において具体的に限定されない。
【０２４２】
任意で、本願の本実施形態では、ソースＡＭＦネットワーク要素の第１コールバックアドレス情報は、サブスクリプションイベントに相関されたアドレス情報ではない。したがって、ソースＡＭＦネットワーク要素の第１コールバックアドレス情報は、ソースＡＭＦネットワーク要素のデフォルトコールバックアドレス情報とも呼ばれてよい。デフォルトコールバックアドレス情報について、ソースＡＭＦネットワーク要素が端末レベルのサブスクリプション更新を実行していないとき、イベントを提供するネットワーク要素が端末の関連するイベント通知をソースＡＭＦネットワーク要素へ送信する必要がある場合、イベント通知ネットワーク要素は、イベント通知をソースＡＭＦネットワーク要素のデフォルトコールバックアドレスへ送信してよい。その結果、ソースＡＭＦネットワーク要素は、対応するサブスクリプションイベントを適時処理するために、サブスクリプションイベントのイベント通知を適時学習できる。
【０２４３】
Ｓ５０３。目標ＡＭＦネットワーク要素は、登録要求２をＮＲＦネットワーク要素へ送信する。その結果、ＮＲＦネットワーク要素は、登録要求２を目標ＡＭＦネットワーク要素から受信する。
【０２４４】
登録要求２は、目標ＡＭＦネットワーク要素の第１コールバックアドレス情報をＮＲＦネットワーク要素に登録するよう要求するために使用される。目標ＡＭＦネットワーク要素の第１コールバックアドレス情報の関連する説明については、前述のステップＳ４０４を参照する。詳細はここで再び記載されない。
【０２４５】
任意で、本願の本実施形態におけるステップＳ５０２及びＳ５０３の間に必要な実行順序は存在しない。ステップＳ５０２はステップＳ５０３の前に実行されてよく、又はステップＳ５０３はステップＳ５０２の前に実行されてよく、又はステップＳ５０２及びステップＳ５０３は同時に実行されてよい。これは、本願の本実施形態において具体的に限定されない。
【０２４６】
Ｓ５０４。ソースＡＭＦネットワーク要素が、第１端末の属する端末グループの中の端末にもはやサービスしないと決定した後に、ソースＡＭＦネットワーク要素は、ＵＤＳＦネットワーク要素へ、第１端末の属する端末グループの中の端末のコンテキストを送信する。その結果、ＵＤＳＦネットワーク要素は、ソースＡＭＦネットワーク要素から、第１端末の属する端末グループの中の端末のコンテキストを受信する。
【０２４７】
第１端末の属する端末グループの中の端末のコンテキストの関連する説明については、前述のステップＳ４０３を参照する。詳細はここで再び記載されない。
【０２４８】
任意で、本願の本実施形態で提供されるサブスクリプション更新方法が前述のステップＳ５０１を含む場合、本願の本実施形態で提供されるサブスクリプション更新方法は、以下のステップＳ５０５を更に含む。
【０２４９】
Ｓ５０５。本ステップは、ステップＳ４０４と同様である。例えば、相違は、本実施形態におけるステップＳ５０５が目標ＡＭＦネットワーク要素の第１コールバックアドレス情報又は目標ＡＭＦネットワーク要素の識別子を伝達しないことにある。関連する説明については、前述のステップＳ４０４を参照する。詳細はここで再び記載されない。
【０２５０】
Ｓ５０６。本ステップはＳ４０７と同じである。関連する説明については、前述のステップＳ４０７を参照する。詳細はここで再び記載されない。
【０２５１】
Ｓ５０７。第１イベント通知ネットワーク要素は、ソースＡＭＦネットワーク要素が第１端末にサービスしないと決定する。
【０２５２】
可能な実装では、第１イベント通知ネットワーク要素が、ソースＡＭＦネットワーク要素が第１端末にサービスしないと決定することは、状態通知１をソースＡＭＦネットワーク要素から受信するステップ（ステップＳ５０５）の後に、第１イベント通知ネットワーク要素は、状態通知１を格納してよい。さらに、第１イベント通知ネットワーク要素が、第１端末の第１サブスクリプションイベントの通知条件が満たされると決定した後に、第１イベント通知ネットワーク要素は、格納した状態通知１に基づき、ソースＡＭＦネットワーク要素が第１端末にサービスしないと学習してよい。
【０２５３】
可能な実装では、第１イベント通知ネットワーク要素は、第１端末の属する端末グループの状態変化イベントをサブスクライブしない（つまり、ステップＳ５０１及びステップＳ５０５は実行されない）。したがって、第１イベント通知ネットワーク要素が、ソースＡＭＦネットワーク要素が第１端末にサービスしないと決定することは、第１イベント通知ネットワーク要素により、第１サブスクリプションイベントの第３イベント通知を、ソースＡＭＦネットワーク要素へ、第１端末に相関されたソースＡＭＦネットワーク要素のコールバックアドレス情報に基づき、送信するステップと、第１イベント通知ネットワーク要素により、ソースＡＭＦネットワーク要素がアクセスできないと決定するステップと、を含む。
【０２５４】
例えば、第１イベント通知ネットワーク要素により、ソースＡＭＦネットワーク要素がアクセスできないと決定するステップは、第１イベント通知ネットワーク要素により、メッセージがソースＡＭＦネットワーク要素へ送信できないと発見するステップ、又は、第１イベント通知ネットワーク要素により、拒否メッセージをソースＡＭＦネットワーク要素から受信するステップ、であってよい。これは、本願の本実施形態において具体的に限定されない。
【０２５５】
Ｓ５０８。第１イベント通知ネットワーク要素は、要求メッセージをＮＲＦネットワーク要素へ送信する。その結果、ＮＲＦネットワーク要素は、要求メッセージを第１イベント通知ネットワーク要素から受信する。
【０２５６】
要求メッセージは、第２指示情報、及び第１端末の属する端末グループのグループ識別子に対応するＡＭＦネットワーク要素セットのセット識別子を伝達する。第２指示情報は、要求メッセージが、目標ＡＭＦネットワーク要素の第１コールバックアドレス情報を要求するために使用されることを示すために使用される。例えば、セット識別子は、第１端末の属する端末グループに対応するＧＵＡＭＩの中のＡＭＦ  ｓｅｔ  ＩＤであってよい。
【０２５７】
Ｓ５０９。ＮＲＦネットワーク要素は、応答メッセージを第１イベント通知ネットワーク要素へ送信する。その結果、第１イベント通知ネットワーク要素は、応答メッセージをＮＲＦネットワーク要素から受信する。応答メッセージは、目標ＡＭＦネットワーク要素の第１コールバックアドレス情報を伝達する。
【０２５８】
任意で、本願の本実施形態では、要求メッセージを受信した後に、ＮＲＦネットワーク要素は、ＡＭＦネットワーク要素セットのセット識別子に基づき、第１端末にサービスする目標ＡＭＦネットワーク要素を決定してよく、目標ＡＭＦネットワーク要素の第１コールバックアドレス情報を、ＡＭＦネットワーク要素の格納された第１コールバックアドレス情報に基づき更に決定してよい。
【０２５９】
代替として、任意で、本願の本実施形態では、要求メッセージを受信した後に、ＮＲＦネットワーク要素は、第１イベント通知ネットワーク要素へ、ＡＭＦネットワーク要素セットのセット識別子に対応するＡＭＦネットワーク要素セットの中の全ての利用可能ＡＭＦネットワーク要素の第１コールバックアドレス情報を送信してよい。第１イベント通知ネットワーク要素は、全ての利用可能ＡＭＦネットワーク要素から１つのＡＭＦネットワーク要素を選択し、選択したＡＭＦネットワーク要素の第１コールバックアドレス情報を、目標ＡＭＦネットワーク要素の第１コールバックアドレス情報として決定する。これは、本願の本実施形態において具体的に限定されない。
【０２６０】
Ｓ５１０。本ステップはＳ４１１と同じである。関連する説明については、前述のステップＳ４１１を参照する。詳細はここで再び記載されない。
【０２６１】
Ｓ５１１。目標ＡＭＦネットワーク要素は、コンテキスト要求メッセージをＵＤＳＦネットワーク要素へ送信する。その結果、ＵＤＳＦネットワーク要素は、コンテキスト要求メッセージを目標ＡＭＦネットワーク要素から受信する。
【０２６２】
コンテキスト要求メッセージは、第１端末のコンテキストを要求するために使用される。第１端末のコンテキストの関連する説明については、前述のステップＳ４０３を参照する。詳細はここで再び記載されない。
【０２６３】
Ｓ５１２。ＵＤＳＦネットワーク要素は、コンテキスト応答メッセージを目標ＡＭＦネットワーク要素へ送信する。その結果、目標ＡＭＦネットワーク要素は、コンテキスト応答メッセージをＵＤＳＦネットワーク要素から受信する。
【０２６４】
コンテキスト応答メッセージは、第１端末のコンテキストを伝達する。
【０２６５】
任意で、本願の本実施形態で提供されるサブスクリプション更新方法は、以下のステップを更に含んでよい。
【０２６６】
Ｓ５１３〜Ｓ５１５。これらのステップはステップＳ４１２〜Ｓ４１４と同じである。関連する説明については、前述のステップＳ４１２〜Ｓ４１４を参照する。詳細はここで再び記載されない。
【０２６７】
本願の実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果の記載を参照する。詳細はここで再び記載されない。
【０２６８】
前述のステップＳ５０１〜Ｓ５１５における第１イベント通知ネットワーク要素、第２イベント通知ネットワーク要素、ソースＡＭＦネットワーク要素、目標ＡＭＦネットワーク要素、ＵＤＭネットワーク要素、ＮＲＦネットワーク要素、又はＵＤＳＦネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０２６９】
任意で、図１に示すサブスクリプション更新が図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図６は、本願の一実施形態において提供される別のサブスクリプション更新方法を示す。方法は以下のステップを含む。
【０２７０】
Ｓ６０１。本ステップはＳ４０１と同じである。関連する説明については、前述のステップＳ４０１を参照する。詳細はここで再び記載されない。
【０２７１】
本願の本実施形態では、ステップＳ６０１は任意的ステップである。これはここで統一的に記載された。詳細は以下に再び記載されない。
【０２７２】
Ｓ６０２及びＳ６０３。これらのステップはステップＳ４０２及びＳ４０３と同じである。関連する説明については、前述のステップＳ４０２及びＳ４０３を参照する。詳細はここで再び記載されない。
【０２７３】
Ｓ６０４及びＳ６０５。これらのステップは、ステップＳ４０４及びＳ４０５と同様である。例えば、相違は、本実施形態におけるステップＳ６０４及びＳ６０５が目標ＡＭＦネットワーク要素の第１コールバックアドレス情報を伝達しないことにある。関連する説明については、前述のステップＳ４０４及びＳ４０５を参照する。詳細はここで再び記載されない。本願の本実施形態では、ステップＳ６０４及びＳ６０５は両方とも任意的ステップである。これはここで統一的に記載された。詳細は以下に再び記載されない。
【０２７４】
Ｓ６０６。本ステップは、ステップＳ４０６と同様である。例えば、相違は、本実施形態におけるステップＳ６０６が目標ＡＭＦネットワーク要素の第１コールバックアドレス情報を伝達しないが、目標ＡＭＦネットワーク要素の第１サービスのアドレス情報を伝達することにある。第１サービスは、第１サブスクリプションイベントのサブスクリプション更新をトリガするために使用される。関連する説明については、前述のステップＳ４０６を参照する。詳細はここで再び記載されない。
【０２７５】
代替として、任意で、本願の本実施形態では、第１サービスのアドレス情報は、代替として、目標ＡＭＦネットワーク要素が最初にＮＲＦネットワーク要素に登録されるとき、ＮＲＦネットワーク要素へ送信されてよい。これは、本願の本実施形態において具体的に限定されない。
【０２７６】
Ｓ６０７。本ステップはＳ４０７と同じである。関連する説明については、前述のステップＳ４０７を参照する。詳細はここで再び記載されない。
【０２７７】
Ｓ６０８。本ステップは、ステップＳ４０８と同様である。例えば、相違は、本実施形態におけるステップＳ６０６の拒否メッセージが目標ＡＭＦネットワーク要素の第１コールバックアドレス情報を伝達しないことにある。関連する説明については、前述のステップＳ４０８を参照する。詳細はここで再び記載されない。
【０２７８】
Ｓ６０９。第１イベント通知ネットワーク要素は、要求メッセージをＮＲＦネットワーク要素へ送信する。その結果、ＮＲＦネットワーク要素は、要求メッセージを第１イベント通知ネットワーク要素から受信する。
【０２７９】
要求メッセージは、目標ＡＭＦネットワーク要素に関する情報及び第２指示情報を伝達する。第２指示情報は、要求メッセージが、目標ＡＭＦネットワーク要素の第１サービスのアドレス情報を要求するために使用されることを示すために使用される。
【０２８０】
任意で、本願の本実施形態では、例えば、目標ＡＭＦネットワーク要素に関する情報は、目標ＡＭＦネットワーク要素の識別子、目標ＡＭＦネットワーク要素のインターネットプロトコル（internet  protocol、IP）アドレス、又は目標ＡＭＦネットワーク要素の完全修飾ドメイン名（fully  qualified  domain  name、FQDN）であってよい。これは、本願の本実施形態において具体的に限定されない。
【０２８１】
Ｓ６１０。ＮＲＦネットワーク要素は、応答メッセージを第１イベント通知ネットワーク要素へ送信する。その結果、第１イベント通知ネットワーク要素は、応答メッセージをＮＲＦネットワーク要素から受信する。応答メッセージは、目標ＡＭＦネットワーク要素の第１サービスのアドレス情報を伝達する。
【０２８２】
具体的に、本願の本実施形態では、要求メッセージを受信した後に、ＮＲＦネットワーク要素は、目標ＡＭＦネットワーク要素の第１サービスのアドレス情報を、ステップＳ６０６で格納された、目標ＡＭＦネットワーク要素の第１サービスのアドレス情報と目標ＡＭＦネットワーク要素に関する情報との間の対応に基づき、決定してよい。これは、本願の本実施形態において具体的に限定されない。
【０２８３】
Ｓ６１１。第１イベント通知ネットワーク要素は、メッセージ１を目標ＡＭＦネットワーク要素へ、第１サービスのアドレス情報に基づき送信する。その結果、目標ＡＭＦネットワーク要素は、メッセージ１を第１イベント通知ネットワーク要素から受信する。
【０２８４】
メッセージ１は、第１端末の識別子を伝達し、目標ＡＭＦネットワーク要素に第１端末のサブスクリプションを更新するよう要求するために使用される。
【０２８５】
Ｓ６１２。本ステップはＳ４１２と同じである。関連する説明については、前述のステップＳ４１２を参照する。詳細はここで再び記載されない。
【０２８６】
本願の本実施形態では、ステップＳ６１２は任意的ステップである。これはここで統一的に記載された。詳細は以下に再び記載されない。
【０２８７】
Ｓ６１３。本ステップはＳ４１３と同じである。関連する説明については、前述のステップＳ４１３を参照する。詳細はここで再び記載されない。
【０２８８】
Ｓ６１４。本ステップはＳ４１４と同じである。関連する説明については、前述のステップＳ４１４を参照する。詳細はここで再び記載されない。
【０２８９】
本願の本実施形態では、ステップＳ６１４は任意的ステップである。これはここで統一的に記載された。詳細は以下に再び記載されない。
【０２９０】
本願の実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果を参照する。詳細はここで再び記載されない。
【０２９１】
前述のステップＳ６０１〜Ｓ６１４における第１イベント通知ネットワーク要素、第２イベント通知ネットワーク要素、ソースＡＭＦネットワーク要素、目標ＡＭＦネットワーク要素、ＵＤＭネットワーク要素、又はＮＲＦネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０２９２】
任意で、図１に示すサブスクリプション更新が図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図７は、本願の一実施形態において提供される別のサブスクリプション更新方法を示す。方法は以下のステップを含む。
【０２９３】
Ｓ７０１。本ステップはＳ５０１と同じである。関連する説明については、前述のステップＳ５０１を参照する。詳細はここで再び記載されない。
【０２９４】
本願の本実施形態では、ステップＳ７０１は任意的ステップである。これはここで統一的に記載された。詳細は以下に再び記載されない。
【０２９５】
Ｓ７０２。本ステップはＳ５０４と同じである。関連する説明については、前述のステップＳ５０４を参照する。詳細はここで再び記載されない。
【０２９６】
任意で、本願の本実施形態で提供されるサブスクリプション更新方法が前述のステップＳ７０１を含む場合、本願の本実施形態で提供されるサブスクリプション更新方法は、以下のステップＳ７０３を更に含む。
【０２９７】
Ｓ７０３。本ステップはＳ５０５と同じである。関連する説明については、ステップＳ５０５を参照する。詳細はここで再び記載されない。
【０２９８】
さらに、本願の本実施形態で提供されるサブスクリプション更新方法は、以下のステップを含む。
【０２９９】
Ｓ７０４及びＳ７０５。これらのステップはステップＳ５０６及びＳ５０７と同じである。関連する説明については、ステップＳ５０６及びＳ５０７を参照する。詳細はここで再び記載されない。
【０３００】
Ｓ７０６。第１イベント通知ネットワーク要素は、要求メッセージをＮＲＦネットワーク要素へ送信する。その結果、ＮＲＦネットワーク要素は、要求メッセージを第１イベント通知ネットワーク要素から受信する。
【０３０１】
要求メッセージは、第２指示情報、及び第１端末の属する端末グループのグループ識別子に対応するＡＭＦネットワーク要素セットのセット識別子を伝達する。第２指示情報は、要求メッセージが、目標ＡＭＦネットワーク要素の第１サービスのアドレス情報を要求するために使用されることを示すために使用される。第１サービスは、第１サブスクリプションイベントのサブスクリプション更新をトリガするために使用される。例えば、セット識別子は、第１端末の属する端末グループに対応するＧＵＡＭＩの中のＡＭＦ  ｓｅｔ  ＩＤであってよい。
【０３０２】
例えば、第２指示情報は第１サービスの種別であってよい。これはここで統一的に記載された。これは、本願の本実施形態において具体的に限定されない。
【０３０３】
Ｓ７０７。ＮＲＦネットワーク要素は、応答メッセージを第１イベント通知ネットワーク要素へ送信する。その結果、第１イベント通知ネットワーク要素は、応答メッセージをＮＲＦネットワーク要素から受信する。応答メッセージは、目標ＡＭＦネットワーク要素の第１サービスのアドレス情報を伝達する。
【０３０４】
任意で、本願の本実施形態では、要求メッセージを受信した後に、ＮＲＦネットワーク要素は、ＡＭＦネットワーク要素セットのセット識別子に基づき、第１端末にサービスする目標ＡＭＦネットワーク要素を決定してよく、目標ＡＭＦネットワーク要素の第１サービスのアドレス情報を、目標ＡＭＦネットワーク要素の第１サービスのアドレス情報と目標ＡＭＦネットワーク要素に関する情報との間の対応に基づき更に決定してよい。
【０３０５】
代替として、任意で、本願の本実施形態では、ＮＲＦネットワーク要素は、第１イベント通知ネットワーク要素へ、ＡＭＦネットワーク要素セットのセット識別子に対応するＡＭＦネットワーク要素セットの中の全ての利用可能ＡＭＦネットワーク要素の第１サービスアドレス情報を送信してよい。第１イベント通知ネットワーク要素は、全ての利用可能ＡＭＦネットワーク要素から１つのＡＭＦネットワーク要素を選択し、選択したＡＭＦネットワーク要素の第１サービスアドレス情報を、目標ＡＭＦネットワーク要素の第１サービスのアドレス情報として決定する。これは、本願の本実施形態において具体的に限定されない。
【０３０６】
任意で、本願の本実施形態では、目標ＡＭＦネットワーク要素の第１サービスのアドレス情報は、目標ＡＭＦネットワーク要素によりＮＲＦネットワーク要素へ送信される。例えば、目標ＡＭＦネットワーク要素が最初にＮＲＦネットワーク要素に登録されるとき、目標ＡＭＦネットワーク要素は、目標ＡＭＦネットワーク要素の第１サービスのアドレス情報を、ＮＲＦネットワーク要素へ送信してよい。又は、目標ＡＭＦネットワーク要素は目標ＡＭＦネットワーク要素の第１サービスのアドレス情報を、ＮＲＦネットワーク要素へ、後の登録更新処理の中で送信してよい。これは、本願の本実施形態において具体的に限定されない。
【０３０７】
Ｓ７０８。本ステップはＳ６１１と同じである。関連する説明については、前述のステップＳ６１１を参照する。詳細はここで再び記載されない。
【０３０８】
Ｓ７０９及びＳ７１０。これらのステップはステップＳ５１１及びＳ５１２と同じである。関連する説明については、前述のステップＳ５１１及びＳ５１２を参照する。詳細はここで再び記載されない。
【０３０９】
Ｓ７１１〜Ｓ７１３。これらのステップはステップＳ６１２〜Ｓ６１４と同じである。関連する説明については、前述のステップＳ６１２〜Ｓ６１４を参照する。詳細はここで再び記載されない。
【０３１０】
本願の実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果の記載を参照する。詳細はここで再び記載されない。
【０３１１】
前述のステップＳ７０１〜Ｓ７１３における第１イベント通知ネットワーク要素、第２イベント通知ネットワーク要素、ソースＡＭＦネットワーク要素、目標ＡＭＦネットワーク要素、ＵＤＭネットワーク要素、ＮＲＦネットワーク要素、又はＵＤＳＦネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０３１２】
任意で、図１に示すサブスクリプション更新が図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図８は、本願の一実施形態において提供される別のサブスクリプション更新方法を示す。方法は以下のステップを含む。
【０３１３】
Ｓ８０１。ソースＡＭＦネットワーク要素は、サブスクリプション要求を第１イベント通知ネットワーク要素へ送信する。その結果、第１イベント通知ネットワーク要素は、サブスクリプション要求をソースＡＭＦネットワーク要素から受信する。
【０３１４】
サブスクリプション要求は、第１端末の第１サブスクリプションイベントに対応する、ソースＡＭＦネットワーク要素の第１コールバックアドレス情報を伝達する。ソースＡＭＦネットワーク要素の第１コールバックアドレス情報は、ソースＡＭＦネットワーク要素に関する情報を含む。
【０３１５】
任意で、ソースＡＭＦネットワーク要素の第１コールバックアドレス情報は、第１端末に関する情報、又は第１サブスクリプションイベントに関する情報、のうちの少なくとも１つを更に含んでよい。第１端末に関する情報は、第１サブスクリプションイベントに対応する第１端末を決定するために使用される。第１サブスクリプションイベントに関する情報は、第１サブスクリプションイベントを決定するために使用される。これは、本願の本実施形態において具体的に限定されない。
【０３１６】
例えば、本願の本実施形態では、ソースＡＭＦネットワーク要素の第１コールバックアドレス情報のフォーマットは、http://<amf>/{GUAMI}/{uecontextid}/subscriptiondataであってよい。
【０３１７】
本願の本実施形態では、<amf>は、ＡＭＦネットワーク要素に関する情報であり、ＡＭＦネットワーク要素を識別するために使用される。例えば、ソースＡＭＦネットワーク要素の第１コールバックアドレス情報の中の<amf>は、ソースＡＭＦネットワーク要素に関する情報である。例えば、ソースＡＭＦネットワーク要素に関する情報は、ソースＡＭＦネットワーク要素のＩＰアドレス、又はソースＡＭＦネットワーク要素のＦＱＤＮであってよい。これは、本願の本実施形態において具体的に限定されない。
【０３１８】
本願の本実施形態では、{uecontextid}は端末の識別子であってよい。例えば、ソースＡＭＦネットワーク要素の第１コールバックアドレス情報の中の{uecontextid}は、第１端末の識別子である。例えば、第１端末の識別子は、第１端末のサブスクリプション永久識別子（subscriber  permanent  identifier、SUPI）、第１端末のグローバルユニーク一時識別子（globally  unique  temporary  identity、GUTI）、又は永久機器アイデンティティ（permanent  equipment  ID、PEI）であってよい。これは、本願の本実施形態において具体的に限定されない。
【０３１９】
任意で、本願の本実施形態では、{uecontextid}は代替として端末コンテキストの記憶位置を示すために使用されてよい。例えば、第１端末のコンテキストがＵＤＳＦネットワーク要素に格納されるとき、ソースＡＭＦネットワーク要素の第１コールバックアドレス情報の中の{uecontextid}は、第１端末のコンテキストの、ＵＤＳＦネットワーク要素上の記憶位置を示すために使用される。その結果、ＵＤＳＦネットワーク要素に格納された第１端末のコンテキストは、ソースＡＭＦネットワーク要素の第１コールバックアドレス情報に基づき見付けられ得る。これは、本願の本実施形態において具体的に限定されない。
【０３２０】
本願の本実施形態では、subscriptiondataはサブスクリプションを識別するために使用される。例えば、ソースＡＭＦネットワーク要素の第１コールバックアドレス情報の中のsubscriptiondataは、第１サブスクリプションを識別するために使用される。任意で、本実施形態では、第１サブスクリプションがセッションに関連するサブスクリプションである場合、subscriptiondataは、第１サブスクリプションに関連するセッションのセッション識別子を含む。これは、本願の本実施形態において具体的に限定されない。
【０３２１】
代替として、例えば、本願の本実施形態では、ソースＡＭＦネットワーク要素の第１コールバックアドレス情報のフォーマットは、http://<amf>/{GUAMI}/{uecontextid}/subscriptiondataであってよい。
【０３２２】
GUAMIは、第１端末の属する端末グループのグループ識別子である。<amf>、{uecontextid}、及びsubscriptiondataの説明については、前述の例を参照する。詳細はここで再び記載されない。代替として、本例では、uecontextidは、代替として、端末グループの中の端末のコンテキストの中の、第１端末のコンテキストの相対位置を示すために使用されてよい。これは、本例において具体的に限定されない。
【０３２３】
勿論、以上は、ソースＡＭＦネットワーク要素の第１コールバックアドレス情報の２つのフォーマットを単なる例として提供した。勿論、ソースＡＭＦネットワーク要素の第１コールバックアドレス情報は、代替として別のフォーマットであってよい。これは、本願の本実施形態において具体的に限定されない。
【０３２４】
Ｓ８０２。本ステップはＳ５０１と同じである。関連する説明については、前述のステップＳ５０１を参照する。詳細はここで再び記載されない。
【０３２５】
本願の本実施形態では、ステップＳ８０２は任意的ステップである。これはここで統一的に記載された。詳細は以下に再び記載されない。
【０３２６】
任意で、本願の本実施形態では、ステップＳ８０２の後に、本願の本実施形態で提供されるサブスクリプション更新方法はステップＳ８０３を更に含んでよい。
【０３２７】
Ｓ８０３。ソースＡＭＦネットワーク要素が、第１端末の属する端末グループの中の端末にもはやサービスしないと決定した後に、ソースＡＭＦネットワーク要素は、状態通知１を第１イベント通知ネットワーク要素へ送信する。その結果、第１イベント通知ネットワーク要素は、状態通知１をソースＡＭＦネットワーク要素から受信する。状態通知１は、ソースＡＭＦネットワーク要素が第１端末の属する端末グループにサービスしないことを示すために使用される。
【０３２８】
状態通知１は、目標ＡＭＦネットワーク要素へ移動された第１端末の属する端末グループに対応するグループ識別子、例えば第１端末の属する端末グループに対応するＧＵＡＭＩを伝達してよい。
【０３２９】
任意で、状態通知１は、目標ＡＭＦネットワーク要素の識別子、例えば目標ＡＭＦネットワーク要素の名称を伝達してよい。これは、本願の本実施形態において具体的に限定されない。
【０３３０】
さらに、本願の本実施形態で提供されるサブスクリプション更新方法は、以下のステップを含んでよい。
【０３３１】
Ｓ８０４及びＳ８０５。これらのステップはステップＳ５０６及びＳ５０７と同じである。関連する説明については、前述のステップＳ５０６及びＳ５０７を参照する。詳細はここで再び記載されない。
【０３３２】
Ｓ８０６。第１イベント通知ネットワーク要素は、第１サブスクリプションイベントについて、目標ＡＭＦネットワーク要素の対応する第１コールバックアドレス情報を生成する。
【０３３３】
本願の本実施形態では、目標ＡＭＦネットワーク要素の第１コールバックアドレス情報の中の情報は、目標ＡＭＦネットワーク要素に関する情報を含む。例えば、目標ＡＭＦネットワーク要素に関する情報は、目標ＡＭＦネットワーク要素のＩＰアドレス、又は目標ＡＭＦネットワーク要素のＦＱＤＮであってよい。これは、本願の本実施形態において具体的に限定されない。
【０３３４】
任意で、本願の本実施形態では、目標ＡＭＦネットワーク要素に関する情報は、ステップＳ８０３における状態通知１の中で伝達されてよく、又は別の方法で取得されてよい。例えば、ＵＤＳＦネットワーク要素の存在するシナリオでは、第１イベント通知ネットワーク要素は、ドメインネームシステム（domain  name  system、DNS）又はＮＲＦネットワーク要素に、第１端末に対応するＧＵＡＭＩの中のＡＭＦネットワーク要素セットに関する情報（例えば、ＡＭＦネットワーク要素セットのＦＱＤＮ）に基づき、クエリしてよい。ＤＮＳ又はＮＲＦネットワーク要素は、第１イベント通知ネットワーク要素に、ＡＭＦネットワーク要素セットの中の利用可能ＡＭＦネットワーク要素のＦＱＤＮ又はＩＰアドレスを返す。さらに、第１イベント通知ネットワーク要素は、１つのＡＭＦネットワーク要素を利用可能ＡＭＦネットワーク要素から目標ＡＭＦネットワーク要素として選択し、目標ＡＭＦネットワーク要素のＦＱＤＮ又はＩＰアドレスを目標ＡＭＦネットワーク要素に関する情報として決定する。これは、本願の本実施形態において具体的に限定されない。
【０３３５】
任意で、可能な実装では、第１イベント通知ネットワーク要素が、第１サブスクリプションイベントについて、目標ＡＭＦネットワーク要素の対応する第１コールバックアドレス情報を生成することは、第１イベント通知ネットワーク要素により、第１サブスクリプションイベントについて、目標ＡＭＦネットワーク要素の対応する第１コールバックアドレス情報を、サブスクリプション要求の中で伝達されるソースＡＭＦネットワーク要素の第１コールバックアドレス情報に基づき生成するステップを含む。例えば、第１イベント通知ネットワーク要素は、目標ＡＭＦネットワーク要素に関する情報を、ソースＡＭＦネットワーク要素の第１コールバックアドレス情報http://<sourceamf>/{uecontextid}/subscriptiondataの中にあるソースＡＭＦネットワーク要素に関する情報の代わりに用いて、目標ＡＭＦネットワーク要素の第１コールバックアドレス情報http://<targetamf>/{uecontextid}/subscriptiondataを取得する。
【０３３６】
任意で、別の可能な実装では、第１イベント通知ネットワーク要素が、第１サブスクリプションイベントについて、目標ＡＭＦネットワーク要素の対応する第１コールバックアドレス情報を生成することは、第１イベント通知ネットワーク要素により、第１サブスクリプションイベントについて、目標ＡＭＦネットワーク要素の対応する第１コールバックアドレス情報をプリセットコールバックアドレスフォーマットに基づき生成するステップを含む。プリセットコールバックアドレスフォーマットについては、前述のステップＳ８０１におけるソースＡＭＦネットワーク要素の第１コールバックアドレス情報の記載を参照する。詳細はここで再び記載されない。
【０３３７】
Ｓ８０７。第１イベント通知ネットワーク要素は、メッセージ１を目標ＡＭＦネットワーク要素へ、目標ＡＭＦネットワーク要素の第１コールバックアドレス情報に基づき送信する。その結果、目標ＡＭＦネットワーク要素は、メッセージ１を第１イベント通知ネットワーク要素から受信する。
【０３３８】
メッセージ１は、第１サブスクリプションイベントの第１イベント通知を伝達する。
【０３３９】
任意で、本願の本実施形態で提供されるサブスクリプション更新方法は、以下のステップを更に含んでよい。
【０３４０】
Ｓ８０８。本ステップはＳ４１２と同じである。関連する説明については、前述のステップＳ４１２を参照する。詳細はここで再び記載されない。
【０３４１】
Ｓ８０９。目標ＡＭＦネットワーク要素は、メッセージ２を第１イベント通知ネットワーク要素へ送信する。その結果、第１イベント通知ネットワーク要素は、メッセージ２を目標ＡＭＦネットワーク要素から受信する。
【０３４２】
メッセージ２は、目標ＡＭＦネットワーク要素により第１サブスクリプションイベントに割り当てられた通知相関アイデンティティを伝達してよい。通知相関アイデンティティは、第１サブスクリプションイベントを決定するために使用される。これは、本願の本実施形態において具体的に限定されない。
【０３４３】
本願の実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果の記載を参照する。詳細はここで再び記載されない。
【０３４４】
前述のステップＳ８０１〜Ｓ８０９における第１イベント通知ネットワーク要素、ソースＡＭＦネットワーク要素、目標ＡＭＦネットワーク要素、ＵＤＭネットワーク要素、又はＮＲＦネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０３４５】
任意で、図１に示すサブスクリプション更新が図２に示す５Ｇネットワークに適用される一例が使用され、及び、ソースサブスクリプションネットワーク要素が５ＧネットワークにおけるソースＡＭＦネットワーク要素であり、目標サブスクリプションネットワーク要素が５Ｇネットワークにおける目標ＡＭＦネットワーク要素である一例が使用される。図９は、本願の一実施形態において提供される別のサブスクリプション更新方法を示す。方法は以下のステップを含む。
【０３４６】
Ｓ９０１。ソースＡＭＦネットワーク要素が第１端末にもはやサービスしないと決定した後に、ソースＡＭＦネットワーク要素は、目標ＡＭＦネットワーク要素を第１端末のために選択し、第１端末のコンテキストを目標ＡＭＦネットワーク要素へ送信する。
【０３４７】
第１端末のコンテキストの関連する説明については、前述のステップＳ４０２を参照する。詳細はここで再び記載されない。
【０３４８】
Ｓ９０２。本ステップはＳ４１３と同じである。関連する説明については、前述のステップＳ４１３を参照する。詳細はここで再び記載されない。
【０３４９】
任意で、本願の本実施形態で提供されるサブスクリプション更新方法は、以下のステップＳ９０３を更に含んでよい。
【０３５０】
Ｓ９０３。本ステップはＳ４１４と同じである。関連する説明については、前述のステップＳ４１４を参照する。詳細はここで再び記載されない。
【０３５１】
任意で、本願の本実施形態で提供されるサブスクリプション更新方法は、以下のステップＳ９０４を更に含んでよい。
【０３５２】
Ｓ９０４。本ステップはＳ４１２と同じである。関連する説明については、前述のステップＳ４１２を参照する。詳細はここで再び記載されない。
【０３５３】
任意で、本願の本実施形態では、第１イベント通知ネットワーク要素がＵＤＭネットワーク要素である場合、ステップＳ９０２におけるメッセージ１で伝達される情報、及びステップＳ９０４における登録要求で伝達される情報は、１つのメッセージを用いて送信されてよい。同様に、本願の本実施形態では、第２イベント通知ネットワーク要素がＵＤＭネットワーク要素である場合、ステップＳ９０３におけるメッセージ２で伝達される情報、及びステップＳ９０４における登録要求で伝達される情報は、１つのメッセージを用いて送信されてよい。これは、本願の本実施形態において具体的に限定されない。
【０３５４】
本願の本実施形態において提供されるサブスクリプション更新方法によると、端末がソースＡＭＦネットワーク要素から目標ＡＭＦネットワーク要素へ移動されるシナリオで、目標ＡＭＦネットワーク要素は、対応するサブスクリプションイベントを適時処理するために、サブスクリプションイベントのイベント通知を適時学習できる。関連する技術的効果に対する分析については、サブスクリプション更新システムの技術的効果の記載を参照する。詳細はここで再び記載されない。
【０３５５】
前述のステップＳ９０１〜Ｓ９０４における第１イベント通知ネットワーク要素、第２イベント通知ネットワーク要素、ソースＡＭＦネットワーク要素、目標ＡＭＦネットワーク要素、又はＵＤＭネットワーク要素の動作は、図３に示される通信装置３００内のプロセッサ３０１により、メモリ３０３に格納されたアプリケーションプログラムコードを呼び出すことにより、実行されてよい。これは、本実施形態において限定されない。
【０３５６】
以上は、主に、本願の実施形態において提供されるソリューションをネットワーク要素間の相互作用の観点から記載した。前述の機能を実施するために、ソースアクセス及び移動性管理機能ネットワーク要素、目標アクセス及び移動性管理機能ネットワーク要素、又は目標中間セッション管理ネットワーク要素は、対応するハードウェア構造及び／又は該機能を実行するソフトウェアモジュールを含むことが理解され得る。当業者は、本願明細書に開示された実施形態を参照して記載された例のユニット及びアルゴリズムステップがハードウェアの形式で又は本願のハードウェア及びコンピュータソフトウェアの組み合わせの形式で実装されてよいことに容易に気付くべきである。機能がハードウェアにより又はコンピュータソフトウェアにより駆動されるハードウェアにより実施されるかは、技術的ソリューションの特定の適用及び設計制約に依存する。当業者は、各々の特定の適用について記載の機能を実施するために異なる方法を使用し得るが、実装が本願の範囲を超えると考えられるべきではない。
【０３５７】
本願の実施形態では、第１イベント通知ネットワーク要素又は目標サブスクリプションネットワーク要素の機能モジュールは、前述の方法の例に従い分割されてよい。例えば、機能モジュールは機能に基づき分割されてよく、又は少なくとも２つの機能は１つの処理モジュールに統合されてよい。統合モジュールは、ハードウェアの形式で実装されてよく、又はソフトウェア機能モジュールの形式で実装されてよい。留意すべきことに、本願の実施形態におけるモジュール分割は一例であり、単なる論理的な機能分割である。実際の実装中には別の分割方法があり得る。
【０３５８】
例えば、機能モジュールが統合を通じて分割される場合、図１０は、第１イベント通知ネットワーク要素１００の概略構造図を示す。第１イベント通知ネットワーク要素１００は、処理モジュール１００１及び通信機モジュール１００２を含む。
【０３５９】
図１０に示す第１イベント通知ネットワーク要素１００に基づき、以下の可能なソリューションが提供され得る。
【０３６０】
例えば、ソリューション１では、処理モジュール１００１は、第１端末の第１サブスクリプションイベントの通知条件が満たされると決定するよう構成される。処理モジュール１００１は、目標サブスクリプションネットワーク要素の第１コールバックアドレス情報を取得するよう更に構成される。通信機モジュール１００２は、第１メッセージを目標サブスクリプションネットワーク要素へ第１コールバックアドレス情報に基づき送信するよう構成される。ここで、第１メッセージは、第１端末の識別子、及び第１サブスクリプションイベントの第１イベント通知を伝達し、第１端末の識別子は、第１イベント通知を第１端末に相関するために使用される。
【０３６１】
任意で、通信機モジュール１００２は、第２メッセージを、目標サブスクリプションネットワーク要素から受信するよう更に構成される。ここで、第２メッセージは、目標サブスクリプションネットワーク要素の第２コールバックアドレス情報及び第１指示情報を伝達し、第２コールバックアドレス情報は、第１サブスクリプションイベントに相関されたアドレス情報であり、第１指示情報は、第１サブスクリプションイベントを決定するために使用され、第２コールバックアドレス情報は、第１イベント通知ネットワーク要素により、第１サブスクリプションイベントの第２イベント通知を、目標サブスクリプションネットワーク要素へ、第２コールバックアドレス情報に基づき送信するために使用される。
【０３６２】
任意で、通信機モジュール１００２は、第１状態通知をソースサブスクリプションネットワーク要素又は目標サブスクリプションネットワーク要素から受信するよう更に構成される。ここで、第１状態通知は、目標サブスクリプションネットワーク要素の第１コールバックアドレス情報を伝達する。相応して、処理モジュール１００１が、目標サブスクリプションネットワーク要素の第１コールバックアドレス情報を取得するよう更に構成されることは、処理モジュール１００１が、目標サブスクリプションネットワーク要素の第１コールバックアドレス情報を第１状態通知に基づき決定するよう更に構成されることを含む。
【０３６３】
任意で、処理モジュール１００１が、目標サブスクリプションネットワーク要素の第１コールバックアドレス情報を取得するよう更に構成されることは、処理モジュール１００１が、第４メッセージを、ネットワークレポジトリ機能ネットワーク要素へ送信し、第４メッセージは、第２指示情報と、以下：ソースサブスクリプションネットワーク要素により第１端末の属する端末グループに割り当てられた第１グループ識別子、第１グループ識別子に対応するサブスクリプションネットワーク要素セットのセット識別子、目標サブスクリプションネットワーク要素の識別子、又は目標サブスクリプションネットワーク要素の識別子及び第１グループ識別子、のうちのいずれか１つと、を伝達し、第２指示情報は、第４メッセージが目標サブスクリプションネットワーク要素の第１コールバックアドレス情報を要求するために使用されることを示すために使用され、目標サブスクリプションネットワーク要素の第１コールバックアドレス情報を、ネットワークレポジトリ機能ネットワーク要素から受信するよう更に構成されることを含む。
【０３６４】
任意で、処理モジュール１００１が、目標サブスクリプションネットワーク要素の第１コールバックアドレス情報を取得するよう更に構成されることは、処理モジュール１００１が、第１サブスクリプションイベントの第３イベント通知を、ソースサブスクリプションネットワーク要素へ、第１端末に相関されたソースサブスクリプションネットワーク要素のコールバックアドレス情報に基づき送信し、拒否メッセージを、ソースサブスクリプションネットワーク要素から受信するよう更に構成され、拒否メッセージは、目標サブスクリプションネットワーク要素の第１コールバックアドレス情報を伝達する、ことを含む。
【０３６５】
代替として、ソリューション２では、処理モジュール１００１は、第１端末の第１サブスクリプションイベントの通知条件が満たされると決定するよう構成される。通信機モジュール１００２は、第１メッセージを、目標サブスクリプションネットワーク要素へ送信するよう構成される。ここで、第１メッセージは、第１端末の識別子を伝達し、目標サブスクリプションネットワーク要素に、第１端末のサブスクリプションを更新するよう要求するために使用される。通信機モジュール１００２は、第２メッセージを、目標サブスクリプションネットワーク要素から受信するよう更に構成される。ここで、第２メッセージは、第１指示情報、及び第１サブスクリプションイベントに相関された、目標サブスクリプションネットワーク要素の第１コールバックアドレス情報を伝達する。第１指示情報は、第１サブスクリプションイベントを決定するために使用される。第１コールバックアドレス情報は、第１イベント通知ネットワーク要素により、第１サブスクリプションイベントの第１イベント通知を目標サブスクリプションネットワーク要素へ、第１コールバックアドレス情報に基づき送信するために使用される。
【０３６６】
任意で、処理モジュール１００１は、目標サブスクリプションネットワーク要素の第１サービスのアドレス情報を、ネットワークレポジトリ機能ネットワーク要素から取得するよう更に構成される。ここで、第１サービスは、第１サブスクリプションイベントのサブスクリプション更新をトリガするために使用される。相応して、通信機モジュール１００２が、第１メッセージを目標サブスクリプションネットワーク要素へ送信するよう構成されることは、通信機モジュール１００２が、第１メッセージを目標サブスクリプションネットワーク要素へ第１サービスのアドレス情報に基づき送信するよう構成されることを含む。
【０３６７】
任意で、処理モジュール１００１が、目標サブスクリプションネットワーク要素の第１サービスのアドレス情報を、ネットワークレポジトリ機能ネットワーク要素から取得するよう構成されることは、処理モジュール１００１が、第４メッセージをネットワークレポジトリ機能ネットワーク要素へ送信し、第４メッセージは、目標サブスクリプションネットワーク要素に関する情報及び第２指示情報を伝達し、第２指示情報は、第４メッセージが目標サブスクリプションネットワーク要素の第１サービスのアドレス情報を要求するために使用されることを示すために使用され、第１サービスのアドレス情報をネットワークレポジトリ機能ネットワーク要素から受信するよう構成されることを含む。
【０３６８】
前述のソリューション１又はソリューション２によると、任意で、処理モジュール１００１は、ソースサブスクリプションネットワーク要素が第１端末にサービスしないと決定するよう更に構成される。
【０３６９】
一実装では、処理モジュール１００１が、ソースサブスクリプションネットワーク要素が第１端末にサービスしないと決定するよう更に構成されることは、処理モジュール１００１が、第２状態通知をソースサブスクリプションネットワーク要素又は目標サブスクリプションネットワーク要素から受信するよう更に構成されることを含む。ここで、第２状態通知は、ソースサブスクリプションネットワーク要素が第１端末にサービスしないことを通知するために使用される。
【０３７０】
別の実装では、処理モジュール１００１が、ソースサブスクリプションネットワーク要素が第１端末にサービスしないと決定するよう更に構成されることは、処理モジュール１００１が、第１サブスクリプションイベントの第３イベント通知を、ソースサブスクリプションネットワーク要素へ、第１端末に相関されたソースサブスクリプションネットワーク要素のコールバックアドレス情報に基づき、送信し、ソースサブスクリプションネットワーク要素がアクセスできないと決定するよう更に構成されることを含む。
【０３７１】
代替として、ソリューション３では、処理モジュール１００１は、第１端末の第１サブスクリプションイベントの通知条件が満たされると決定するよう構成される。処理モジュール１００１は、第１サブスクリプションイベントについて、目標サブスクリプションネットワーク要素の対応する第１コールバックアドレス情報を生成するよう更に構成される。通信機モジュール１００２は、第１サブスクリプションイベントの第１イベント通知を目標サブスクリプションネットワーク要素へ第１コールバックアドレス情報に基づき送信するよう更に構成される。
【０３７２】
一実装では、通信機モジュール１００２は、サブスクリプション要求をソースサブスクリプションネットワーク要素から受信するよう更に構成される。ここで、サブスクリプション要求は、第１サブスクリプションイベントに対応するソースサブスクリプションネットワーク要素の第１コールバックアドレス情報を伝達し、ソースサブスクリプションネットワーク要素の第１コールバックアドレス情報は、ソースサブスクリプションネットワーク要素に関する情報を含む。相応して、処理モジュール１００１が、第１サブスクリプションイベントについて、目標サブスクリプションネットワーク要素の対応する第１コールバックアドレス情報を生成するよう更に構成されることは、処理モジュール１００１が、第１サブスクリプションイベントについて、目標サブスクリプションネットワーク要素の対応する第１コールバックアドレス情報を、第１サブスクリプションイベントに対応するソースサブスクリプションネットワーク要素の第１コールバックアドレス情報に基づき生成するよう更に構成されることを含む。ここで、目標サブスクリプションネットワーク要素の第１コールバックアドレス情報は、目標サブスクリプションネットワーク要素に関する情報を含む。
【０３７３】
任意で、処理モジュール１００１が、第１サブスクリプションイベントについて、目標サブスクリプションネットワーク要素の対応する第１コールバックアドレス情報を、第１サブスクリプションイベントに対応するソースサブスクリプションネットワーク要素の第１コールバックアドレス情報に基づき生成するよう更に構成されることは、処理モジュール１００１が、目標サブスクリプションネットワーク要素に関する情報を、第１サブスクリプションイベントに対応するソースサブスクリプションネットワーク要素の第１コールバックアドレス情報の中にあるソースサブスクリプションネットワーク要素に関する情報の代わりに用いて、第１サブスクリプションイベントについて生成された目標サブスクリプションネットワーク要素の対応する第１コールバックアドレス情報を取得するよう更に構成されることを含む。
【０３７４】
別の実装では、処理モジュール１００１が、第１サブスクリプションイベントについて、目標サブスクリプションネットワーク要素の対応する第１コールバックアドレス情報を生成するよう更に構成されることは、処理モジュール１００１が、第１サブスクリプションイベントについて、目標サブスクリプションネットワーク要素の対応する第１コールバックアドレス情報を、プリセットコールバックアドレスフォーマットに基づき生成するよう更に構成されることを含む。ここで、目標サブスクリプションネットワーク要素の第１コールバックアドレス情報は、目標サブスクリプションネットワーク要素に関する情報を含む。
【０３７５】
前述の方法の実施形態におけるステップの全ての関連する内容は、対応する機能モジュールの機能説明において引用され得る。詳細はここで再び記載されない。
【０３７６】
本実施形態では、第１イベント通知ネットワーク要素１００は、機能モジュールを統合を通じて分割することにより表された。ここで、「モジュール」は、特定ＡＳＩＣ、回路、１つ以上のソフトウェア又はファームウェアプログラムを実行するプロセッサ及びメモリ、集積論理回路、及び／又は前述の機能を提供可能な別の装置であってよい。単純な実施形態では、当業者は、第１イベント通知ネットワーク要素１００が図３に示される形式であってよいことを理解し得る。
【０３７７】
例えば、図３のプロセッサ３０１は、メモリ３０３に格納されたコンピュータ実行可能命令を呼び出してよい。その結果、第１イベント通知ネットワーク要素１００は、前述の方法の実施形態におけるサブスクリプション更新方法を実行する。
【０３７８】
具体的に、図１０の処理モジュール１００１及び通信機モジュール１００２の機能及び実装処理は、図３のプロセッサ３０１により、メモリ３０３に格納されたコンピュータ実行可能命令を呼び出すことにより実施されてよい。代替として、図１０の通信機モジュール１００２の機能及び実装処理は、図３の通信インタフェース３０４により実施されてよく、図１０の処理モジュール１００１の機能及び実装処理は、図３のプロセッサ３０１により、メモリ３０３に格納されたコンピュータ実行可能命令を呼び出すことにより実施されてよい。
【０３７９】
本実施形態において提供される第１イベント通知ネットワーク要素１００は、前述のサブスクリプション更新方法を実行してよい。したがって、第１イベント通知ネットワーク要素１００により達成できる技術的効果については、前述の方法の実施形態を参照する。詳細はここで再び記載されない。
【０３８０】
任意で、本願の一実施形態は、チップシステムを更に提供する。チップシステムは、前述のサブスクリプション更新方法を実施する際に、例えば第１端末の第１サブスクリプションイベントの通知条件が満たされると決定する際に、第１イベント通知ネットワーク要素１００をサポートするよう構成されるプロセッサを含む。可能な設計では、チップシステムはメモリを更に含む。メモリは、第１イベント通知ネットワーク要素１００のために必要なプログラム命令及びデータを格納するよう構成される。勿論、メモリは、代替として、チップシステム内に存在しなくてよい。チップシステムは、チップを含んでよく、又はチップ及び別の個別素子を含んでよい。これは、本願の本実施形態において具体的に限定されない。
【０３８１】
例えば、機能モジュールが統合を通じて分割される場合、図１１は、目標サブスクリプションネットワーク要素１１０の概略構造図を示す。目標サブスクリプションネットワーク要素１１０は、受信モジュール１１０１及び送信モジュール１１０２を含む。受信モジュール１１０１は、第１メッセージを、第１イベント通知ネットワーク要素から受信するよう構成される。ここで、第１メッセージは、第１端末の識別子を伝達し、目標サブスクリプションネットワーク要素に、第１端末のサブスクリプションを更新するよう要求するために使用される。送信モジュール１１０２は、第２メッセージを、第１イベント通知ネットワーク要素へ第１メッセージに基づき送信するよう構成される。ここで、第２メッセージは、第１指示情報、及び第１サブスクリプションイベントに相関された、目標サブスクリプションネットワーク要素の第１コールバックアドレス情報を伝達する。第１指示情報は、第１サブスクリプションイベントを決定するために使用される。第１コールバックアドレス情報は、第１イベント通知ネットワーク要素により、第１サブスクリプションイベントの第１イベント通知を目標サブスクリプションネットワーク要素へ、第１コールバックアドレス情報に基づき送信するために使用される。
【０３８２】
任意で、送信モジュール１１０２は、第５メッセージを第２イベント通知ネットワーク要素へ送信するよう更に構成される。ここで、第５メッセージは、第３指示情報、及び第１端末の第２サブスクリプションイベントに相関された、目標サブスクリプションネットワーク要素の第２コールバックアドレス情報を伝達し、第３指示情報は、第２サブスクリプションイベントを決定するために使用され、第２コールバックアドレスは、第２イベント通知ネットワーク要素により、第２サブスクリプションイベントの第４イベント通知を目標サブスクリプションネットワーク要素へ、第２コールバックアドレス情報に基づき送信するために使用される。
【０３８３】
任意で、受信モジュール１１０１は、第１イベント通知ネットワーク要素のコールバックアドレス情報をソースサブスクリプションネットワーク要素から受信するよう更に構成される。ここで、第１イベント通知ネットワーク要素のコールバックアドレス情報は、第１端末の属する端末グループの状態変化通知を受信するために使用される。送信モジュール１１０２は、状態変化通知を第１イベント通知ネットワーク要素へ、第１イベント通知ネットワーク要素のコールバックアドレス情報に基づき送信するよう更に構成される。ここで、状態変化通知は、ソースサブスクリプションネットワーク要素が、第１端末の属する端末グループの中の端末にサービスしないことを通知するために使用される。
【０３８４】
任意で、送信モジュール１１０２は、第７メッセージをネットワークレポジトリ機能ネットワーク要素へ送信するよう更に構成される。ここで、第７メッセージは、目標サブスクリプションネットワーク要素に関する情報、及び目標サブスクリプションネットワーク要素の第１サービスのアドレス情報を伝達する。ネットワークレポジトリ機能ネットワーク要素は、目標サブスクリプションネットワーク要素に関する情報、及び目標サブスクリプションネットワーク要素の第１サービスのアドレス情報を格納する。第１サービスは、サブスクリプション更新を実行するよう目標サブスクリプションネットワーク要素をトリガするために使用される。
【０３８５】
前述の方法の実施形態におけるステップの全ての関連する内容は、対応する機能モジュールの機能説明において引用され得る。詳細はここで再び記載されない。
【０３８６】
本実施形態では、目標サブスクリプションネットワーク要素１１０は、機能モジュールを統合を通じて分割することにより表された。ここで、「モジュール」は、特定ＡＳＩＣ、回路、１つ以上のソフトウェア又はファームウェアプログラムを実行するプロセッサ及びメモリ、集積論理回路、及び／又は前述の機能を提供可能な別の装置であってよい。単純な実施形態では、当業者は、目標サブスクリプションネットワーク要素１１０が図３に示される形式であってよいことを理解し得る。
【０３８７】
例えば、図３のプロセッサ３０１は、メモリ３０３に格納されたコンピュータ実行可能命令を呼び出してよい。その結果、目標サブスクリプションネットワーク要素１１０は、前述の方法の実施形態におけるサブスクリプション更新方法を実行する。
【０３８８】
具体的に、図１１の受信モジュール１１０１及び送信モジュール１１０２の機能及び実装処理は、図３のプロセッサ３０１により、メモリ３０３に格納されたコンピュータ実行可能命令を呼び出すことにより実施されてよい。代替として、図１１の受信モジュール１１０１及び送信モジュール１１０２の機能及び実装処理は、図３の通信インタフェース３０４により実施されてよい。
【０３８９】
本実施形態において提供される目標サブスクリプションネットワーク要素１１０は、前述のサブスクリプション更新方法を実行してよい。したがって、目標サブスクリプションネットワーク要素１１０により達成できる技術的効果については、前述の方法の実施形態を参照する。詳細はここで再び記載されない。
【０３９０】
任意で、本願の一実施形態は、チップシステムを更に提供する。チップシステムは、前述のサブスクリプション更新方法を実施する際に、例えば第１サブスクリプションイベントに相関された、目標サブスクリプションネットワーク要素の第１コールバックアドレス情報を取得する際に、目標サブスクリプションネットワーク要素１１０をサポートするよう構成されるプロセッサを含む。可能な設計では、チップシステムはメモリを更に含む。メモリは、目標サブスクリプションネットワーク要素１１０のために必要なプログラム命令及びデータを格納するよう構成される。勿論、メモリは、代替として、チップシステム内に存在しなくてよい。チップシステムは、チップを含んでよく、又はチップ及び別の個別素子を含んでよい。これは、本願の本実施形態において具体的に限定されない。
【０３９１】
前述の実施形態の全部又は一部は、ソフトウェア、ハードウェア、ファームウェア又はそれらの任意の組み合わせを用いて実施されてよい。実施形態を実施するためにソフトウェアが使用されるとき、実施形態は、完全に又は部分的にコンピュータプログラムプロダクトの形式で実施されてよい。コンピュータプログラムプロダクトは、１つ以上のコンピュータ命令を含む。コンピュータプログラム命令がコンピュータ上にロードされ実行されると、本願の実施形態による手順又は機能の全部又は一部が生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はあるコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（digital  subscriber  line、DSL））又は無線（例えば赤外線、無線、マイクロ波）方式で送信されてよい。コンピュータ可読記憶媒体は、コンピュータ、又は１つ以上の利用可能媒体を統合するサーバ若しくはデータセンタのようなデータ記憶装置によりアクセス可能な任意の利用可能媒体であってよい。利用可能媒体は、磁気媒体（例えば、フロッピーディスク、ハードディスク、又は磁気テープ）、光媒体（例えば、ＤＶＤ）、半導体媒体（例えば、ソリッドステートディスク（Solid  State  Disk、SSD））、等であってよい。
【０３９２】
本願は実施形態を参照して記載されるが、保護を請求する本願を実施する過程で、当業者は、添付の図面、開示された内容、及び添付の請求項を見ることにより、開示の実施形態の別の変形を理解し実施し得る。請求項中、「含む」（comprising）は、別のコンポーネント又は別のステップを排除せず、「ある」又は「１つの」は複数の場合を排除しない。単一のプロセッサ又は別のユニットが、請求項中に列挙された幾つかの機能を実施してよい。幾つかの手段が、互いに異なる従属請求項に記載されるが、これは、これらの手段が更に良好な効果を生み出すために結合できないことを意味するものではない。
【０３９３】
本願は特定の特徴及びその実施形態を参照して記載されたが、明らかに、本願の精神及び範囲から逸脱することなく、種々の変更及び結合がそれらに対して行われ得る。相応して、明細書及び添付の図面は、単に添付の請求項により定められた本願の説明の例であり、本願の範囲をカバーする任意の又は全ての変更、変形、組み合わせ、又は均等物として考えられる。明らかに、当業者は、本願の精神及び範囲から逸脱することなく本願に種々の変更及び変形をなし得る。本願は、これらの変更及び変形が以下の請求項により定められる保護範囲及びそれらの均等技術に包含される場合、これらの本願の変更及び変形をカバーすると考えられる。
【図１】
0006768976.tif 000002
【図２】
0006768976.tif 000003
【図３】
0006768976.tif 000004
【図４】
0006768976.tif 000005
【図５】
0006768976.tif 000006
【図６】
0006768976.tif 000007
【図７】
0006768976.tif 000008
【図８】
0006768976.tif 000009
【図９】
0006768976.tif 000010
【図１０】
0006768976.tif 000011
【図１１】
0006768976.tif 000012